(57)【要約】  本発明の実施形態は、無線充電受信デバイスをインテリジェントに制御するための方法を提供する。当該方法は、無線充電受信デバイスの第１の環境パラメータ、第１のステータスパラメータ、または第１の過去の記録のうちの少なくとも１つを取得する段階と、第１の環境パラメータ、第１のステータスパラメータ、または第１の過去の記録のうちの少なくとも１つにしたがって無線充電要求を設定する段階と、無線充電送信デバイスに無線充電要求を送信する段階と、エネルギー信号を受信する段階と、無線充電要求またはユーザ命令にしたがって無線充電停止命令を生成し、無線充電送信デバイスに無線充電停止命令を送る段階とを備える。本発明の技術的解決手段において、無線充電要求は、無線充電受信デバイスの環境パラメータ、ステータスパラメータ、または過去の充電の記録のうちの少なくとも１つにしたがって設定され、無線充電システムにおける特定のパラメータが、無線充電要求に基づいて調整される。したがって、無線充電プロセスにわたるインテリジェント制御を実現し、ユーザのパーソナライズされた要求を満たし、ユーザ体験を改善する。
2019506113.tif 000002
【特許請求の範囲】
【請求項１】
無線充電受信デバイスをインテリジェントに制御するための方法であって、
第１の環境パラメータ、第１のステータスパラメータ、または第１の過去の記録のうちの少なくとも１つを前記無線充電受信デバイスが取得する段階であって、前記第１の環境パラメータは、前記無線充電受信デバイスが位置している環境の地理的位置、温度、湿度、または高度のうちの少なくとも１つを含み、前記第１のステータスパラメータは、前記無線充電受信デバイスのバッテリレベル、温度、電圧、またはエネルギー消費率のうちの少なくとも１つを含み、前記第１の過去の記録は、前記無線充電受信デバイスの以前の無線充電データ記録である、段階と、
前記第１の環境パラメータ、前記第１のステータスパラメータ、または前記第１の過去の記録のうちの少なくとも１つにしたがって無線充電要求を設定する段階であって、前記無線充電要求は、無線充電電圧、無線充電電流、無線充電電力、無線充電速度、無線充電バッテリレベル、無線充電時間、無線充電コスト、または同様のもののうちの少なくとも１つを含む、段階と、
無線充電送信デバイスに前記無線充電要求を送る段階と、
エネルギー信号を受信する段階であって、前記エネルギー信号は、前記無線充電要求にしたがって電気エネルギーを変換することによって前記無線充電送信デバイスによって取得される、前記無線充電受信デバイスによって前記電気エネルギーに変換し戻され得るエネルギーを示す、段階と、
前記無線充電要求またはユーザ命令にしたがって無線充電停止命令を生成し、前記無線充電送信デバイスに前記無線充電停止命令を送る段階と
を備える方法。
【請求項２】
前記第１の環境パラメータ、前記第１のステータスパラメータ、または前記第１の過去の記録のうちの少なくとも１つにしたがって無線充電要求を設定する前記段階の前に、前記無線充電受信デバイスの少なくとも１つの無線充電通信プロトコルが前記無線充電送信デバイスの無線充電通信プロトコルとうまく適合すると判断する段階
をさらに備える
請求項１に記載の方法。
【請求項３】
前記第１の環境パラメータ、前記第１のステータスパラメータ、または前記第１の過去の記録のうちの少なくとも１つにしたがって無線充電要求を設定する前記段階の前に、前記無線充電送信デバイスが前記無線充電受信デバイスの無線充電受信領域に位置していると判断する段階
をさらに備える
請求項１または２に記載の方法。
【請求項４】
エネルギー信号を受信する前記段階は、前記無線充電送信デバイスによってフィードバックされた無線充電開始命令を受信した後に前記エネルギー信号を受信する段階である、
請求項１から３のいずれか一項に記載の方法。
【請求項５】
無線充電停止命令を生成し、前記無線充電送信デバイスに前記無線充電停止命令を送る前記段階は、
前記無線充電受信デバイスの第２のステータスパラメータをモニタリングする段階であって、前記第２のステータスパラメータは、前記無線充電受信デバイスの充電されたバッテリのレベル、充電電圧、充電電流、充電電力、充電コスト、または同様のもののうちの少なくとも１つを含む、段階と、
前記第２のステータスパラメータと前記無線充電要求との間の比較にしたがって、またはユーザによって入力された終了命令にしたがって、前記無線充電停止命令を生成する段階と、
前記エネルギー信号の受信を停止し、前記無線充電送信デバイスに前記無線充電停止命令を送る段階とを有する、
請求項１から４のいずれか一項に記載の方法。
【請求項６】
前記第１の環境パラメータ、前記第１のステータスパラメータ、または前記第１の過去の記録のうちの少なくとも１つにしたがって無線充電要求を設定する前記段階の前に、前記無線充電送信デバイスによって送られた構成情報を取得する段階をさらに備え、
前記構成情報は、出荷時にデフォルトで設定されるか、または前記ユーザによってカスタマイズされ、前記構成情報は、前記無線充電送信デバイスの型式、ブランド、タイプ、電力パラメータ、サポートされるモード、またはサービスプロバイダのうちの少なくとも１つを含む、
請求項１から５のいずれか一項に記載の方法。
【請求項７】
前記エネルギー信号は、磁場エネルギーまたは準静電場エネルギーである、
請求項１から６のいずれか一項に記載の方法。
【請求項８】
無線充電送信デバイスをインテリジェントに制御するための方法であって、
無線充電受信デバイスの無線充電要求を取得する段階であって、前記無線充電要求は、無線充電電圧、無線充電電流、無線充電電力、無線充電速度、無線充電バッテリレベル、無線充電時間、無線充電コスト、または同様のもののうちの少なくとも１つを含む、段階と、
前記無線充電要求にしたがって送信パラメータを構成する段階と、
エネルギー信号を送信する段階であって、前記エネルギー信号は、前記送信パラメータに基づいて電気エネルギーを変換することによって前記無線充電送信デバイスによって取得される、前記無線充電受信デバイスによって前記電気エネルギーに変換し戻され得るエネルギーを示す、段階と、
前記無線充電受信デバイスによって送られた無線充電停止命令を受信し、前記エネルギー信号の送信を停止する段階と
を備える方法。
【請求項９】
無線充電受信デバイスの無線充電要求を取得する前記段階の前に、前記無線充電送信デバイスの少なくとも１つの無線充電通信プロトコルが前記無線充電受信デバイスの無線充電通信プロトコルとうまく適合すると判断する段階
をさらに備える
請求項８に記載の方法。
【請求項１０】
無線充電受信デバイスの無線充電要求を取得する前記段階の前に、前記無線充電受信デバイスが前記無線充電送信デバイスの無線充電送信領域に位置していると判断する段階
をさらに備える
請求項８または９に記載の方法。
【請求項１１】
前記無線充電要求にしたがって送信パラメータを構成する前記段階は、無線充電送信電力を構成する段階または無線充電権を構成する段階のうちの少なくとも１つを有し、
無線充電送信電力を構成する前記段階は、前記エネルギー信号の出力が前記無線充電要求と適合することを保証するよう、前記無線充電要求にしたがって、送信変換回路の電圧、電流、または周波数のうちの少なくとも１つを調整する段階であり、
無線充電権を構成する前記段階は、前記無線充電要求にしたがって前記無線充電受信デバイスに優先権を設定する段階であって、前記優先権は、前記無線充電送信デバイスの充電時間、充電効率、充電率、または充電モードのうちの少なくとも１つに対応する、段階である、
請求項８から１０のいずれか一項に記載の方法。
【請求項１２】
エネルギー信号を送信する前記段階は、
送信パラメータを構成する前記段階が完了した後に、前記無線充電送信デバイスが、無線充電開始命令を生成する段階と、
前記無線充電受信デバイスに前記無線充電開始命令を送り、前記エネルギー信号を送信する段階と
を有する、
請求項８から１１のいずれか一項に記載の方法。
【請求項１３】
前記エネルギー信号の送信を停止する前記段階は、前記無線充電受信デバイスによってフィードバックされた前記無線充電停止命令を受信した後に前記エネルギー信号の送信を停止する段階である、
請求項８に記載の方法。
【請求項１４】
無線充電受信デバイスの無線充電要求を取得する前記段階の前に、前記無線充電受信デバイスに前記無線充電送信デバイスの構成情報を送る段階をさらに備え、
前記構成情報は、出荷時にデフォルトで設定されるか、またはユーザによってカスタマイズされ、前記構成情報は、前記無線充電送信デバイスの型式、ブランド、タイプ、電力パラメータ、サポートされるモード、またはサービスプロバイダのうちの少なくとも１つを含む、
請求項８から１３のいずれか一項に記載の方法。
【請求項１５】
前記エネルギー信号は、磁場エネルギーまたは準静電場エネルギーである、請求項８から１４のいずれか一項に記載の方法。
【請求項１６】
少なくともステータスモニタリングモジュール、充電ポリシモジュール、通信モジュール、受信モジュール、制御モジュール、バッテリモジュール、第１の記憶モジュール、および第２の記憶モジュールを備える無線充電受信デバイスであって、
前記ステータスモニタリングモジュールは、第１の環境パラメータ、第１のステータスパラメータ、または第１の過去の記録のうちの少なくとも１つを取得するよう構成され、前記第１の環境パラメータは、前記無線充電受信デバイスが位置している環境の地理的位置、温度、湿度、または高度のうちの少なくとも１つを含み、前記第１のステータスパラメータは、前記無線充電受信デバイスのバッテリレベル、温度、電圧、またはエネルギー消費率のうちの少なくとも１つを含み、前記第１の過去の記録は、前記無線充電受信デバイスの以前の無線充電データ記録であり、
前記充電ポリシモジュールは、前記ステータスモニタリングモジュールによって取得される前記第１の環境パラメータ、前記第１のステータスパラメータ、または前記第１の過去の記録のうちの少なくとも１つに基づいて無線充電要求を設定するよう構成され、前記無線充電要求は、無線充電電圧、無線充電電流、無線充電電力、無線充電速度、無線充電バッテリレベル、無線充電時間、無線充電コスト、または同様のもののうちの少なくとも１つを含み、
前記通信モジュールは、無線充電送信デバイスとデータを交換するよう構成され、
前記受信モジュールは、エネルギー信号を受信し、前記エネルギー信号を電気エネルギーに変換し、前記バッテリモジュールに前記電気エネルギーを貯蔵するよう構成され、前記エネルギー信号は、前記無線充電要求にしたがって前記電気エネルギーを変換することによって前記無線充電送信デバイスによって取得される、前記無線充電受信デバイスによって前記電気エネルギーに変換し戻され得るエネルギーを示し、
前記制御モジュールは、前記充電ポリシモジュールによって設定された前記無線充電要求にしたがって受信パラメータを構成し、前記無線充電受信デバイスの無線充電の開始および停止を制御するよう構成され、
前記バッテリモジュールは、前記受信モジュールによって受信された前記電気エネルギーを貯蔵し、前記無線充電受信デバイスに電力を供給するよう構成され、
前記第１の記憶モジュールは、前記無線充電受信デバイスの構成情報を格納するよう構成され、
前記第２の記憶モジュールは、プロセスデータを格納するよう構成される、
デバイス。
【請求項１７】
機能適合モジュールをさらに備え、
前記機能適合モジュールは、前記無線充電受信デバイスの少なくとも１つの無線充電通信プロトコルが前記無線充電送信デバイスの無線充電通信プロトコルとうまく適合すると判断するよう構成される、
請求項１６に記載のデバイス。
【請求項１８】
位置整合モジュールをさらに備え、
前記位置整合モジュールは、前記無線充電送信デバイスが前記無線充電受信デバイスの無線充電受信領域に位置していると判断するよう構成される、
請求項１６または１７に記載のデバイス。
【請求項１９】
前記受信モジュールは、少なくとも受信アンテナおよび変換ユニットを有し、
前記受信アンテナは、前記エネルギー信号を受信し、前記エネルギー信号を交流電気エネルギーに変換するよう構成され、
前記変換ユニットは、前記受信アンテナによる変換によって取得された前記交流電気エネルギーを直流電気エネルギーに変換し、前記バッテリモジュールに前記直流電気エネルギーを送信するよう構成される、
請求項１６から１８のいずれか一項に記載のデバイス。
【請求項２０】
前記変換ユニットは、整流ユニットおよび直流変換ユニットを含み、
前記整流ユニットは、前記受信アンテナによる変換によって取得された前記交流電気エネルギーを前記直流電気エネルギーに変換するよう構成され、
前記直流変換ユニットは、前記整流ユニットによる変換によって取得された前記直流電気エネルギーを、一定の直流電流として前記バッテリモジュールに流入させるよう構成される、
請求項１９に記載のデバイス。
【請求項２１】
前記充電ポリシモジュールによって設定された前記無線充電要求にしたがって受信パラメータを前記構成することは、前記無線充電要求にしたがって、受信変換回路の電圧、電流、または周波数のうちの少なくとも１つを調整することである、
請求項１６から２０のいずれか一項に記載のデバイス。
【請求項２２】
表示モジュールおよびユーザ入力モジュールをさらに備え、
前記表示モジュールは、無線充電プロセスの無線充電パラメータをユーザに提示するよう構成され、
前記ユーザ入力モジュールは、前記無線充電に関連する命令およびパラメータを前記ユーザが入力するよう構成される、
請求項１６から２１のいずれか一項に記載のデバイス。
【請求項２３】
少なくとも電源入力モジュール、通信モジュール、制御モジュール、送信モジュール、第１の記憶モジュール、および第２の記憶モジュールを備える無線充電送信デバイスであって、
前記電源入力モジュールは、外部電源によって入力された電気エネルギーを取得するよう構成され、
前記通信モジュールは、無線充電受信デバイスとデータを交換し、前記無線充電受信デバイスによって設定された無線充電要求を受信するよう構成され、前記無線充電要求は、無線充電電圧、無線充電電流、無線充電電力、無線充電速度、無線充電バッテリレベル、無線充電時間、無線充電コスト、または同様のもののうちの少なくとも１つを含み、
前記制御モジュールは、前記通信モジュールによって受信された前記無線充電要求に応じて送信パラメータを構成し、前記無線充電送信デバイスの無線充電の開始および停止を制御するよう構成され、
前記送信モジュールは、前記電源入力モジュールによって取得された前記電気エネルギーを前記送信パラメータに基づいてエネルギー信号に変換し、前記エネルギー信号を出力するよう構成され、前記エネルギー信号は、前記無線充電要求にしたがって前記電気エネルギーを変換することによって前記無線充電送信デバイスによって取得される、前記無線充電受信デバイスによって前記電気エネルギーに変換し戻され得るエネルギーを示し、
前記第１の記憶モジュールは、前記無線充電送信デバイスの構成情報を格納するよう構成され、
前記第２の記憶モジュールは、プロセスデータを格納するよう構成される、
デバイス。
【請求項２４】
機能適合モジュールをさらに備え、
前記機能適合モジュールは、前記無線充電送信デバイスの少なくとも１つの無線充電通信プロトコルが前記無線充電受信デバイスの無線充電通信プロトコルとうまく適合すると判断するよう構成される、
請求項２３に記載のデバイス。
【請求項２５】
位置整合モジュールをさらに備え、
前記位置整合モジュールは、前記無線充電受信デバイスが前記無線充電送信デバイスの無線充電送信領域に位置していると判断するよう構成される、
請求項２３または２４に記載のデバイス。
【請求項２６】
前記送信モジュールは、力率補正ユニット、インバータユニット、変圧ユニット、および送信アンテナを有し、
前記外部電源によって入力された前記電気エネルギーが交流電気エネルギーであるとき、前記力率補正ユニットは、送信回路における高調波成分を低減し、力率値を増大させるよう構成され、
前記外部電源によって入力された前記電気エネルギーが直流電気エネルギーであるとき、前記変圧ユニットは、前記入力された直流電気エネルギーを交流電気エネルギーに変換するよう構成され、
前記インバータユニットは、前記力率補正ユニットまたは前記変圧ユニットによって出力された前記交流電気エネルギーを高周波交流電気エネルギーに変換し、前記電力送信アンテナに高周波の交流を出力するよう構成され、
前記送信アンテナは、前記インバータユニットによって入力された前記高周波交流電気エネルギーを前記エネルギー信号に変換し、前記エネルギー信号を出力するよう構成される、
請求項２３から２５のいずれか一項に記載のデバイス。
【請求項２７】
前記通信モジュールによって受信された前記無線充電要求にしたがって送信パラメータを前記構成することは、無線充電送信電力を構成することまたは無線充電権を構成することのうちの少なくとも１つを含み、
無線充電送信電力を前記構成することは、前記充電要求と適合する前記エネルギー信号の出力を保証するよう、前記通信モジュールによって受信された前記無線充電要求にしたがって、送信変換回路の電圧、電流、または周波数のうちの少なくとも１つを調整することであり、
無線充電権を前記構成することは、前記通信モジュールによって受信された前記無線充電要求にしたがって前記無線充電受信デバイスに優先権を設定することであり、前記優先権は、前記無線充電送信デバイスの充電時間、充電効率、充電率、または充電モードのうちの少なくとも１つに対応する、
請求項２３から２６のいずれか一項に記載のデバイス。
【請求項２８】
ステータスモニタリングモジュールをさらに備え、
前記ステータスモニタリングモジュールは、前記第２の環境パラメータ、前記第２のステータスパラメータ、および前記第２の過去の記録を取得するよう構成され、前記第２の環境パラメータは、前記無線充電送信デバイスが位置している環境の地理的位置、温度、湿度、高度、または時間のうちの少なくとも１つを含み、前記第２のステータスパラメータは、前記無線充電送信デバイスのバッテリレベル、温度、電圧、またはエネルギー消費率のうちの少なくとも１つを含み、前記第２の過去の記録は、前記無線充電送信デバイスの以前の無線充電データ記録である、
請求項２３から２７のいずれか一項に記載のデバイス。
【請求項２９】
表示モジュールおよびユーザ入力モジュールをさらに備え、
前記表示モジュールは、無線充電プロセスの無線充電パラメータをユーザに提示するよう構成され、
前記ユーザ入力モジュールは、前記無線充電に関連する命令およびパラメータを前記ユーザが入力するよう構成される、
請求項２３から２８のいずれか一項に記載のデバイス。
【請求項３０】
外部電源、無線充電受信デバイス、および無線充電送信デバイスを備えるインテリジェント無線充電制御システムであって、
前記無線充電受信デバイスは、請求項１６から２２のいずれか一項に記載のデバイスであり、
前記無線充電送信デバイスは、請求項２３から２９のいずれか一項に記載のデバイスであり、
前記外部電源は、前記無線充電送信デバイスに接続され、前記無線充電送信デバイスは、前記外部電源から電気エネルギーを取得する、
インテリジェント無線充電制御システム。
【請求項３１】
プロセッサおよびメモリを備える無線充電受信端末であって、前記メモリは、プログラム可能命令を格納し、前記プロセッサは、前記メモリに格納された前記プログラム可能命令を呼び出して、請求項１から１５のいずれか一項に記載の方法を実行する、
無線充電受信端末。
【請求項３２】
命令を備えるコンピュータ可読ストレージ媒体であって、前記命令は、請求項１から１５のいずれか一項に記載の方法をコンピュータに実行させるよう前記コンピュータ上で実行される、
コンピュータ可読ストレージ媒体。
【発明の詳細な説明】
【技術分野】
【０００１】
本発明は、エネルギー分野に関し、特には、インテリジェント無線充電制御方法およびデバイスに関する。
【背景技術】
【０００２】
バッテリ技術の発達は、インテリジェントモバイル端末および電気自動車産業等の発達の促進において極めて重要な役割を担う。しかしながら、バッテリ技術は継続的に向上しているので、充電問題がバッテリ技術の急速な発達を制限する重大な問題の１つになっている。近年、充電問題を解決するために無線充電技術が相当に開発され、実際に、異なる要求を満たす様々な無線充電製品が継続的に生み出されている。
【０００３】
現在、無線充電としては、電磁誘導伝送モード、電波伝送モード、および磁気共鳴伝送モードという３つの伝送モードがあり得る。電波伝送モードは、低い送信電力、高いエネルギー消費、および低い実現可能性を特徴としている。概して、実際の適用では、電磁誘導伝送モードまたは磁気共鳴伝送モードが無線充電製品に通常使用される。
【０００４】
無線充電技術の発達および規格の推進に伴い、無線充電製品は、技術タイプ、標準プロトコル、およびベンダ設計等に応じてより多様に設計される。例えば、スターバックス（登録商標）、イケア（登録商標）、およびハイアール（登録商標）はすべてその製品またはサービスの中に無線充電デバイスを統合しており、それは例えばスターバックス（登録商標）の無線充電器を備えたコーヒーテーブル、イケア（登録商標）の無線充電を備えたスマート家庭製品、および、ハイアール（登録商標）のスマートキッチンおよびスマートオフィスデスクなどであり、ユーザ体験を大いに改善している。しかしながら、無線充電制御技術は、異なる形態の無線充電製品の継続的な増加、およびＤ２Ｄ（デバイスツーデバイス）無線充電技術の発達に伴い、突破口を見出していない。既存の無線充電制御方法は未だにシンプルなものである。例えば、無線充電の停止を制御するために容量閾値が設定される。このことは、多様な無線充電製品の制御のための要求およびユーザのパーソナライズのための要求を満たすことができない。その結果、無線充電技術のユーザ体験は良いものとは言えない。
【発明の概要】
【０００５】
前述の問題を解決するべく、本発明は、無線充電受信デバイスをインテリジェントに制御するための方法およびデバイスと、無線充電送信デバイスをインテリジェントに制御するための方法およびデバイスとを提供する。無線充電要求が、無線充電受信デバイスの環境パラメータ、ステータスパラメータ、または過去の充電の記録のうちの少なくとも１つにしたがって設定され、無線充電要求に基づいて無線充電プロセスが制御される。このようにして、無線充電プロセスにわたるインテリジェント制御を実現でき、無線充電製品のユーザ体験を改善できる。
【０００６】
第１態様は、無線充電受信デバイスをインテリジェントに制御するための方法を提供する。当該方法は、第１の環境パラメータ、第１のステータスパラメータ、または第１の過去の記録のうちの少なくとも１つを取得する段階であって、第１の環境パラメータは、無線充電受信デバイスが位置している環境の地理的位置、温度、湿度、高度、または時間のうちの少なくとも１つを含み、第１のステータスパラメータは、無線充電受信デバイスのバッテリレベル、温度、電圧、またはエネルギー消費率のうちの少なくとも１つを含み、第１の過去の記録は、無線充電受信デバイスの以前の無線充電データ記録である、段階と、第１の環境パラメータ、第１のステータスパラメータ、または第１の過去の記録のうちの少なくとも１つにしたがって無線充電要求を設定する段階であって、無線充電要求は、無線充電電圧、無線充電電流、無線充電電力、無線充電速度、無線充電バッテリレベル、無線充電時間、無線充電コストまたは同様のもののうちの少なくとも１つを含む、段階と、無線充電送信デバイスに無線充電要求を送る段階と、エネルギー信号を受信する段階であって、エネルギー信号は、無線充電要求にしたがって電気エネルギーを変換することによって無線充電送信デバイスによって取得される、無線充電受信デバイスによって電気エネルギーに変換し戻され得るエネルギーを示す、段階と、無線充電要求またはユーザ命令にしたがって無線充電停止命令を生成し、無線充電送信デバイスに無線充電停止命令を送る段階とを備える。
【０００７】
第１態様に関連して、第１態様の第１の可能な実装例において、第１の環境パラメータ、第１のステータスパラメータ、または第１の過去の記録のうちの少なくとも１つにしたがって無線充電要求を設定する段階の前に、当該方法はさらに、無線充電受信デバイスの少なくとも１つの無線充電通信プロトコルが無線充電送信デバイスの無線充電通信プロトコルとうまく適合すると判断する段階を備える。
【０００８】
第１態様、または第１態様の第１の可能な実装例に関連して、第１態様の第２の可能な実装例において、第１の環境パラメータ、第１のステータスパラメータ、または第１の過去の記録のうちの少なくとも１つにしたがって無線充電要求を設定する段階の前に、当該方法はさらに、無線充電送信デバイスが無線充電受信デバイスの無線充電受信領域に位置していると判断する段階を備える。
【０００９】
第１態様、第１態様の第１の可能な実装例、または第１態様の第２の可能な実装例に関連して、第１態様の第３の可能な実装例において、エネルギー信号を受信する段階は、無線充電送信デバイスによってフィードバックされた無線充電開始命令を受信した後にエネルギー信号を受信する段階である。
【００１０】
第１態様、第１態様の第１の可能な実装例、第１態様の第２の可能な実装例、または第１態様の第３の可能な実装例に関連して、第１態様の第４の可能な実装例において、無線充電停止命令を生成し、無線充電送信デバイスに無線充電停止命令を送る段階は、無線充電受信デバイスの第２のステータスパラメータをモニタリングする段階であって、第２のステータスパラメータは、無線充電受信デバイスの充電されたバッテリのレベル、充電電圧、充電電流、充電電力、充電コスト、または同様のもののうちの少なくとも１つを含む、段階と、第２のステータスパラメータと無線充電要求との間の比較にしたがって、または、ユーザによって入力された終了命令にしたがって、無線充電停止命令を生成する段階と、エネルギー信号の受信を停止し、無線充電送信デバイスに無線充電停止命令を送る段階とを有する。
【００１１】
第１態様、第１態様の第１の可能な実装例、第１態様の第２の可能な実装例、第１態様の第３の可能な実装例、または第１態様の第４の可能な実装例に関連して、第１態様の第５の可能な実装例において、第１の環境パラメータ、第１のステータスパラメータ、または第１の過去の記録のうちの少なくとも１つにしたがって無線充電要求を設定する段階の前に、当該方法はさらに、無線充電送信デバイスによって送られた構成情報を取得する段階であって、構成情報は、出荷時にデフォルトで設定されるか、またはユーザによってカスタマイズされ、構成情報は、無線充電送信デバイスの型式、ブランド、タイプ、電力パラメータ、サポートされるモード、またはサービスプロバイダのうちの少なくとも１つを含む、段階を備える。
【００１２】
第１態様、第１態様の第１の可能な実装例、第１態様の第２の可能な実装例、第１態様の第３の可能な実装例、第１態様の第４の可能な実装例、または第１態様の第５の可能な実装例に関連して、第１態様の第６の可能な実装例において、エネルギー信号は、磁場エネルギーまたは準静電場エネルギーである。
【００１３】
第２態様は、無線充電送信デバイスをインテリジェントに制御するための方法を提供する。当該方法は、無線充電受信デバイスの無線充電要求を取得する段階であって、無線充電要求は、無線充電電圧、無線充電電流、無線充電電力、無線充電速度、無線充電バッテリレベル、無線充電時間、無線充電コスト、または同様のもののうちの少なくとも１つを含む、段階と、無線充電要求にしたがって送信パラメータを構成する段階と、エネルギー信号を送信する段階であって、エネルギー信号は、送信パラメータに基づいて電気エネルギーを変換することによって無線充電送信デバイスによって取得される、無線充電受信デバイスによって電気エネルギーに変換し戻され得るエネルギーを示す、段階と、無線充電受信デバイスによって送られた無線充電停止命令を受信した後、エネルギー信号の送信を停止する段階とを備える。
【００１４】
第２態様に関連して、第２態様の第１の可能な実装例において、無線充電受信デバイスの無線充電要求を取得する段階の前に、当該方法はさらに、無線充電送信デバイスの少なくとも１つの無線充電通信プロトコルが無線充電受信デバイスの無線充電通信プロトコルとうまく適合すると判断する段階を含む。
【００１５】
第２態様、または第２態様の第１の可能な実装例に関連して、第２態様の第２の可能な実装例において、無線充電受信デバイスの無線充電要求を取得する段階の前に、当該方法はさらに、無線充電受信デバイスが無線充電送信デバイスの無線充電送信領域に位置していると判断する段階を備える。
【００１６】
第２態様、第２態様の第１の可能な実装例、または第２態様の第２の可能な実装例に関連して、第２態様の第３の可能な実装例において、無線充電要求にしたがって送信パラメータを構成する段階は、無線充電送信電力を構成する段階、または無線充電権を構成する段階のうちの少なくとも１つを有し、無線充電送信電力を構成する段階は、無線充電要求と適合するエネルギー信号の出力を保証するよう、無線充電要求にしたがって、送信変換回路の電圧、電流、または周波数のうちの少なくとも１つを調整する段階であり、無線充電権を構成する段階は、無線充電要求にしたがって無線充電受信デバイスに優先権を設定する段階であって、優先権は、無線充電送信デバイスの充電時間、充電効率、充電率、または充電モードのうちの少なくとも１つに対応する、段階である。
【００１７】
第２態様、第２態様の第１の可能な実装例、第２態様の第２の可能な実装例、または第２態様の第３の可能な実装例に関連して、第２態様の第４の可能な実装例において、エネルギー信号を送信する段階は、送信パラメータを構成する段階が完了した後に、無線充電送信デバイスが、無線充電開始命令を生成する段階と、無線充電受信デバイスに無線充電開始命令を送り、エネルギー信号を送信する段階とを有する。
【００１８】
第２態様、第２態様の第１の可能な実装例、第２態様の第２の可能な実装例、第２態様の第３の可能な実装例、または第２態様の第４の可能な実装例に関連して、第２態様の第５の可能な実装例において、エネルギー信号の送信を停止する段階は、無線充電受信デバイスによってフィードバックされた無線充電停止命令を受信した後に、エネルギー信号の送信を停止する段階である。
【００１９】
第２態様、第２態様の第１の可能な実装例、第２態様の第２の可能な実装例、第２態様の第３の可能な実装例、第２態様の第４の可能な実装例、または第２態様の第５の可能な実装例に関連して、第２態様の第６の可能な実装例において、無線充電受信デバイスの無線充電要求を取得する段階の前に、当該方法はさらに、無線充電受信デバイスに無線充電送信デバイスの構成情報を送る段階であって、構成情報は、出荷時にデフォルトで設定されるか、またはユーザによってカスタマイズされ、構成情報は、無線充電送信デバイスの型式、ブランド、タイプ、電力パラメータ、サポートされるモード、またはサービスプロバイダのうちの少なくとも１つを含む、段階を備える。
【００２０】
第２態様、第２態様の第１の可能な実装例、第２態様の第２の可能な実装例、第２態様の第３の可能な実装例、第２態様の第４の可能な実装例、第２態様の第５の可能な実装例、または第２態様の第６の可能な実装例に関連して、第２態様の第７の可能な実装例において、エネルギー信号は、磁場エネルギーまたは準静電場エネルギーである。
【００２１】
第３態様は、無線充電受信デバイスを提供する。当該デバイスは、少なくともステータスモニタリングモジュール、充電ポリシモジュール、通信モジュール、受信モジュール、制御モジュール、バッテリモジュール、第１の記憶モジュール、および第２の記憶モジュールを備え、ステータスモニタリングモジュールは、第１の環境パラメータ、第１のステータスパラメータ、または第１の過去の記録のうちの少なくとも１つを取得するよう構成され、第１の環境パラメータは、無線充電受信デバイスが位置している環境の地理的位置、温度、湿度、高度、または時間のうちの少なくとも１つを含み、第１のステータスパラメータは、無線充電受信デバイスのバッテリレベル、温度、電圧、またはエネルギー消費率のうちの少なくとも１つを含み、第１の過去の記録は、無線充電受信デバイスの以前の無線充電データ記録であり、充電ポリシモジュールは、ステータスモニタリングモジュールによって取得される第１の環境パラメータ、第１のステータスパラメータ、または第１の過去の記録のうちの少なくとも１つに基づいて無線充電要求を設定するよう構成され、無線充電要求は、無線充電電圧、無線充電電流、無線充電電力、無線充電速度、無線充電バッテリレベル、無線充電時間、無線充電コスト、または同様のもののうちの少なくとも１つを含み、通信モジュールは、無線充電送信デバイスとデータを交換するよう構成され、受信モジュールは、エネルギー信号を受信し、エネルギー信号を電気エネルギーに変換し、バッテリモジュールに電気エネルギーを貯蔵するよう構成され、エネルギー信号は、無線充電要求にしたがって電気エネルギーを変換することによって無線充電送信デバイスによって取得される、無線充電受信デバイスによって電気エネルギーに変換し戻され得るエネルギーを示し、制御モジュールは、充電ポリシモジュールによって設定された無線充電要求にしたがって受信パラメータを構成し、無線充電受信デバイスの無線充電の開始および停止を制御するよう構成され、バッテリモジュールは、受信モジュールによって受信された電気エネルギーを貯蔵し、無線充電受信デバイスに電力を供給するよう構成され、第１の記憶モジュールは、無線充電受信デバイスの構成情報を格納するよう構成され、第２の記憶モジュールは、プロセスデータを格納するよう構成される。
【００２２】
第３態様に関連して、第３態様の第１の可能な実装例において、当該デバイスはさらに、機能適合モジュールを備え、機能適合モジュールは、無線充電受信デバイスの少なくとも１つの無線充電通信プロトコルが無線充電送信デバイスの無線充電通信プロトコルとうまく適合すると判断するよう構成される。
【００２３】
第３態様、または第３態様の第１の可能な実装例に関連して、第３態様の第２の可能な実装例において、当該デバイスはさらに、位置整合モジュールを含み、位置整合モジュールは、無線充電送信デバイスが無線充電受信デバイスの無線充電受信領域に位置していると判断するよう構成される。
【００２４】
第３態様、第３態様の第１の可能な実装例、または第３態様の第２の可能な実装例に関連して、第３態様の第３の可能な実装例において、受信モジュールは、少なくとも受信アンテナおよび変換ユニットを有し、受信アンテナは、エネルギー信号を受信し、エネルギー信号を交流電気エネルギーに変換するよう構成され、変換ユニットは、受信アンテナによる変換によって取得された交流電気エネルギーを直流電気エネルギー変換し、バッテリモジュールに直流電気エネルギーを送信するよう構成される。
【００２５】
第３態様、第３態様の第１の可能な実装例、第３態様の第２の可能な実装例、または第３態様の第３の可能な実装例に関連して、第３態様の第４の可能な実装例において、変換ユニットは、整流ユニットおよび直流変換ユニットを含み、整流ユニットは、受信アンテナによる変換によって取得された交流電気エネルギーを直流電気エネルギーに変換するよう構成され、直流変換ユニットは、整流ユニットによる変換によって取得された直流電気エネルギーを一定の直流電流としてバッテリモジュールに流入させるよう構成される。
【００２６】
第３態様、第３態様の第１の可能な実装例、第３態様の第２の可能な実装例、第３態様の第３の可能な実装例、または第３態様の第４の可能な実装例に関連して、第３態様の第５の可能な実装例において、充電ポリシモジュールによって設定された無線充電要求にしたがって受信パラメータを構成することは、無線充電要求にしたがって、受信変換回路の電圧、電流、または周波数のうちの少なくとも１つを調整することである。
【００２７】
第３態様、第３態様の第１の可能な実装例、第３態様の第２の可能な実装例、第３態様の第３の可能な実装例、第３態様の第４の可能な実装例、または第３態様の第５の可能な実装例に関連して、第３態様の第６の可能な実装例において、当該デバイスはさらに、表示モジュールおよびユーザ入力モジュールを備え、表示モジュールは、ユーザに無線充電プロセスの無線充電パラメータを提示するよう構成され、ユーザ入力モジュールは、無線充電に関連する命令およびパラメータをユーザが入力するよう構成される。
【００２８】
第４態様は、無線充電送信デバイスを提供する。当該デバイスは、少なくとも電源入力モジュール、通信モジュール、制御モジュール、送信モジュール、第１の記憶モジュール、および第２の記憶モジュールを備え、電源入力モジュールは、外部電源によって入力された電気エネルギーを取得するよう構成され、通信モジュールは、無線充電受信デバイスとデータを交換し、無線充電受信デバイスによって設定された無線充電要求を受信するよう構成され、無線充電要求は、無線充電電圧、無線充電電流、無線充電電力、無線充電速度、無線充電バッテリレベル、無線充電時間、無線充電コスト、または同様のもののうちの少なくとも１つを含み、制御モジュールは、通信モジュールによって受信された無線充電要求にしたがって送信パラメータを構成し、無線充電送信デバイスの無線充電の開始および停止を制御するよう構成され、送信モジュールは、電源入力モジュールによって取得された電気エネルギーを送信パラメータに基づいてエネルギー信号に変換し、エネルギー信号を出力するよう構成され、エネルギー信号は、無線充電要求にしたがって電気エネルギーを変換することによって無線充電送信デバイスによって取得される、無線充電受信デバイスによって電気エネルギーに変換し戻され得るエネルギーを示し、第１の記憶モジュールは、無線充電送信デバイスの構成情報を格納するよう構成され、第２の記憶モジュールは、プロセスデータを格納するよう構成される。
【００２９】
第４態様に関連して、第４態様の第１の可能な実装例において、当該デバイスはさらに、機能適合モジュールを備え、機能適合モジュールは、無線充電送信デバイスの少なくとも１つの無線充電通信プロトコルが無線充電受信デバイスの無線充電通信プロトコルとうまく適合すると判断するよう構成される。
【００３０】
第４態様、または第４態様の第１の可能な実装例に関連して、第４態様の第２の可能な実装例において、当該デバイスはさらに、位置整合モジュールを含み、位置整合モジュールは、無線充電受信デバイスが無線充電送信デバイスの無線充電送信領域に位置していると判断するよう構成される。
【００３１】
第４態様、第４態様の第１の可能な実装例、または第４態様の第２の可能な実装例に関連して、第４態様の第３の可能な実装例において、送信モジュールは、力率補正ユニット、インバータユニット、変圧ユニット、および送信アンテナを有し、外部電源によって入力された電気エネルギーが交流電気エネルギーであるとき、力率補正ユニットは、送信回路における高調波成分を低減し、力率値を増大させるよう構成され、外部電源によって入力される電気エネルギーが直流電気エネルギーであるとき、変圧ユニットは、入力された直流電気エネルギーを交流電気エネルギーに変換するよう構成され、インバータユニットは、力率補正ユニットまたは変圧ユニットによって出力された交流電気エネルギーを高周波交流電気エネルギーに変換し、電力送信アンテナに高周波交流を出力するよう構成され、送信アンテナは、インバータユニットによって入力された高周波交流電気エネルギーをエネルギー信号に変換し、エネルギー信号を出力するよう構成される。
【００３２】
第４態様、第４態様の第１の可能な実装例、第４態様の第２の可能な実装例、または第４態様の第３の可能な実装例に関連して、第４態様の第４の可能な実装例において、通信モジュールによって受信された無線充電要求にしたがって送信パラメータを構成することは、無線充電送信電力を構成することまたは無線充電権を構成することのうちの少なくとも１つを含み、無線充電送信電力を構成することは、充電要求に適合するエネルギー信号の出力を保証するよう、通信モジュールによって受信された無線充電要求にしたがって、送信変換回路の電圧、電流、または周波数のうちの少なくとも１つを調整することであり、無線充電権を構成することは、通信モジュールによって受信された無線充電要求にしたがって無線充電受信デバイスに優先権を設定することであり、優先権は、無線充電送信デバイスの充電時間、充電効率、充電率、または充電モードのうちの少なくとも１つに対応する。第４態様、第４態様の第１の可能な実装例、第４態様の第２の可能な実装例、第４態様の第３の可能な実装例、または第４態様の第４の可能な実装例に関連して、第４態様の第５の可能な実装例において、当該デバイスはさらに、ステータスモニタリングモジュールを備え、ステータスモニタリングモジュールは、第２の環境パラメータ、第２のステータスパラメータ、および第２の過去の記録を取得するよう構成され、第２の環境パラメータは、無線充電送信デバイスが位置している環境の地理的位置、温度、湿度、高度、または時間のうちの少なくとも１つを含み、第２のステータスパラメータは、無線充電送信デバイスのバッテリレベル、温度、電圧、またはエネルギー消費率のうちの少なくとも１つを含み、第２の過去の記録は、無線充電送信デバイスの以前の無線充電データ記録である。
【００３３】
第４態様、第４態様の第１の可能な実装例、第４態様の第２の可能な実装例、第４態様の第３の可能な実装例、または第４態様の第４の可能な実装例に関連して、第４態様の第５の可能な実装例において、当該デバイスはさらに、表示モジュールおよびユーザ入力モジュールを備え、表示モジュールは、ユーザに無線充電プロセスの無線充電パラメータを提示するよう構成され、ユーザ入力モジュールは、無線充電に関連する命令およびパラメータをユーザが入力するよう構成される。
【００３４】
第５態様は、インテリジェント無線充電制御システムを提供する。当該システムは、外部電源、無線充電受信デバイス、および無線充電送信デバイスを備え、無線充電受信デバイスは、第３態様の任意の可能な実装例のデバイスであり、無線充電送信デバイスは、第４態様の任意の可能な実装例のデバイスであり、外部電源は、無線充電送信デバイスに接続され、無線充電送信デバイスは、外部電源から電気エネルギーを取得する。
【００３５】
第６態様は、無線充電受信端末を提供する。当該端末は、通信モジュール、バッテリ、処理モジュール、および記憶モジュールを備え、通信モジュールは、無線充電送信デバイスとデータを交換するよう構成され、バッテリは、受信された電気エネルギーを貯蔵し、無線充電受信デバイスに電力を供給するよう構成され、記憶モジュールは、プログラム可能命令を格納するよう構成され、処理モジュールは、記憶モジュールに格納されたプログラム可能命令を呼び出して、第１の環境パラメータ、第１のステータスパラメータ、または第１の過去の記録のうちの少なくとも１つを取得することであって、第１の環境パラメータは、無線充電受信デバイスが位置している環境の地理的位置、温度、湿度、高度、または時間のうちの少なくとも１つを含み、第１のステータスパラメータは、無線充電受信デバイスのバッテリレベル、温度、電圧、またはエネルギー消費率のうちの少なくとも１つを含み、第１の過去の記録は、無線充電受信デバイスの以前の無線充電データ記録である、取得することと、第１の環境パラメータ、第１のステータスパラメータ、または第１の過去の記録のうちの少なくとも１つにしたがって無線充電要求を設定することであって、無線充電要求は、無線充電電圧、無線充電電流、無線充電電力、無線充電速度、無線充電バッテリレベル、無線充電時間、無線充電コスト、または同様のもののうちの少なくとも１つを含む、設定することと、無線充電送信デバイスに無線充電要求を送ることと、エネルギー信号を受信することであって、エネルギー信号は、無線充電要求にしたがって電気エネルギーを変換することによって無線充電送信デバイスによって取得される、無線充電受信デバイスによって電気エネルギーに変換し戻され得るエネルギーである、受信することと、無線充電停止命令を生成し、無線充電送信デバイスに無線充電停止命令を送ることとを実行するよう構成される。
【００３６】
第６態様に関連して、第６態様の第１の可能な実装例において、無線充電停止命令を生成し、無線充電送信デバイスに無線充電停止命令を送ることは、無線充電受信デバイスの第２のステータスパラメータをモニタリングすることであって、第２のステータスパラメータは、無線充電受信デバイスの充電されたバッテリのレベル、充電電圧、充電電流、充電電力、充電コスト、または同様のもののうちの少なくとも１つを含む、モニタリングすることと、第２のステータスパラメータと無線充電要求との間の比較にしたがって、または、ユーザによって入力された終了命令にしたがって、無線充電停止命令を生成することと、エネルギー信号の受信を停止し、無線充電送信デバイスに無線充電停止命令を送ることとを有する。
【００３７】
本発明の実施形態において、無線充電要求は、無線充電受信デバイスの環境パラメータ、ステータスパラメータ、または過去の充電の記録のうちの少なくとも１つにしたがって設定され、無線充電プロセスは、無線充電要求に基づいて制御される。したがって、無線充電プロセスにわたるインテリジェント制御を実現でき、無線充電製品のユーザ体験を改善できる。
【図面の簡単な説明】
【００３８】
【図１】本発明の一実施形態に係る無線充電システムの概略構造図である。
【００３９】
【図２】本発明の一実施形態に係る受信アンテナの概略構造図である。
【００４０】
【図３】本発明の一実施形態に係るインテリジェント無線充電制御方法のフローチャートである。
【００４１】
【図４】本発明の一実施形態に係る無線充電受信デバイスをインテリジェントに制御するための方法のフローチャートである。
【００４２】
【図５】本発明の一実施形態に係る無線充電送信デバイスをインテリジェントに制御するための方法のフローチャートである。
【００４３】
【図６】本発明の一実施形態に係る無線充電受信デバイスの概略構造図である。
【００４４】
【図７】本発明の一実施形態に係る無線充電送信デバイスの概略構造図である。
【００４５】
【図８】本発明の一実施形態に係る端末の概略構造図である。
【００４６】
【図９】本発明の一実施形態に係るモバイル端末の無線充電のフローチャートである。
【発明を実施するための形態】
【００４７】
本発明の実施形態における添付の図面に関連して、以下で本発明の実施形態における技術的解決手段を明確かつ十分に説明する。説明される実施形態が本発明の実施形態のすべてではなく一部に過ぎないことは明らかである。創造的努力なく本発明の実施形態に基づいて当業者によって得られる他のすべての実施形態は、本発明の保護範囲に当然に含まれる。
【００４８】
本発明の一実施形態は、インテリジェント無線充電制御システムを提供する。図１に示されるように、当該システムは、外部電源１００、無線充電送信デバイス２００、および無線充電受信デバイス３００を備える。任意選択で、無線充電送信デバイス２００は、端末か、または、スマートオフィスデスクまたは車両などの、無線充電送信回路を統合した製品である。無線充電受信デバイス３００は、端末か、または、インテリジェントモバイル端末または電気車両などの、無線充電受信回路を統合した製品である。
【００４９】
無線充電送信デバイス２００は、電源入力モジュール２０１、送信モジュール２０２、制御モジュール２０３、メモリ２０４、通信モジュール２０５、および接続モジュール２０６を有する。
【００５０】
電源入力モジュール２０１は、無線充電送信デバイス２００と外部電源１００とを接続し、外部電源１００によって入力された電気エネルギーを受信するよう構成される。
【００５１】
接続モジュール２０６は、無線充電送信デバイス２００が無線充電受信デバイス３００に接続されていると判断するよう構成される。さらに、接続モジュール２０６は、機能適合ユニットおよび位置整合ユニットを含む。機能適合ユニットは、無線充電受信デバイス３００の少なくとも１つの無線充電通信プロトコルが無線充電送信デバイス２００の無線充電通信プロトコルとうまく適合すると判断するよう構成される。位置整合ユニットは、無線充電受信デバイス３００が無線充電送信デバイス２００の無線充電送信領域に位置していると判断するよう構成される。
【００５２】
通信モジュール２０５は、無線充電送信デバイス２００と無線充電受信デバイス３００との間でのデータ送信を実現するよう構成される。任意選択で、通信モジュール２０５は、例えばＢｌｕｅｔｏｏｔｈ（登録商標）、ＷｉＦｉ、ＺｉｇＢｅｅ（登録商標）、ＲＦＩＤ、Ｌｏｒａ、またはＮＦＣなどの方式のうちの１または複数といった無線通信方式でインタラクションを実現する。
【００５３】
制御モジュール２０３は、送信パラメータを構成し、無線充電の開始および停止を制御するよう構成される。さらに、送信パラメータを構成することは、無線充電送信電力を構成すること、または無線充電権を構成することのうちの少なくとも１つを含む。さらに、無線充電送信電力を構成することは、充電要求と適合するエネルギー信号の出力を保証するよう、取得された無線充電要求にしたがって、送信変換回路の電圧、電流、または周波数のうちの少なくとも１つを調整することである。無線充電権を構成することは、無線充電受信デバイスに優先権を設定することである。優先権は、無線充電送信デバイスの充電時間、充電効率、充電率、または充電モードのうちの少なくとも１つに対応する。
【００５４】
送信モジュール２０２は、外部電源１００によって入力された電気エネルギーをエネルギー信号に変換し、エネルギー信号を出力するよう構成される。さらに、エネルギー信号は、電気エネルギーを変換することによって取得される、電気エネルギーに変換し戻され得る中間的なエネルギーである。さらに、送信モジュールは、力率補正ユニット、インバータユニット、変圧ユニット、および送信アンテナを含む。さらに、外部電源１００によって入力された電気エネルギーが交流電気エネルギーであるとき、力率補正ユニットは、送信回路における高調波成分を低減し、力率値を増大させるよう構成される。外部電源１００によって入力された電気エネルギーが直流電気エネルギーであるとき、変圧ユニットは、入力された直流電気エネルギーを交流電気エネルギーに変換するよう構成される。インバータユニットは、力率補正ユニットまたは変圧ユニットによって出力された交流電気エネルギーを高周波交流電気エネルギーに変換し、電力送信アンテナに高周波交流を出力するよう構成される。送信アンテナは、インバータユニットによって入力された高周波交流電気エネルギーをエネルギー信号に変換し、エネルギー信号を出力するよう構成される。任意選択で、受信アンテナは、有効電力および無効電力を出力するよう構成されるインダクタンス素子およびキャパシタ素子を含む。インダクタンス素子とキャパシタ素子との間の種々の接続方式にしたがって、受信アンテナは、図２に示される任意の構造を有してよい。
【００５５】
メモリ２０４は、無線充電送信デバイス２００の構成情報と、無線充電プロセスにおいて生成または受信されたデータとを格納するよう構成される。任意選択で、無線充電送信デバイス２００の構成情報は、出荷時にデフォルトで設定されるか、またはユーザによって入力される。
【００５６】
任意選択で、無線充電送信デバイス２００はさらに、ユーザ入力モジュールおよび表示モジュールを有する。さらに、表示モジュールは、無線充電プロセスに関連するパラメータをユーザに提示するよう構成される。ユーザ入力モジュールは、無線充電に関連する命令およびパラメータをユーザが入力するよう構成される。
【００５７】
任意選択で、無線充電送信デバイス２００は、スマートオフィスデスクまたは車両などのインテリジェント製品に統合される。
【００５８】
無線充電受信デバイス３００は、受信モジュール３０１、バッテリモジュール３０２、制御モジュール３０３、充電ポリシモジュール３０４、第１の記憶モジュール３０５、第２の記憶モジュール３０６、通信モジュール３０７、ステータスモニタリングモジュール３０８、および接続モジュール３０９を有する。
【００５９】
接続モジュール３０９は、無線充電受信デバイス３００が無線充電送信デバイス２００に接続されていると判断するよう構成される。さらに、接続モジュール３０９は、機能適合ユニットおよび位置整合ユニットを含む。機能適合ユニットは、無線充電受信デバイス３００の少なくとも１つの無線充電通信プロトコルが無線充電送信デバイス２００の無線充電通信プロトコルとうまく適合すると判断するよう構成される。位置整合ユニットは、無線充電送信デバイス２００が無線充電受信デバイス３００の無線充電受信領域に位置していると判断するよう構成される。
【００６０】
ステータスモニタリングモジュール３０８は、第１の環境パラメータ、第１のステータスパラメータ、または第１の過去の記録のうちの少なくとも１つを取得するよう構成される。第１の環境パラメータは、無線充電受信デバイス３００が位置している環境の地理的位置、温度、湿度、高度、または時間のうちの少なくとも１つを含む。第１のステータスパラメータは、無線充電受信デバイス３００のバッテリレベル、温度、電圧、またはエネルギー消費率のうちの少なくとも１つを含む。第１の過去の記録は、無線充電受信デバイス３００の以前の無線充電データ記録である。
【００６１】
充電ポリシモジュール３０４は、取得された第１の環境パラメータ、第１のステータスパラメータ、または第１の過去の記録のうちの少なくとも１つに基づいて無線充電要求を設定するよう構成される。任意選択で、無線充電要求を設定するとき、充電ポリシモジュールは、無線充電送信デバイス２００の構成情報、関連する環境パラメータ、ステータスパラメータ、または過去の充電の記録のうちの１または複数を参照する。任意選択で、無線充電要求は、無線充電受信デバイスによって要求される充電バッテリレベル、充電電流、充電電圧、充電速度、または充電電力のうちの１または複数に対応するパラメータ値であってよい。
【００６２】
通信モジュール３０７は、無線充電送信デバイス２００と無線充電受信デバイス３００との間でのデータ送信を実現するよう構成される。任意選択で、通信モジュール３０７は、例えばＢｌｕｅｔｏｏｔｈ（登録商標）、ＷｉＦｉ、ＺｉｇＢｅｅ（登録商標）、ＲＦＩＤ、Ｌｏｒａ、またはＮＦＣなどの方式のうちの１または複数といった無線通信方式でインタラクションを実現する。
【００６３】
受信モジュール３０１は、エネルギー信号を受信し、エネルギー信号を電気エネルギーに変換し、バッテリモジュール３０２に電気エネルギーを貯蔵するよう構成される。任意選択で、受信モジュール３０１は、少なくとも受信アンテナおよび変換ユニットを含む。受信アンテナは、エネルギー信号を受信し、エネルギー信号を交流電気エネルギーに変換するよう構成される。変換ユニットは、受信アンテナによって入力された交流電気エネルギーを直流電気エネルギーに変換し、バッテリモジュールに直流電気エネルギーを送信するよう構成される。任意選択で、受信アンテナは、無線充電送信デバイス２００によって送信された有効電力および無効電力を受信するよう構成され得るインダクタンス素子およびキャパシタ素子を含む。インダクタンス素子とキャパシタ素子との間の種々の接続方式にしたがって、受信アンテナは図２に示される任意の構造を有してよい。
【００６４】
バッテリモジュール３０２は、受信モジュール３０１によって入力された電気エネルギーを貯蔵するよう構成される。バッテリモジュール３０２はまた、無線充電受信デバイス３００に電力を供給するよう構成される。さらに、バッテリモジュール３０２は再充電可能バッテリである。任意選択で、バッテリモジュール３０２は、再充電可能リチウムバッテリ、金属空気バッテリ、またはリチウム硫黄バッテリである。
【００６５】
制御モジュール３０３は、受信パラメータを構成し、無線充電の開始および停止を制御するよう構成される。さらに、受信パラメータを構成することは、バッテリモジュール３０２に適用可能な電気エネルギーを出力するよう、無線充電要求にしたがって、受信変換回路の電圧、電流、または周波数のうちの少なくとも１つを調整することである。
【００６６】
第１の記憶モジュール３０５は、無線充電受信デバイス３００の構成情報を格納するよう構成される。任意選択で、無線充電受信デバイス３００の構成情報は、出荷時にデフォルトで設定されるか、またはユーザによって入力される。
【００６７】
第２の記憶モジュール３０６は、無線充電プロセスにおいて生成または受信されたデータを格納するよう構成される。
【００６８】
任意選択で、第１の記憶モジュール３０５および第２の記憶モジュール３０６は、同じメモリに統合される。
【００６９】
任意選択で、無線充電受信デバイス３００はさらに、ユーザ入力モジュール３１０および表示モジュール３１１を有する。さらに、表示モジュールは、無線充電プロセスに関連するパラメータをユーザに提示するよう構成される。ユーザ入力モジュールは、無線充電に関連する命令およびパラメータをユーザが入力するよう構成される。
【００７０】
外部電源１００は、電源入力モジュール２０１を使用することによって無線充電送信デバイス２００に接続され、無線充電送信デバイス２００に電気エネルギーを入力する。さらに、無線充電送信デバイス２００の電源入力モジュール２０１は、外部電源１００によって入力された電気エネルギーを受信し、受信した電気エネルギーを送信モジュール２０２に送信する。送信モジュール２０２は、入力された電気エネルギーを処理する、つまり、入力された電気エネルギーをエネルギー信号に変換する。任意選択で、外部電源１００によって入力された電気エネルギーが交流電気エネルギーであるとき、送信モジュール２０２の力率補正ユニットは、システムによって入力された電流の位相が送電網の電圧の位相と一致することを保証するよう交流電気エネルギーを処理し、システムの高調波成分を低減し、力率値を増大させて、システムの送電網への汚染を低減し、セキュリティおよび信頼性を向上させる。任意選択で、力率補正ユニットはさらに、より低いレベルの要求にしたがって電圧を低減してよい。送信モジュール２０２の電圧インバータユニットは、力率補正ユニットによって出力された電圧を高周波交流電圧に変換し、送信モジュール２０２の送信アンテナに高周波交流電気エネルギーを送信してよい。送信アンテナは、コイルを使用することによって、高周波交流電気エネルギーを磁場の磁場エネルギーに変換する。任意選択で、外部電源１００によって入力された電気エネルギーが直流電気エネルギーであるとき、送信モジュール２０２の電圧変換ユニットは、入力された直流電気エネルギーを交流電気エネルギーに変換する。インバータユニットは、電圧変換ユニットによって取得された電気エネルギーを高周波電気エネルギーに変換し、送信モジュール２０２の送信アンテナに高周波電気エネルギーを送信する。送信アンテナは、コイルを使用することによって、高周波電気エネルギーを磁場の磁場エネルギーに変換する。
【００７１】
任意選択で、無線充電受信デバイス３００の接続モジュール３０９は、無線充電受信デバイス３００が既に無線充電送信デバイス２００に接続されていると判断する。任意選択で、無線充電送信デバイス２００の接続モジュール２０６は、無線充電送信デバイス２００が既に無線充電受信デバイス３００に接続されていると判断する。任意選択で、無線充電受信デバイス３００の接続モジュール３０９は、無線充電受信デバイス３００が既に無線充電送信デバイス２００に接続されていると判断し、かつ、無線充電送信デバイス２００の接続モジュール２０６は、無線充電送信デバイス２００が既に無線充電受信デバイス３００に接続されていると判断する。
【００７２】
無線充電送信デバイス２００は、通信モジュール２０５を使用することによって、無線充電受信デバイス３００の通信モジュール３０７に接続され、通信モジュール３０７とデータを交換する。例えば、無線充電要求は、無線充電受信デバイス３００によって無線充電送信デバイス２００に送信され、無線充電送信デバイス２００の構成情報は、無線充電受信デバイス３００に送信される。
【００７３】
無線充電送信デバイス２００は、無線充電デバイス３００によって送られた無線充電要求を受信し、制御モジュール２０３を使用することによって無線充電要求にしたがって送信パラメータを調整し、次に、送信モジュール２０２を使用することによって送信パラメータに基づいて電気エネルギーをエネルギー信号に変換する。無線充電受信デバイス３００は、無線充電送信デバイス２００によって送信されたエネルギー信号を、受信モジュール３０１を使用することによって受信する。
【００７４】
本発明のこの実施形態において、無線充電受信デバイスは、無線充電受信デバイスのモニタリングされた使用環境、ステータスパラメータ、または過去の充電の記録のうちの１または複数にしたがって、パーソナライズされた無線充電要求を定め、無線充電送信デバイスは、無線充電要求にしたがって送信パラメータを調整し、無線充電受信デバイスは、無線充電要求にしたがって受信パラメータを調整する。それによって、無線充電プロセスにわたるインテリジェント制御を実現し、ユーザのパーソナライズされた充電要求を満たす。
【００７５】
本発明の一実施形態は、インテリジェント無線充電制御方法を提供する。図３に示されるように、当該方法は具体的に、以下の段階を備える。
【００７６】
Ｓ１０１０．無線充電受信デバイスと無線充電送信デバイスとを接続する。
【００７７】
さらに、無線充電受信デバイスと無線充電送信デバイスとを接続することは、無線充電機能適合および無線充電位置整合を含む。無線充電機能適合は、無線充電受信デバイスの少なくとも１つの無線充電通信プロトコルが無線充電送信デバイスの無線充電通信プロトコルとうまく適合することである。無線充電位置整合は、無線充電送信デバイスが無線充電受信デバイスの無線充電受信領域に位置していることである。
【００７８】
任意選択で、無線充電位置整合を判断するためにセンサが使用される。例えば、無線充電送信領域に配置された無線充電受信デバイスがあるかどうかを検出するために赤外線センサが使用され、無線充電送信領域に配置された無線充電受信デバイスがあるかどうかを、超音波送信位置と超音波受信位置との間の距離を比較することによって判断するために超音波センサが使用され、または、無線充電送信領域に配置された無線充電受信デバイスがあるかどうかを、圧力の感知を使用することによって判断するために圧力センサが使用される。同様に、このことは、無線充電受信領域に位置する無線充電送信デバイスがあるかどうかを判断するために、無線充電受信デバイスに適用可能であり得る。
【００７９】
Ｓ１０２０．無線充電受信デバイスが、第１の環境パラメータ、第１のステータスパラメータ、または第１の過去の記録のうちの少なくとも１つを取得する。ここで、第１の環境パラメータは、第１のデバイスが位置している環境の地理的位置、温度、湿度、高度、または時間のうちの少なくとも１つを含み、第１のステータスパラメータは、第１のデバイスのバッテリレベル、温度、電圧、またはエネルギー消費率のうちの少なくとも１つを含み、第１の過去の記録は、第１のデバイスの以前の無線充電データ記録である。
【００８０】
Ｓ１０３０．無線充電受信デバイスが、第１の環境パラメータ、第１のステータスパラメータ、または第１の過去の記録のうちの少なくとも１つにしたがって無線充電要求を設定する。任意選択で、無線充電要求は、無線充電受信デバイスによって要求される充電バッテリレベル、充電電流、充電電圧、充電速度、または充電電力のうちの１または複数に対応するパラメータ値であってよい。任意選択で、無線充電送信デバイスによって送られる構成情報または無線充電送信デバイスのステータスパラメータが取得される。さらに、無線充電要求を設定するとき、無線充電受信デバイスは、接続された無線充電送信デバイスの構成情報または無線充電送信デバイスのステータスパラメータを参照する。さらに、１より多くの接続された無線充電送信デバイスがある場合、充電のために、無線充電送信デバイスの構成情報または無線充電送信デバイスのステータスにしたがって、一無線充電送信デバイスが選択されてよい。
【００８１】
Ｓ１０４０．無線充電受信デバイスが、無線充電送信デバイスに無線充電要求を送信する。
【００８２】
任意選択で、無線充電受信デバイスは、無線通信を使用することによって無線充電送信デバイスに無線充電要求を送信する。
【００８３】
Ｓ１０５０．無線充電送信デバイスが、充電の必要がある無線充電受信デバイスによって送られた無線充電要求を受信する。
【００８４】
Ｓ１０６０．無線充電送信デバイスが、無線充電要求にしたがって送信パラメータを構成する。
【００８５】
さらに、送信パラメータを構成する段階は、無線充電送信電力を構成する段階、または無線充電権を構成する段階のうちの少なくとも１つを含む。無線充電送信電力を構成する段階は、無線充電要求と適合するエネルギー信号の出力を保証するよう、無線充電要求にしたがって、送信変換回路の電圧、電流、または周波数のうちの少なくとも１つを調整する段階である。無線充電権を構成する段階は、無線充電受信デバイスに優先権を設定する段階である。優先権は、無線充電送信デバイスの充電時間、充電効率、充電率、または充電モードのうちの少なくとも１つに対応する。
【００８６】
Ｓ１０７０．無線充電送信デバイスが、無線充電開始命令を生成し、無線充電受信デバイスに無線充電命令を送り、エネルギー信号の送信を開始する。ここで、エネルギー信号は、電気エネルギーを変換することによって取得される、電気エネルギーに変換し戻され得る中間的なエネルギーを示す。
【００８７】
Ｓ１０８０．無線充電受信デバイスが、無線充電開始命令を受信した後、エネルギー信号の受信を開始する。
【００８８】
Ｓ１０９０．無線充電受信デバイスが、無線充電停止命令を生成し、無線充電送信デバイスに無線充電停止命令を送り、エネルギー信号の受信を停止する。
【００８９】
さらに、無線充電受信デバイスは、無線充電受信デバイスの第２のステータスパラメータをトレースおよびモニタリングする。第２のステータスパラメータは、無線充電受信デバイスの充電されたバッテリのレベル、充電電圧、充電電流、充電電力、充電コスト、または温度のうちの少なくとも１つを含む。無線充電受信デバイスは、第２のステータスパラメータまたはユーザによって入力された終了命令にしたがって、無線充電停止命令を生成する。
【００９０】
Ｓ１１００．無線充電送信デバイスが、無線充電停止命令を受信した後、エネルギー信号の送信を停止する。
【００９１】
本発明のこの実施形態において、無線充電受信デバイスは、無線充電受信デバイスのモニタリングされた使用環境、ステータスパラメータ、または過去の充電の記録のうちの１または複数にしたがって、パーソナライズされた無線充電要求を定め、無線充電送信デバイスは、無線充電要求にしたがって送信パラメータを調整し、無線充電受信デバイスは、無線充電要求にしたがって受信パラメータを調整する。それによって、無線充電プロセスにわたるインテリジェント制御を実現し、ユーザのパーソナライズされた充電要求を満たす。
【００９２】
本発明の一実施形態は、無線充電受信デバイスをインテリジェントに制御するための方法を提供する。図４に示されるように、当該方法は具体的に、以下の段階を備える。
【００９３】
Ｓ２０１０．無線充電受信デバイスが無線充電送信デバイスに接続されていると判断する。
【００９４】
さらに、無線充電受信デバイスが無線充電送信デバイスに接続されていると判断することは、無線充電機能適合および無線充電位置整合を有する。
【００９５】
無線充電機能適合は、無線充電受信デバイスの少なくとも１つの無線充電通信プロトコルが無線充電送信デバイスの無線充電通信プロトコルとうまく適合することである。
【００９６】
無線充電位置整合は、無線充電送信デバイスが無線充電受信デバイスの無線充電受信領域に位置していることである。任意選択で、無線充電位置整合を判断するためにセンサが使用される。例えば、無線充電受信領域に位置する無線充電送信デバイスがあるかどうかを検出するために赤外線センサが使用され、無線充電受信領域に位置する無線充電送信デバイスがあるかどうかを、超音波送信位置と超音波受信位置との間の距離を比較することによって判断するために超音波センサが使用され、または、無線充電受信領域に位置する無線充電送信デバイスがあるかどうかを、圧力の感知を使用することによって判断するために圧力センサが使用される。
【００９７】
Ｓ２０２０．第１の環境パラメータ、第１のステータスパラメータ、または第１の過去の記録のうちの少なくとも１つを取得する。
【００９８】
さらに、第１の環境パラメータは、無線充電受信デバイスが位置している環境の地理的位置、温度、湿度、高度、または時間のうちの少なくとも１つを含む。
【００９９】
第１のステータスパラメータは、無線充電受信デバイスのバッテリレベル、温度、電圧、またはエネルギー消費率のうちの少なくとも１つを含む。
【０１００】
第１の過去の記録は、無線充電受信デバイスの以前の無線充電データ記録である。
【０１０１】
Ｓ２０３０．第１の環境パラメータ、第１のステータスパラメータ、または第１の過去の記録のうちの少なくとも１つにしたがって無線充電要求を設定する。
【０１０２】
任意選択で、無線充電要求は、無線充電受信デバイスによって要求される充電バッテリレベル、充電電流、充電電圧、充電速度、または充電電力のうちの１または複数に対応するパラメータ値であってよい。任意選択で、無線充電送信デバイスによって送られる構成情報または無線充電送信デバイスのステータスパラメータが取得される。さらに、無線充電要求を設定するとき、無線充電受信デバイスは、接続された無線充電送信デバイスの構成情報または無線充電送信デバイスのステータスパラメータを参照する。さらに、１より多くの接続された無線充電送信デバイスがある場合、充電のために、無線充電送信デバイスの構成情報または無線充電送信デバイスのステータスにしたがって、一無線充電送信デバイスが選択されてよい。
【０１０３】
Ｓ２０４０．無線充電送信デバイスに無線充電要求を送信する。
【０１０４】
Ｓ２０５０．エネルギー信号の受信を開始する。ここで、エネルギー信号は、電気エネルギーを変換することによって取得される、電気エネルギーに変換し戻され得る中間的なエネルギーである。
【０１０５】
さらに、無線充電送信デバイスによってフィードバックされた無線充電開始命令が受信された後、エネルギー信号を受信する段階が開始される。
【０１０６】
Ｓ２０６０．エネルギー信号の受信を停止する。
【０１０７】
さらに、無線充電受信デバイスの第２のステータスパラメータがトレースおよびモニタリングされる。
【０１０８】
無線充電停止命令が、第２のステータスパラメータまたはユーザによって入力された終了命令にしたがって生成される。第２のステータスパラメータは、無線充電受信デバイスの充電されたバッテリのレベル、充電電圧、充電電流、充電電力、充電コスト、または温度のうちの少なくとも１つを含む。
【０１０９】
無線充電停止命令は、無線充電送信デバイスに送信され、エネルギー信号の受信が停止される。
【０１１０】
任意選択で、エネルギー信号は、磁場エネルギーまたは準静電場エネルギーである。
【０１１１】
本発明のこの実施形態において、無線充電受信デバイスは、無線充電受信デバイスのモニタリングされた使用環境、ステータスパラメータ、または過去の充電の記録のうちの１または複数にしたがって、パーソナライズされた無線充電要求を定め、無線充電送信デバイスに無線充電要求を送り、次に、無線充電送信デバイスの無線充電開始命令を受信した後、エネルギー信号の受信を開始する。無線充電受信デバイスは、無線充電送信デバイスとインタラクトする。したがって、無線充電プロセスにわたるインテリジェント制御を実現でき、ユーザのパーソナライズされた充電要求を満たすことができる。
【０１１２】
本発明の一実施形態は、無線充電送信デバイスをインテリジェントに制御するための方法を提供する。図５に示されるように、当該方法は具体的に、以下の段階を備える。
【０１１３】
Ｓ３０１０．無線充電送信デバイスが無線充電受信デバイスに接続されていると判断する。
【０１１４】
さらに、無線充電送信デバイスが無線充電送信デバイスに接続されていると判断することは、無線充電機能適合および無線充電位置整合を有する。
【０１１５】
無線充電機能適合は、無線充電受信デバイスの少なくとも１つの無線充電通信プロトコルが無線充電送信デバイスの無線充電通信プロトコルとうまく適合することである。
【０１１６】
無線充電位置整合は、無線充電送信デバイスが無線充電受信デバイスの無線充電受信領域に位置していることである。任意選択で、無線充電位置整合を判断するためにセンサが使用される。例えば、無線充電送信領域に配置された無線充電受信デバイスがあるかどうかを検出するために赤外線センサが使用され、無線充電送信領域に配置された無線充電受信デバイスがあるかどうかを、超音波送信位置と超音波受信位置との間の距離を比較することによって判断するために超音波センサが使用され、または、無線充電送信領域に配置された無線充電受信デバイスがあるかどうかを、圧力の感知を使用することによって判断するために圧力センサが使用される。
【０１１７】
Ｓ３０２０．無線充電受信デバイスの無線充電要求を取得する。
【０１１８】
Ｓ３０３０．無線充電要求にしたがって送信パラメータを構成する。
【０１１９】
さらに、送信パラメータを構成する段階は、無線充電送信電力を構成する段階または無線充電権を構成する段階のうちの少なくとも１つを有する。無線充電送信電力を構成する段階は、無線充電要求と適合するエネルギー信号の出力を保証するよう、無線充電要求にしたがって、送信変換回路の電圧、電流、または周波数のうちの少なくとも１つを調整する段階である。無線充電権を構成する段階は、無線充電受信デバイスに優先権を設定する段階である。優先権は、無線充電送信デバイスの充電時間、充電効率、充電率、または充電モードのうちの少なくとも１つに対応する。
【０１２０】
Ｓ３０４０．エネルギー信号の送信を開始する。ここで、エネルギー信号は、電気エネルギーを変換することによって取得される、電気エネルギーに変換し戻され得る中間的なエネルギーである。
【０１２１】
さらに、エネルギー信号の送信を開始する段階は、送信パラメータを構成する段階が完了した後、無線充電送信デバイスが、無線充電開始命令を生成する段階と、無線充電受信デバイスに無線充電を送信し、エネルギー信号の送信を開始する段階とを有する。
【０１２２】
Ｓ３０５０．エネルギー信号の送信を停止する。
【０１２３】
さらに、エネルギー信号の送信を停止する段階は、無線充電受信デバイスによってフィードバックされた無線充電停止命令を受信した後、エネルギー信号の送信を停止する段階である。
【０１２４】
任意選択で、無線充電送信デバイスの構成情報が、無線充電受信デバイスに送られる。任意選択で、無線充電送信デバイスの構成情報は、出荷時にデフォルトで設定されるか、またはユーザによってカスタマイズされる。
【０１２５】
任意選択で、無線充電送信デバイスのステータスパラメータが取得され、取得された無線充電送信デバイスのステータスパラメータは、無線充電受信デバイスに送られる。さらに、ステータスパラメータは、無線充電送信デバイスのバッテリレベル、温度、電圧、またはエネルギー消費率のうちの少なくとも１つを含む。
【０１２６】
任意選択で、エネルギー信号は、磁場エネルギーまたは準静電場エネルギーである。
【０１２７】
本発明のこの実施形態において、無線充電送信デバイスは、エネルギー信号の送信を開始する段階の前に、無線充電受信デバイスによって送られた無線充電要求を受信し、無線充電要求にしたがって送信パラメータを調整する。したがって、無線充電プロセスにわたるインテリジェント制御を実現でき、ユーザのパーソナライズされた充電要求を満たすことができる。
【０１２８】
本発明の一実施形態は、無線充電受信デバイスを提供する。図６に示されるように、当該デバイス、つまり、無線充電受信デバイス３００は、受信モジュール３００１、バッテリモジュール３００２、制御モジュール３００３、充電ポリシモジュール３００４、第１の記憶モジュール３００５、第２の記憶モジュール３００６、通信モジュール３００７、ステータスモニタリングモジュール３００８、および接続モジュール３００９を備える。
【０１２９】
接続モジュール３００９は、無線充電受信デバイス３０００が外部の無線充電送信デバイスに接続されていると判断するよう構成される。さらに、接続モジュール３００９は、機能適合ユニットおよび位置整合ユニットを有する。機能適合ユニットは、無線充電受信デバイス３０００の少なくとも１つの無線充電通信プロトコルが、外部の無線充電送信デバイスの無線充電通信プロトコルとうまく適合すると判断するよう構成される。位置整合ユニットは、外部の無線充電送信デバイスが無線充電受信デバイス３０００の無線充電受信領域に位置していると判断するよう構成される。
【０１３０】
ステータスモニタリングモジュール３００８は、第１の環境パラメータ、第１のステータスパラメータ、または第１の過去の記録のうちの少なくとも１つを取得するよう構成される。第１の環境パラメータは、無線充電受信デバイス３０００が位置している環境の地理的位置、温度、湿度、高度、または時間のうちの少なくとも１つを含む。第１のステータスパラメータは、無線充電受信デバイス３０００のバッテリレベル、温度、電圧、またはエネルギー消費率のうちの少なくとも１つを含む。第１の過去の記録は、無線充電受信デバイス３０００の以前の無線充電データ記録である。
【０１３１】
充電ポリシモジュール３００４は、取得された第１の環境パラメータ、第１のステータスパラメータ、または第１の過去の記録のうちの少なくとも１つに基づいて無線充電要求を設定するよう構成される。任意選択で、無線充電要求を設定するとき、充電ポリシモジュールは、外部の無線充電送信デバイスの構成情報、関連する環境パラメータ、ステータスパラメータ、または過去の充電の記録のうちの１または複数を参照する。任意選択で、無線充電要求は、無線充電受信デバイスによって要求される充電バッテリレベル、充電電流、充電電圧、充電速度、または充電電力のうちの１または複数に対応するパラメータ値であってよい。
【０１３２】
通信モジュール３００７は、外部の無線充電送信デバイスと無線充電受信デバイス３０００との間でのデータ送信を実現するよう構成される。任意選択で、通信モジュール３００７は、例えばＢｌｕｅｔｏｏｔｈ（登録商標）、ＷｉＦｉ、ＺｉｇＢｅｅ（登録商標）、ＲＦＩＤ、Ｌｏｒａ、またはＮＦＣなどの方式のうちの１または複数といった無線通信方式でインタラクションを実現する。
【０１３３】
受信モジュール３００１は、エネルギー信号を受信し、エネルギー信号を電気エネルギーに変換し、バッテリモジュール３００２に電気エネルギーを貯蔵するよう構成される。任意選択で、受信モジュール３００１は、少なくとも受信アンテナおよび変換ユニットを含む。受信アンテナは、エネルギー信号を受信し、エネルギー信号を交流電気エネルギーに変換するよう構成される。変換ユニットは、受信アンテナによって入力された交流電気エネルギーを直流電気エネルギーに変換し、バッテリモジュールに直流電気エネルギーを送信するよう構成される。任意選択で、受信アンテナは、外部の無線充電送信デバイスによって送信された有効電力および無効電力を受信するよう構成され得るインダクタンス素子およびキャパシタ素子を含む。インダクタンス素子とキャパシタ素子との間の種々の接続方式にしたがって、受信アンテナは、図２に示される任意の構造を有してよい。
【０１３４】
バッテリモジュール３００２は、受信モジュール３００１によって入力された電気エネルギーを貯蔵するよう構成される。バッテリモジュール３００２はまた、無線充電受信デバイス３０００に電力を供給するよう構成される。さらに、バッテリモジュール３００２は、再充電可能バッテリである。任意選択で、バッテリモジュール３００２は、再充電可能リチウムバッテリ、金属空気バッテリ、またはリチウム硫黄バッテリである。
【０１３５】
制御モジュール３００３は、受信パラメータを構成し、無線充電の開始および停止を制御するよう構成される。さらに、受信パラメータを構成することは、バッテリモジュール３００２に適用可能な電気エネルギーを出力するよう、無線充電要求にしたがって、受信変換回路の電圧、電流、または周波数のうちの少なくとも１つを調整することである。
【０１３６】
第１の記憶モジュール３００５は、無線充電受信デバイス３０００の構成情報を格納するよう構成される。任意選択で、無線充電受信デバイス３０００の構成情報は、出荷時にデフォルトで設定されるか、またはユーザによって入力される。
【０１３７】
第２の記憶モジュール３００６は、無線充電プロセスにおいて生成または受信されたデータを格納するよう構成される。
【０１３８】
任意選択で、第１の記憶モジュール３００５および第２の記憶モジュール３００６は、同じメモリに統合される。
【０１３９】
任意選択で、無線充電受信デバイス３０００はさらに、ユーザ入力モジュール３０１０および表示モジュール３０１１を有する。さらに、表示モジュールは、無線充電プロセスに関連するパラメータをユーザに提示するよう構成される。ユーザ入力モジュールは、無線充電に関連する命令およびパラメータをユーザが入力するよう構成される。
【０１４０】
任意選択で、無線充電受信デバイス３０００は、インテリジェント端末または電気車両に統合される。
【０１４１】
本発明のこの実施形態において、無線充電受信デバイスは、ステータスモニタリングモジュールを使用することによって、無線充電受信デバイスの使用環境、ステータスパラメータ、および過去の充電の記録を取得し、充電ポリシモジュールを使用することによって、使用環境、ステータスパラメータ、または過去の充電の記録のうちの１または複数にしたがって、パーソナライズされた無線充電要求を定め、次に、無線充電送信デバイスに無線充電要求を送り、通信モジュールを使用することによって無線充電送信デバイスとインタラクトする。したがって、無線充電プロセスにわたるインテリジェント制御を実現でき、ユーザのパーソナライズされた充電要求を満たすことができる。
【０１４２】
本発明の一実施形態は、無線充電送信デバイス２０００を提供する。図７に示されるように、当該デバイスは、電源入力モジュール２００１、送信モジュール２００２、制御モジュール２００３、メモリ２００４、通信モジュール２００５、および接続モジュール２００６を備える。
【０１４３】
電源入力モジュール２００１は、無線充電送信デバイス２０００と外部電源とを接続し、外部電源によって入力された電気エネルギーを受信するよう構成される。
【０１４４】
接続モジュール２００６は、無線充電送信デバイス２０００が、外部の無線充電受信デバイスに接続されると判断するよう構成される。さらに、接続モジュール２００６は、機能適合ユニットおよび位置整合ユニットを有する。機能適合ユニットは、外部の無線充電受信デバイスの少なくとも１つの無線充電通信プロトコルが無線充電送信デバイス２０００の無線充電通信プロトコルとうまく適合すると判断するよう構成される。位置整合ユニットは、外部の無線充電受信デバイスが無線充電送信デバイス２０００の無線充電送信領域に位置していると判断するよう構成される。
【０１４５】
通信モジュール２００５は、無線充電送信デバイス２０００と外部の無線充電受信デバイスとの間でのデータ送信を実現するよう構成される。任意選択で、通信モジュール２００５は、例えばＢｌｕｅｔｏｏｔｈ（登録商標）、ＷｉＦｉ、ＺｉｇＢｅｅ（登録商標）、ＲＦＩＤ、Ｌｏｒａ、またはＮＦＣなどの方式のうちの１または複数といった無線通信方式でインタラクションを実現する。
【０１４６】
制御モジュール２００３は、送信パラメータを構成し、無線充電の開始および停止を制御するよう構成される。さらに、送信パラメータを構成することは、無線充電送信電力を構成すること、または無線充電権を構成することのうちの少なくとも１つを含む。さらに、無線充電送信電力を構成することは、充電要求と適合するエネルギー信号の出力を保証するよう、取得された無線充電要求にしたがって、送信変換回路の電圧、電流、または周波数のうちの少なくとも１つを調整することである。無線充電権を構成することは、無線充電受信デバイスに優先権を設定することである。優先権は、無線充電送信デバイスの充電時間、充電効率、充電率、または充電モードのうちの少なくとも１つに対応する。
【０１４７】
送信モジュール２００２は、外部電源によって入力された電気エネルギーをエネルギー信号に変換し、エネルギー信号を出力するよう構成される。さらに、エネルギー信号は、電気エネルギーを変換することによって取得される、電気エネルギーに変換し戻され得る中間的なエネルギーである。さらに、送信モジュールは、力率補正ユニット、インバータユニット、変圧ユニット、および送信アンテナを含む。さらに、外部電源によって入力された電気エネルギーが交流電気エネルギーであるとき、力率補正ユニットは、送信回路における高調波成分を低減し、力率値を増大させるよう構成される。外部電源によって入力された電気エネルギーが直流電気エネルギーであるとき、変圧ユニットは、入力された直流電気エネルギーを交流電気エネルギーに変換するよう構成される。インバータユニットは、力率補正ユニットまたは変圧ユニットによって出力された交流電気エネルギーを高周波交流電気エネルギーに変換し、電力送信アンテナに高周波交流を出力するよう構成される。送信アンテナは、インバータユニットによって入力された高周波交流電気エネルギーをエネルギー信号に変換し、エネルギー信号を出力するよう構成される。任意選択で、受信アンテナは、有効電力および無効電力を出力するよう構成されるインダクタンス素子およびキャパシタ素子を含む。インダクタンス素子とキャパシタ素子との間の種々の接続方式にしたがって、受信アンテナは、図２に示される任意の構造を有してよい。
【０１４８】
メモリ２００４は、無線充電送信デバイス２０００の構成情報と、無線充電プロセスにおいて生成または受信されたデータとを格納するよう構成される。任意選択で、無線充電送信デバイス２０００の構成情報は、出荷時にデフォルトで設定されるか、またはユーザによって入力される。
【０１４９】
任意選択で、無線充電送信デバイス２０００はさらに、ステータスモニタリングモジュールを備える。ステータスモニタリングモジュールは、無線充電送信デバイス２０００のステータスパラメータ、使用環境、充電記録、および同様のものを取得するよう構成される。
【０１５０】
任意選択で、無線充電送信デバイス２０００はさらに、表示モジュール２００８およびユーザ入力モジュール２００９を備える。表示モジュール２００８は、無線充電プロセスに関連するパラメータをユーザに提示するよう構成される。ユーザ入力モジュール２００９は、無線充電に関連する命令およびパラメータをユーザが入力するよう構成される。
【０１５１】
本発明のこの実施形態において、無線充電送信デバイスは、エネルギー信号の送信を開始する前に、無線充電受信デバイスによって送られた無線充電要求を受信し、無線充電要求にしたがって送信パラメータを調整する。したがって、無線充電プロセスにわたるインテリジェント制御を実現でき、ユーザのパーソナライズされた充電要求を満たすことができる。
【０１５２】
本発明の一実施形態は端末を提供する。図８に示されるように、端末４０００は、バッテリモジュール４００１、受信モジュール４００２、送信モジュール４００３、充電ポリシモジュール４００４、制御モジュール４００５、ステータスモニタリングモジュール４００６、第２の記憶モジュール４００７、通信モジュール４００８、第１の記憶モジュール４００９、および接続モジュール４０１０を備える。
【０１５３】
任意選択で、端末４０００はさらに、ユーザ入力モジュール４０１１および表示モジュール４０１２を備える。
【０１５４】
バッテリモジュール４００１は、受信モジュール４００２によって入力された電気エネルギーを貯蔵するよう構成される。バッテリモジュール４００１はまた、端末４０００に電力を供給するよう構成される。さらに、バッテリモジュール４００１は、再充電可能バッテリである。任意選択で、バッテリモジュール４００１は、再充電可能リチウムバッテリ、金属空気バッテリ、またはリチウム硫黄バッテリである。
【０１５５】
受信モジュール４００２は、エネルギー信号を受信し、エネルギー信号を電気エネルギーに変換し、バッテリモジュール４００１に電気エネルギーを貯蔵する。任意選択で、受信モジュール４００２は、少なくとも受信アンテナおよび変換ユニットを有する。受信アンテナは、エネルギー信号を受信し、エネルギー信号を交流電気エネルギーに変換するよう構成される。変換ユニットは、受信アンテナによって入力された交流電気エネルギーを直流電気エネルギーに変換し、バッテリモジュールに直流電気エネルギーを送信するよう構成される。任意選択で、受信アンテナは、外部の無線充電送信デバイスによって送信された有効電力および無効電力を受信するよう構成され得るインダクタンス素子およびキャパシタ素子を含む。インダクタンス素子とキャパシタ素子との間の種々の接続方式にしたがって、受信アンテナは、図２に示される任意の構造を有してよい。
【０１５６】
送信モジュール４００３は、バッテリモジュール４００１によって入力された電気エネルギーをエネルギー信号に変換し、エネルギー信号を出力するよう構成される。エネルギー信号は、電気エネルギーを変換することによって取得される、電気エネルギーに変換し戻され得る中間的なエネルギーである。
【０１５７】
さらに、送信モジュール４００３は、インバータユニット、変圧ユニット、および送信アンテナを有する。さらに、変圧ユニットは、バッテリモジュール４００１によって入力された電気エネルギーを交流電気エネルギーに変換するよう構成される。インバータユニットは、変圧ユニットによって出力された交流電気エネルギーを高周波交流電気エネルギーに変換し、電力送信アンテナに高周波交流を出力するよう構成される。送信アンテナは、インバータユニットによって入力された高周波交流電気エネルギーをエネルギー信号に変換し、エネルギー信号を出力するよう構成される。任意選択で、受信アンテナは、有効電力および無効電力を出力するよう構成されるインダクタンス素子およびキャパシタ素子を含む。インダクタンス素子とキャパシタ素子との間の種々の接続方式にしたがって、受信アンテナは、図２に示される任意の構造を有してよい。
【０１５８】
制御モジュール４００５は、受信パラメータを構成し、送信パラメータを構成し、無線充電の開始および停止を制御するよう構成される。
【０１５９】
さらに、受信パラメータを構成することは、バッテリモジュール４００２に適用可能な電気エネルギーを出力するよう、充電ポリシモジュールによって設定された第１の無線充電要求にしたがって、受信変換回路の電圧、電流、または周波数のうちの少なくとも１つを調整することである。
【０１６０】
さらに、送信パラメータを構成することは、無線充電送信電力を構成すること、または無線充電権を構成することのうちの少なくとも１つを含む。無線充電送信電力を構成することは、第２の充電要求と適合するエネルギー信号の出力を保証するよう、外部の無線充電受信デバイスによって設定された、取得された第２の無線充電要求にしたがって、送信変換回路の電圧、電流、または周波数のうちの少なくとも１つを調整することである。無線充電権を構成することは、外部の無線充電受信デバイスに優先権を設定することである。優先権は、端末４０００の充電時間、充電効率、充電率、または充電モードのうちの少なくとも１つに対応する。
【０１６１】
ステータスモニタリングモジュール４００６は、第１の環境パラメータ、第１のステータスパラメータ、または第１の過去の記録のうちの少なくとも１つを取得するよう構成される。第１の環境パラメータは、端末４０００が位置している環境の地理的位置、温度、湿度、高度、または時間のうちの少なくとも１つを含む。第１のステータスパラメータは、端末４０００のバッテリレベル、温度、電圧、またはエネルギー消費率のうちの少なくとも１つを含む。第１の過去の記録は、端末４０００の以前の無線充電データ記録である。
【０１６２】
充電ポリシモジュール４００４は、取得された第１の環境パラメータ、第１のステータスパラメータ、または第１の過去の記録のうちの少なくとも１つに基づいて無線充電要求を設定するよう構成される。任意選択で、無線充電要求を設定するとき、充電ポリシモジュールは、外部の無線充電送信デバイスの構成情報、関連する環境パラメータ、ステータスパラメータ、または過去の充電の記録のうちの１または複数を参照する。任意選択で、無線充電要求は、無線充電受信デバイスによって要求される充電バッテリレベル、充電電流、充電電圧、充電速度、または充電電力のうちの１または複数に対応するパラメータ値であってよい。
【０１６３】
第２の記憶モジュール４００７は、無線充電プロセスにおいて生成または取得されたデータを格納するよう構成される。
【０１６４】
通信モジュール４００８は、端末４０００と、外部の無線充電送信デバイスまたは外部の無線充電受信デバイスとの間でインタラクションを実行するよう構成される。任意選択で、通信モジュール４００８は、例えばＢｌｕｅｔｏｏｔｈ（登録商標）、ＷｉＦｉ、ＺｉｇＢｅｅ（登録商標）、ＲＦＩＤ、Ｌｏｒａ、またはＮＦＣなどの方式のうちの１または複数といった無線通信方式でインタラクションを実現する。
【０１６５】
第１の記憶モジュール４００９は、端末４０００の構成情報を格納するよう構成される。さらに、端末４０００の構成情報は、出荷時にデフォルトで設定されるか、またはユーザによってカスタマイズされる。
【０１６６】
接続モジュール４０１０は、端末４０００が外部の無線充電送信デバイスまたは外部の無線充電受信デバイスに接続されていると判断するよう構成される。さらに、接続モジュール４０１０は、機能適合ユニットおよび位置整合ユニットを有する。機能適合ユニットは、端末４０００の少なくとも１つの無線充電通信プロトコルが外部の無線充電送信デバイスまたは外部の無線充電受信デバイスの無線充電通信プロトコルとうまく適合すると判断するよう構成される。位置整合ユニットは、外部の無線充電送信デバイスまたは外部の無線充電受信デバイスが端末４０００の無線充電領域に位置していると判断するよう構成される。さらに、無線充電領域は、無線充電受信領域および無線充電送信領域を含む。
【０１６７】
本発明のこの実施形態において、ステータスモニタリングモジュールは、端末の使用環境、ステータスパラメータ、および過去の充電の記録などのデータを取得し、充電ポリシモジュールは、ステータスモニタリングモジュールによって検出されたデータにしたがって無線充電要求を設定し、特定された無線充電要求を外部の無線充電送信デバイスに送り、これにより、無線充電要求と適合する無線充電を取得する。無線充電は、無線充電要求に基づいて開始され、無線充電送信側が、無線充電受信側とインタラクトする。したがって、無線充電プロセスにわたるインテリジェント制御を実現でき、ユーザのパーソナライズされた要求を満たすことができる。
【０１６８】
本発明の一実施形態は、モバイル端末の無線充電を実行するための方法を提供する。図９に示されるように、当該方法は具体的に、以下の段階を備える。
【０１６９】
Ｓ４０１０．モバイル端末が、外部の無線充電送信デバイスの無線充電送信領域に入り、モバイル端末の接続モジュールが、モバイル端末が外部の無線充電送信デバイスに接続されていると判断する。
【０１７０】
Ｓ４０２０．モバイル端末が、外部の無線充電送信デバイスによって送られた構成情報を受信し、モバイル端末は、受信された外部の無線充電送信デバイスの構成情報にしたがって外部の無線充電送信デバイスを識別する。識別を使用することによってセキュアでない無線充電送信デバイスへの接続が回避されるのみならず、外部の無線充電デバイスのタイプを識別すること、例えば、無線充電送信デバイスが無線充電器または無線充電送信デバイスを統合した別の端末であると識別することによって充電要求が設定されもする。さらに、外部の無線充電送信デバイスの構成情報は、型式、ブランド、タイプ、電力パラメータ、サポートされるモード、またはサービスプロバイダなどのデバイス属性情報のうちの１または複数であってよい。
【０１７１】
Ｓ４０３０．モバイル端末のステータスモニタリングモジュールが、モバイル端末の使用環境、ステータスパラメータ、および過去の充電の記録を取得する。
【０１７２】
Ｓ４０４０．充電ポリシモジュールが、使用環境、ステータスパラメータ、および過去の充電の記録にしたがって、かつ、無線充電送信デバイスのタイプを参照することによって無線充電要求を設定する。
【０１７３】
具体的には、例えば、モバイル端末用に構成されたバッテリ容量は制限されるので、バッテリ寿命は比較的短い。この場合、充電速度は、ユーザの重要な充電体験要求である。外部で接続された無線充電デバイスは無線充電器であるとモバイル端末が判断したとき、無線充電器は、より多くの無線充電タイプをサポートでき、より広い無線充電電力範囲を有するので、モバイル端末は、充電速度が最適である充電モードを取得し得る。使用環境、過去の充電の記録、およびステータスパラメータは、充電速度を判断するために使用されてよい。例えば、モバイル端末は、モバイル端末に配置されたセンサを使用することによって当該環境における位置情報およびシナリオ情報を取得してよく、または、接続された無線充電器を識別することによって位置情報を取得してよい。環境情報は、ユーザの充電の意図と関連付けられてよい。例えば、ユーザが家にいるとき、またはオフィスにいるとき、ユーザには通常、充電のために長い時間をかけられる。この場合、最適充電速度要求は遅い充電モードまたは標準の充電モードであり、これにより、高速充電によって引き起こされる電荷放射（ｃｈａｒｇｅ  ｒａｄｉａｔｉｏｎ）、充電加熱、およびバッテリ充電寿命の低減のリスクを回避する。ユーザがコーヒー店、レストラン、またはショッピングモールなどの外の未知のシナリオにあるとき、ユーザには充電のために短い時間しかない。この場合、最適充電速度要求は高速充電モードであり、これにより、モバイル端末のバッテリ寿命を迅速に増やすという要求を満たす。さらに、環境情報がユーザの充電の意図とより正確に関連付けられることを保証するよう、ユーザの充電の意図は、現在の環境におけるモバイル端末の過去の充電データに基づいて比較および修正されてよい。モバイル端末の過去の充電データは、ユーザが種々の期間、種々の位置、または種々のシナリオなどの種々の環境にあるときモバイル端末の充電習慣モデルを確立して、充電習慣モデルを使用することによって現在の環境における充電の意図を判断するための、モバイル端末によって記録された過去のデータであってよい。ここでは詳細は説明しない。例えば、モバイル端末がスターバックス（登録商標）コーヒー店にあるとき、およびモバイル端末が無線充電用の無線充電器に接続されているとき、モバイル端末は、ストレージ、ネットワークストレージ、またはクラウドストレージから当該位置におけるユーザの習慣情報を読み出してスターバックス（登録商標）コーヒー店におけるユーザの普段の滞在時間を取得し、さらに無線充電の継続時間情報を判断し、これにより、要求される最適充電速度要求を取得してよい。ユーザが以前にスターバックス（登録商標）コーヒー店に行ったことがない場合、モバイル端末はさらに別の同様のシナリオにおけるユーザの充電習慣を読み出して充電の意図を判断してよく、これにより、最適充電速度要求を取得する。
【０１７４】
さらに、モバイル端末の間違った適応的判断を回避するために、無線充電速度要求はさらに、ユーザ入力インタラクション方式で取得または判断されてよい。つまり、モバイル端末が外部の充電器に接続されているとき、ユーザ通知入力ウィンドウが現れて、ユーザに対して充電パラメータ情報（充電バッテリレベル、充電時間、充電電圧、充電電流、および同様のもの）を入力するよう促し、これにより、無線充電速度要求を取得または修正する。
【０１７５】
一方、外部の無線充電送信デバイスが別のモバイル端末デバイスであるとき、無線充電バッテリレベル要求はデバイス間のネゴシエーションによって判断される。外部の無線充電送信デバイスが別のモバイル端末デバイスであるとき、モバイル端末デバイスのために構成されるバッテリ容量は比較的制限されるので、Ｄ２Ｄ無線充電プロセスでは、重要な充電体験要求は無線充電バッテリレベル要求であり、放電するデバイスの通常の動作がＤ２Ｄ充電の後影響を受けないと判断される。
【０１７６】
無線充電バッテリレベル要求は、Ｄ２Ｄ通信ネゴシエーションによって判断されてよい。具体的に、モバイル端末は、ネゴシエーションのために、外部の放電するモバイル端末に無線充電バッテリレベル要求を送ってよく、または、放電するモバイル端末デバイスは、放電バッテリレベルを直接設定する。
【０１７７】
Ｓ４０５０．無線充電送信デバイスに無線充電要求を送る。任意選択で、充電要求情報は具体的に、無線充電プロセスにおいてモバイル端末によって判断される充電速度または充電バッテリレベルであってよい。
【０１７８】
Ｓ４０６０．無線充電要求が適合するかどうかを判断する。無線充電送信デバイスは、無線充電要求における充電モードがサポートされるかどうかを判断するために、受信されたモバイル端末の無線充電要求にしたがって適合を実行し、モバイル端末に適合結果をフィードバックする。例えば、無線充電送信デバイスは、高速充電をサポートするという送信電力要求を充電器が満たすかどうかを、充電速度要求にしたがって判断する。送信電力が高速充電をサポートできると無線充電送信デバイスが判断したとき、充電要求はうまく適合し、無線充電は引き続き実行され、そうでないときは、充電要求は適合に失敗し、Ｓ４０４０に戻って無線充電要求を再び判断する。
【０１７９】
Ｓ４０７０．無線充電の受信を開始し、無線充電が始まる。
【０１８０】
モバイル端末は、モバイル端末の受信モジュールを、モバイル端末の制御モジュールを使用することによって制御して外部のエネルギー信号を直流電気エネルギーに変換し、直流電気エネルギーをモバイル端末のバッテリに貯蔵する。
【０１８１】
Ｓ４０８０．無線充電が終了したかどうかを、リアルタイムでモバイル端末のステータスモニタリングモジュールによってモニタリングされたステータスパラメータにしたがって判断する。モバイル端末は、充電が終了したかどうかを、充電バッテリレベル、充電電圧、充電電流、充電温度、充電コスト、またはユーザの終了命令のうちの１または複数にしたがって判断する。充電が終了したとモバイル端末が判断した後、通信モジュールを使用することによって無線充電送信デバイスに無線充電終了命令が送られ、受信モジュールは無効にされる。
【０１８２】
本発明のこの実施形態において、モバイル端末は、外部の無線充電送信デバイスとインタラクトし、使用環境、ステータスパラメータ、過去の無線充電の記録、または外部の充電送信デバイスの構成情報のうちの１または複数にしたがって無線充電要求を設定し、外部の無線充電送信デバイスに無線充電要求を送る。したがって、無線充電プロセスにわたるインテリジェント制御を実現でき、ユーザのパーソナライズされた要求を満たすことができる。
【０１８３】
最後に、前述の実施形態は本発明の技術的解決手段を説明することを意図したものに過ぎず、本発明を限定することを意図したものではないことに留意されたい。本発明が前述の実施形態に関連して詳細に説明されているが、当業者であれば、本発明の実施形態の技術的解決手段の範囲から逸脱することなく、さらに、前述の実施形態において説明された技術的解決手段に対して修正を加え得ること、またはそれらの一部または全部の技術的特徴に対して同等の置き換えを行い得ることを当業者は理解すべきである。
【図１】
2019506113.tif 000003
【図２】
2019506113.tif 000004
【図３】
2019506113.tif 000005
【図４】
2019506113.tif 000006
【図５】
2019506113.tif 000007
【図６】
2019506113.tif 000008
【図７】
2019506113.tif 000009
【図８】
2019506113.tif 000010
【図９】
2019506113.tif 000011
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
無線充電受信デバイスをインテリジェントに制御するための方法であって、
第１の環境パラメータ、第１のステータスパラメータ、または第１の過去の記録のうちの少なくとも１つを前記無線充電受信デバイスが取得する段階であって、前記第１の環境パラメータは、前記無線充電受信デバイスが位置している環境の地理的位置、温度、湿度、または高度のうちの少なくとも１つを含み、前記第１のステータスパラメータは、前記無線充電受信デバイスのバッテリレベル、温度、電圧、またはエネルギー消費率のうちの少なくとも１つを含み、前記第１の過去の記録は、前記無線充電受信デバイスの以前の無線充電データ記録である、段階と、
前記第１の環境パラメータ、前記第１のステータスパラメータ、または前記第１の過去の記録のうちの少なくとも１つにしたがって無線充電要求を設定する段階であって、前記無線充電要求は、無線充電電圧、無線充電電流、無線充電電力、無線充電速度、無線充電バッテリレベル、無線充電時間、無線充電コスト、または同様のもののうちの少なくとも１つを含む、段階と、
無線充電送信デバイスに前記無線充電要求を送る段階と、
エネルギー信号を受信する段階であって、前記エネルギー信号は、前記無線充電要求にしたがって電気エネルギーを変換することによって前記無線充電送信デバイスによって取得される、前記無線充電受信デバイスによって前記電気エネルギーに変換し戻され得るエネルギーを示す、段階と、
前記無線充電要求またはユーザ命令にしたがって無線充電停止命令を生成し、前記無線充電送信デバイスに前記無線充電停止命令を送る段階と
を備える方法。
【請求項２】
前記第１の環境パラメータ、前記第１のステータスパラメータ、または前記第１の過去の記録のうちの少なくとも１つにしたがって無線充電要求を設定する前記段階の前に、前記無線充電受信デバイスの少なくとも１つの無線充電通信プロトコルが前記無線充電送信デバイスの無線充電通信プロトコルとうまく適合すると判断する段階
をさらに備える
請求項１に記載の方法。
【請求項３】
前記第１の環境パラメータ、前記第１のステータスパラメータ、または前記第１の過去の記録のうちの少なくとも１つにしたがって無線充電要求を設定する前記段階の前に、前記無線充電送信デバイスが前記無線充電受信デバイスの無線充電受信領域に位置していると判断する段階
をさらに備える
請求項１または２に記載の方法。
【請求項４】
無線充電停止命令を生成し、前記無線充電送信デバイスに前記無線充電停止命令を送る前記段階は、
前記無線充電受信デバイスの第２のステータスパラメータをモニタリングする段階であって、前記第２のステータスパラメータは、前記無線充電受信デバイスの充電されたバッテリのレベル、充電電圧、充電電流、充電電力、充電コスト、または同様のもののうちの少なくとも１つを含む、段階と、
前記第２のステータスパラメータと前記無線充電要求との間の比較にしたがって、またはユーザによって入力された終了命令にしたがって、前記無線充電停止命令を生成する段階と、
前記エネルギー信号の受信を停止し、前記無線充電送信デバイスに前記無線充電停止命令を送る段階とを有する、
請求項１から３のいずれか一項に記載の方法。
【請求項５】
前記第１の環境パラメータ、前記第１のステータスパラメータ、または前記第１の過去の記録のうちの少なくとも１つにしたがって無線充電要求を設定する前記段階の前に、前記無線充電送信デバイスによって送られた構成情報を取得する段階をさらに備え、
前記構成情報は、出荷時にデフォルトで設定されるか、またはユーザによってカスタマイズされ、前記構成情報は、前記無線充電送信デバイスの型式、ブランド、タイプ、電力パラメータ、サポートされるモード、またはサービスプロバイダのうちの少なくとも１つを含む、
請求項１から４のいずれか一項に記載の方法。
【請求項６】
無線充電送信デバイスをインテリジェントに制御するための方法であって、
無線充電受信デバイスの無線充電要求を取得する段階であって、前記無線充電要求は、無線充電電圧、無線充電電流、無線充電電力、無線充電速度、無線充電バッテリレベル、無線充電時間、無線充電コスト、または同様のもののうちの少なくとも１つを含む、段階と、
前記無線充電要求にしたがって送信パラメータを構成する段階と、
エネルギー信号を送信する段階であって、前記エネルギー信号は、前記送信パラメータに基づいて電気エネルギーを変換することによって前記無線充電送信デバイスによって取得される、前記無線充電受信デバイスによって前記電気エネルギーに変換し戻され得るエネルギーを示す、段階と、
前記無線充電受信デバイスによって送られた無線充電停止命令を受信し、前記エネルギー信号の送信を停止する段階と
を備える方法。
【請求項７】
無線充電受信デバイスの無線充電要求を取得する前記段階の前に、前記無線充電送信デバイスの少なくとも１つの無線充電通信プロトコルが前記無線充電受信デバイスの無線充電通信プロトコルとうまく適合すると判断する段階
をさらに備える
請求項６に記載の方法。
【請求項８】
無線充電受信デバイスの無線充電要求を取得する前記段階の前に、前記無線充電受信デバイスが前記無線充電送信デバイスの無線充電送信領域に位置していると判断する段階
をさらに備える
請求項６または７に記載の方法。
【請求項９】
前記無線充電要求にしたがって送信パラメータを構成する前記段階は、無線充電送信電力を構成する段階または無線充電権を構成する段階のうちの少なくとも１つを有し、
無線充電送信電力を構成する前記段階は、前記エネルギー信号の出力が前記無線充電要求と適合することを保証するよう、前記無線充電要求にしたがって、送信変換回路の電圧、電流、または周波数のうちの少なくとも１つを調整する段階であり、
無線充電権を構成する前記段階は、前記無線充電要求にしたがって前記無線充電受信デバイスに優先権を設定する段階であって、前記優先権は、前記無線充電送信デバイスの充電時間、充電効率、充電率、または充電モードのうちの少なくとも１つに対応する、段階である、
請求項６から８のいずれか一項に記載の方法。
【請求項１０】
無線充電受信デバイスの無線充電要求を取得する前記段階の前に、前記無線充電受信デバイスに前記無線充電送信デバイスの構成情報を送る段階をさらに備え、
前記構成情報は、出荷時にデフォルトで設定されるか、またはユーザによってカスタマイズされ、前記構成情報は、前記無線充電送信デバイスの型式、ブランド、タイプ、電力パラメータ、サポートされるモード、またはサービスプロバイダのうちの少なくとも１つを含む、
請求項６から９のいずれか一項に記載の方法。
【請求項１１】
少なくともステータスモニタリングモジュール、充電ポリシモジュール、通信モジュール、受信モジュール、制御モジュール、バッテリモジュール、第１の記憶モジュール、および第２の記憶モジュールを備える無線充電受信デバイスであって、
前記ステータスモニタリングモジュールは、第１の環境パラメータ、第１のステータスパラメータ、または第１の過去の記録のうちの少なくとも１つを取得し、前記第１の環境パラメータは、前記無線充電受信デバイスが位置している環境の地理的位置、温度、湿度、または高度のうちの少なくとも１つを含み、前記第１のステータスパラメータは、前記無線充電受信デバイスのバッテリレベル、温度、電圧、またはエネルギー消費率のうちの少なくとも１つを含み、前記第１の過去の記録は、前記無線充電受信デバイスの以前の無線充電データ記録であり、
前記充電ポリシモジュールは、前記ステータスモニタリングモジュールによって取得される前記第１の環境パラメータ、前記第１のステータスパラメータ、または前記第１の過去の記録のうちの少なくとも１つに基づいて無線充電要求を設定し、前記無線充電要求は、無線充電電圧、無線充電電流、無線充電電力、無線充電速度、無線充電バッテリレベル、無線充電時間、無線充電コスト、または同様のもののうちの少なくとも１つを含み、
前記通信モジュールは、無線充電送信デバイスとデータを交換し、
前記受信モジュールは、エネルギー信号を受信し、前記エネルギー信号を電気エネルギーに変換し、前記バッテリモジュールに前記電気エネルギーを貯蔵し、前記エネルギー信号は、前記無線充電要求にしたがって前記電気エネルギーを変換することによって前記無線充電送信デバイスによって取得される、前記無線充電受信デバイスによって前記電気エネルギーに変換し戻され得るエネルギーを示し、
前記制御モジュールは、前記充電ポリシモジュールによって設定された前記無線充電要求にしたがって受信パラメータを構成し、前記無線充電受信デバイスの無線充電の開始および停止を制御し、
前記バッテリモジュールは、前記受信モジュールによって受信された前記電気エネルギーを貯蔵し、前記無線充電受信デバイスに電力を供給し、
前記第１の記憶モジュールは、前記無線充電受信デバイスの構成情報を格納し、
前記第２の記憶モジュールは、プロセスデータを格納する、
デバイス。
【請求項１２】
機能適合モジュールをさらに備え、
前記機能適合モジュールは、前記無線充電受信デバイスの少なくとも１つの無線充電通信プロトコルが前記無線充電送信デバイスの無線充電通信プロトコルとうまく適合すると判断する、
請求項１１に記載のデバイス。
【請求項１３】
位置整合モジュールをさらに備え、
前記位置整合モジュールは、前記無線充電送信デバイスが前記無線充電受信デバイスの無線充電受信領域に位置していると判断する、
請求項１１または１２に記載のデバイス。
【請求項１４】
前記受信モジュールは、少なくとも受信アンテナおよび変換ユニットを有し、
前記受信アンテナは、前記エネルギー信号を受信し、前記エネルギー信号を交流電気エネルギーに変換し、
前記変換ユニットは、前記受信アンテナによる変換によって取得された前記交流電気エネルギーを直流電気エネルギーに変換し、前記バッテリモジュールに前記直流電気エネルギーを送信する、
請求項１１から１３のいずれか一項に記載のデバイス。
【請求項１５】
前記変換ユニットは、整流ユニットおよび直流変換ユニットを含み、
前記整流ユニットは、前記受信アンテナによる変換によって取得された前記交流電気エネルギーを前記直流電気エネルギーに変換し、
前記直流変換ユニットは、前記整流ユニットによる変換によって取得された前記直流電気エネルギーを、一定の直流電流として前記バッテリモジュールに流入させる、
請求項１４に記載のデバイス。
【請求項１６】
前記充電ポリシモジュールによって設定された前記無線充電要求にしたがって受信パラメータを前記構成することは、前記無線充電要求にしたがって、受信変換回路の電圧、電流、または周波数のうちの少なくとも１つを調整することである、
請求項１１から１５のいずれか一項に記載のデバイス。
【請求項１７】
少なくとも電源入力モジュール、通信モジュール、制御モジュール、送信モジュール、第１の記憶モジュール、および第２の記憶モジュールを備える無線充電送信デバイスであって、
前記電源入力モジュールは、外部電源によって入力された電気エネルギーを取得し、
前記通信モジュールは、無線充電受信デバイスとデータを交換し、前記無線充電受信デバイスによって設定された無線充電要求を受信し、前記無線充電要求は、無線充電電圧、無線充電電流、無線充電電力、無線充電速度、無線充電バッテリレベル、無線充電時間、無線充電コスト、または同様のもののうちの少なくとも１つを含み、
前記制御モジュールは、前記通信モジュールによって受信された前記無線充電要求に応じて送信パラメータを構成し、前記無線充電送信デバイスの無線充電の開始および停止を制御し、
前記送信モジュールは、前記電源入力モジュールによって取得された前記電気エネルギーを前記送信パラメータに基づいてエネルギー信号に変換し、前記エネルギー信号を出力し、前記エネルギー信号は、前記無線充電要求にしたがって前記電気エネルギーを変換することによって前記無線充電送信デバイスによって取得される、前記無線充電受信デバイスによって前記電気エネルギーに変換し戻され得るエネルギーを示し、
前記第１の記憶モジュールは、前記無線充電送信デバイスの構成情報を格納し、
前記第２の記憶モジュールは、プロセスデータを格納する、
デバイス。
【請求項１８】
機能適合モジュールをさらに備え、
前記機能適合モジュールは、前記無線充電送信デバイスの少なくとも１つの無線充電通信プロトコルが前記無線充電受信デバイスの無線充電通信プロトコルとうまく適合すると判断する、
請求項１７に記載のデバイス。
【請求項１９】
位置整合モジュールをさらに備え、
前記位置整合モジュールは、前記無線充電受信デバイスが前記無線充電送信デバイスの無線充電送信領域に位置していると判断する、
請求項１７または１８に記載のデバイス。
【請求項２０】
前記送信モジュールは、力率補正ユニット、インバータユニット、変圧ユニット、および送信アンテナを有し、
前記外部電源によって入力された前記電気エネルギーが交流電気エネルギーであるとき、前記力率補正ユニットは、送信回路における高調波成分を低減し、力率値を増大させ、
前記外部電源によって入力された前記電気エネルギーが直流電気エネルギーであるとき、前記変圧ユニットは、前記入力された直流電気エネルギーを交流電気エネルギーに変換し、
前記インバータユニットは、前記力率補正ユニットまたは前記変圧ユニットによって出力された前記交流電気エネルギーを高周波交流電気エネルギーに変換し、前記送信アンテナに前記高周波交流電気エネルギーを出力し、
前記送信アンテナは、前記インバータユニットによって入力された前記高周波交流電気エネルギーを前記エネルギー信号に変換し、前記エネルギー信号を出力する、
請求項１７から１９のいずれか一項に記載のデバイス。
【請求項２１】
前記通信モジュールによって受信された前記無線充電要求にしたがって送信パラメータを前記構成することは、無線充電送信電力を構成することまたは無線充電権を構成することのうちの少なくとも１つを含み、
無線充電送信電力を前記構成することは、前記無線充電要求と適合する前記エネルギー信号の出力を保証するよう、前記通信モジュールによって受信された前記無線充電要求にしたがって、送信変換回路の電圧、電流、または周波数のうちの少なくとも１つを調整することであり、
無線充電権を前記構成することは、前記通信モジュールによって受信された前記無線充電要求にしたがって前記無線充電受信デバイスに優先権を設定することであり、前記優先権は、前記無線充電送信デバイスの充電時間、充電効率、充電率、または充電モードのうちの少なくとも１つに対応する、
請求項１７から２０のいずれか一項に記載のデバイス。
【請求項２２】
ステータスモニタリングモジュールをさらに備え、
前記ステータスモニタリングモジュールは、第２の環境パラメータ、第２のステータスパラメータ、および第２の過去の記録を取得し、前記第２の環境パラメータは、前記無線充電送信デバイスが位置している環境の地理的位置、温度、湿度、高度、または時間のうちの少なくとも１つを含み、前記第２のステータスパラメータは、前記無線充電送信デバイスのバッテリレベル、温度、電圧、またはエネルギー消費率のうちの少なくとも１つを含み、前記第２の過去の記録は、前記無線充電送信デバイスの以前の無線充電データ記録である、
請求項１７から２１のいずれか一項に記載のデバイス。
【請求項２３】
プロセッサおよびメモリを備える無線充電受信端末であって、前記メモリは、プログラム可能命令を格納し、前記プロセッサは、前記メモリに格納された前記プログラム可能命令を呼び出して、請求項１から１０のいずれか一項に記載の方法を実行する、
無線充電受信端末。
【請求項２４】
請求項１から１０のいずれか一項に記載の方法をコンピュータに実行させるためのプログラム。
【手続補正２】
【補正対象書類名】明細書
【補正対象項目名】全文
【補正方法】変更
【補正の内容】
【発明の詳細な説明】
【技術分野】
【０００１】
本発明は、エネルギー分野に関し、特には、インテリジェント無線充電制御方法およびデバイスに関する。
【背景技術】
【０００２】
バッテリ技術の発達は、インテリジェントモバイル端末および電気自動車産業等の発達の促進において極めて重要な役割を担う。しかしながら、バッテリ技術は継続的に向上しているので、充電問題がバッテリ技術の急速な発達を制限する重大な問題の１つになっている。近年、充電問題を解決するために無線充電技術が相当に開発され、実際に、異なる要求を満たす様々な無線充電製品が継続的に生み出されている。
【０００３】
現在、無線充電としては、電磁誘導伝送モード、電波伝送モード、および磁気共鳴伝送モードという３つの伝送モードがあり得る。電波伝送モードは、低い送信電力、高いエネルギー消費、および低い実現可能性を特徴としている。概して、実際の適用では、電磁誘導伝送モードまたは磁気共鳴伝送モードが無線充電製品に通常使用される。
【０００４】
無線充電技術の発達および規格の推進に伴い、無線充電製品は、技術タイプ、標準プロトコル、およびベンダ設計等に応じてより多様に設計される。例えば、スターバックス（登録商標）、イケア（登録商標）、およびハイアール（登録商標）はすべてその製品またはサービスの中に無線充電デバイスを統合しており、それは例えばスターバックス（登録商標）の無線充電器を備えたコーヒーテーブル、イケア（登録商標）の無線充電を備えたスマート家庭製品、および、ハイアール（登録商標）のスマートキッチンおよびスマートオフィスデスクなどであり、ユーザ体験を大いに改善している。しかしながら、無線充電制御技術は、異なる形態の無線充電製品の継続的な増加、およびデバイスツーデバイス（Ｄ２Ｄ）無線充電技術の発達に伴い、突破口を見出していない。既存の無線充電制御方法は未だにシンプルなものである。例えば、無線充電の停止を制御するために容量閾値が設定される。このことは、多様な無線充電製品の制御のための要求およびユーザのパーソナライズのための要求を満たすことができない。その結果、無線充電技術のユーザ体験は良いものとは言えない。
【発明の概要】
【０００５】
前述の問題を解決するべく、本発明は、無線充電受信デバイスをインテリジェントに制御するための方法およびデバイスと、無線充電送信デバイスをインテリジェントに制御するための方法およびデバイスとを提供する。無線充電要求が、無線充電受信デバイスの環境パラメータ、ステータスパラメータ、または過去の充電の記録のうちの少なくとも１つにしたがって設定され、無線充電要求に基づいて無線充電プロセスが制御される。このようにして、無線充電プロセスにわたるインテリジェント制御を実現でき、無線充電製品のユーザ体験を改善できる。
【０００６】
第１態様は、無線充電受信デバイスをインテリジェントに制御するための方法を提供する。当該方法は、第１の環境パラメータ、第１のステータスパラメータ、または第１の過去の記録のうちの少なくとも１つを取得する段階であって、第１の環境パラメータは、無線充電受信デバイスが位置している環境の地理的位置、温度、湿度、高度、または時間のうちの少なくとも１つを含み、第１のステータスパラメータは、無線充電受信デバイスのバッテリレベル、温度、電圧、またはエネルギー消費率のうちの少なくとも１つを含み、第１の過去の記録は、無線充電受信デバイスの以前の無線充電データ記録である、段階と、第１の環境パラメータ、第１のステータスパラメータ、または第１の過去の記録のうちの少なくとも１つにしたがって無線充電要求を設定する段階であって、無線充電要求は、無線充電電圧、無線充電電流、無線充電電力、無線充電速度、無線充電バッテリレベル、無線充電時間、無線充電コストまたは同様のもののうちの少なくとも１つを含む、段階と、無線充電送信デバイスに無線充電要求を送る段階と、エネルギー信号を受信する段階であって、エネルギー信号は、無線充電要求にしたがって電気エネルギーを変換することによって無線充電送信デバイスによって取得される、無線充電受信デバイスによって電気エネルギーに変換し戻され得るエネルギーを示す、段階と、無線充電要求またはユーザ命令にしたがって無線充電停止命令を生成し、無線充電送信デバイスに無線充電停止命令を送る段階とを備える。
【０００７】
第１態様に関連して、第１態様の第１の可能な実装例において、第１の環境パラメータ、第１のステータスパラメータ、または第１の過去の記録のうちの少なくとも１つにしたがって無線充電要求を設定する段階の前に、当該方法はさらに、無線充電受信デバイスの少なくとも１つの無線充電通信プロトコルが無線充電送信デバイスの無線充電通信プロトコルとうまく適合すると判断する段階を備える。
【０００８】
第１態様、または第１態様の第１の可能な実装例に関連して、第１態様の第２の可能な実装例において、第１の環境パラメータ、第１のステータスパラメータ、または第１の過去の記録のうちの少なくとも１つにしたがって無線充電要求を設定する段階の前に、当該方法はさらに、無線充電送信デバイスが無線充電受信デバイスの無線充電受信領域に位置していると判断する段階を備える。
【０００９】
第１態様、第１態様の第１の可能な実装例、または第１態様の第２の可能な実装例に関連して、第１態様の第３の可能な実装例において、エネルギー信号を受信する段階は、無線充電送信デバイスによってフィードバックされた無線充電開始命令を受信した後にエネルギー信号を受信する段階である。
【００１０】
第１態様、第１態様の第１の可能な実装例、第１態様の第２の可能な実装例、または第１態様の第３の可能な実装例に関連して、第１態様の第４の可能な実装例において、無線充電停止命令を生成し、無線充電送信デバイスに無線充電停止命令を送る段階は、無線充電受信デバイスの第２のステータスパラメータをモニタリングする段階であって、第２のステータスパラメータは、無線充電受信デバイスの充電されたバッテリのレベル、充電電圧、充電電流、充電電力、充電コスト、または同様のもののうちの少なくとも１つを含む、段階と、第２のステータスパラメータと無線充電要求との間の比較にしたがって、または、ユーザによって入力された終了命令にしたがって、無線充電停止命令を生成する段階と、エネルギー信号の受信を停止し、無線充電送信デバイスに無線充電停止命令を送る段階とを有する。
【００１１】
第１態様、第１態様の第１の可能な実装例、第１態様の第２の可能な実装例、第１態様の第３の可能な実装例、または第１態様の第４の可能な実装例に関連して、第１態様の第５の可能な実装例において、第１の環境パラメータ、第１のステータスパラメータ、または第１の過去の記録のうちの少なくとも１つにしたがって無線充電要求を設定する段階の前に、当該方法はさらに、無線充電送信デバイスによって送られた構成情報を取得する段階であって、構成情報は、出荷時にデフォルトで設定されるか、またはユーザによってカスタマイズされ、構成情報は、無線充電送信デバイスの型式、ブランド、タイプ、電力パラメータ、サポートされるモード、またはサービスプロバイダのうちの少なくとも１つを含む、段階を備える。
【００１２】
第１態様、第１態様の第１の可能な実装例、第１態様の第２の可能な実装例、第１態様の第３の可能な実装例、第１態様の第４の可能な実装例、または第１態様の第５の可能な実装例に関連して、第１態様の第６の可能な実装例において、エネルギー信号は、磁場エネルギーまたは準静電場エネルギーである。
【００１３】
第２態様は、無線充電送信デバイスをインテリジェントに制御するための方法を提供する。当該方法は、無線充電受信デバイスの無線充電要求を取得する段階であって、無線充電要求は、無線充電電圧、無線充電電流、無線充電電力、無線充電速度、無線充電バッテリレベル、無線充電時間、無線充電コスト、または同様のもののうちの少なくとも１つを含む、段階と、無線充電要求にしたがって送信パラメータを構成する段階と、エネルギー信号を送信する段階であって、エネルギー信号は、送信パラメータに基づいて電気エネルギーを変換することによって無線充電送信デバイスによって取得される、無線充電受信デバイスによって電気エネルギーに変換し戻され得るエネルギーを示す、段階と、無線充電受信デバイスによって送られた無線充電停止命令を受信した後、エネルギー信号の送信を停止する段階とを備える。
【００１４】
第２態様に関連して、第２態様の第１の可能な実装例において、無線充電受信デバイスの無線充電要求を取得する段階の前に、当該方法はさらに、無線充電送信デバイスの少なくとも１つの無線充電通信プロトコルが無線充電受信デバイスの無線充電通信プロトコルとうまく適合すると判断する段階を含む。
【００１５】
第２態様、または第２態様の第１の可能な実装例に関連して、第２態様の第２の可能な実装例において、無線充電受信デバイスの無線充電要求を取得する段階の前に、当該方法はさらに、無線充電受信デバイスが無線充電送信デバイスの無線充電送信領域に位置していると判断する段階を備える。
【００１６】
第２態様、第２態様の第１の可能な実装例、または第２態様の第２の可能な実装例に関連して、第２態様の第３の可能な実装例において、無線充電要求にしたがって送信パラメータを構成する段階は、無線充電送信電力を構成する段階、または無線充電権を構成する段階のうちの少なくとも１つを有し、無線充電送信電力を構成する段階は、無線充電要求と適合するエネルギー信号の出力を保証するよう、無線充電要求にしたがって、送信変換回路の電圧、電流、または周波数のうちの少なくとも１つを調整する段階であり、無線充電権を構成する段階は、無線充電要求にしたがって無線充電受信デバイスに優先権を設定する段階であって、優先権は、無線充電送信デバイスの充電時間、充電効率、充電率、または充電モードのうちの少なくとも１つに対応する、段階である。
【００１７】
第２態様、第２態様の第１の可能な実装例、第２態様の第２の可能な実装例、または第２態様の第３の可能な実装例に関連して、第２態様の第４の可能な実装例において、エネルギー信号を送信する段階は、送信パラメータを構成する段階が完了した後に、無線充電送信デバイスが、無線充電開始命令を生成する段階と、無線充電受信デバイスに無線充電開始命令を送り、エネルギー信号を送信する段階とを有する。
【００１８】
第２態様、第２態様の第１の可能な実装例、第２態様の第２の可能な実装例、第２態様の第３の可能な実装例、または第２態様の第４の可能な実装例に関連して、第２態様の第５の可能な実装例において、エネルギー信号の送信を停止する段階は、無線充電受信デバイスによってフィードバックされた無線充電停止命令を受信した後に、エネルギー信号の送信を停止する段階である。
【００１９】
第２態様、第２態様の第１の可能な実装例、第２態様の第２の可能な実装例、第２態様の第３の可能な実装例、第２態様の第４の可能な実装例、または第２態様の第５の可能な実装例に関連して、第２態様の第６の可能な実装例において、無線充電受信デバイスの無線充電要求を取得する段階の前に、当該方法はさらに、無線充電受信デバイスに無線充電送信デバイスの構成情報を送る段階であって、構成情報は、出荷時にデフォルトで設定されるか、またはユーザによってカスタマイズされ、構成情報は、無線充電送信デバイスの型式、ブランド、タイプ、電力パラメータ、サポートされるモード、またはサービスプロバイダのうちの少なくとも１つを含む、段階を備える。
【００２０】
第２態様、第２態様の第１の可能な実装例、第２態様の第２の可能な実装例、第２態様の第３の可能な実装例、第２態様の第４の可能な実装例、第２態様の第５の可能な実装例、または第２態様の第６の可能な実装例に関連して、第２態様の第７の可能な実装例において、エネルギー信号は、磁場エネルギーまたは準静電場エネルギーである。
【００２１】
第３態様は、無線充電受信デバイスを提供する。当該デバイスは、少なくともステータスモニタリングモジュール、充電ポリシモジュール、通信モジュール、受信モジュール、制御モジュール、バッテリモジュール、第１の記憶モジュール、および第２の記憶モジュールを備え、ステータスモニタリングモジュールは、第１の環境パラメータ、第１のステータスパラメータ、または第１の過去の記録のうちの少なくとも１つを取得するよう構成され、第１の環境パラメータは、無線充電受信デバイスが位置している環境の地理的位置、温度、湿度、高度、または時間のうちの少なくとも１つを含み、第１のステータスパラメータは、無線充電受信デバイスのバッテリレベル、温度、電圧、またはエネルギー消費率のうちの少なくとも１つを含み、第１の過去の記録は、無線充電受信デバイスの以前の無線充電データ記録であり、充電ポリシモジュールは、ステータスモニタリングモジュールによって取得される第１の環境パラメータ、第１のステータスパラメータ、または第１の過去の記録のうちの少なくとも１つに基づいて無線充電要求を設定するよう構成され、無線充電要求は、無線充電電圧、無線充電電流、無線充電電力、無線充電速度、無線充電バッテリレベル、無線充電時間、無線充電コスト、または同様のもののうちの少なくとも１つを含み、通信モジュールは、無線充電送信デバイスとデータを交換するよう構成され、受信モジュールは、エネルギー信号を受信し、エネルギー信号を電気エネルギーに変換し、バッテリモジュールに電気エネルギーを貯蔵するよう構成され、エネルギー信号は、無線充電要求にしたがって電気エネルギーを変換することによって無線充電送信デバイスによって取得される、無線充電受信デバイスによって電気エネルギーに変換し戻され得るエネルギーを示し、制御モジュールは、充電ポリシモジュールによって設定された無線充電要求にしたがって受信パラメータを構成し、無線充電受信デバイスの無線充電の開始および停止を制御するよう構成され、バッテリモジュールは、受信モジュールによって受信された電気エネルギーを貯蔵し、無線充電受信デバイスに電力を供給するよう構成され、第１の記憶モジュールは、無線充電受信デバイスの構成情報を格納するよう構成され、第２の記憶モジュールは、プロセスデータを格納するよう構成される。
【００２２】
第３態様に関連して、第３態様の第１の可能な実装例において、当該デバイスはさらに、機能適合モジュールを備え、機能適合モジュールは、無線充電受信デバイスの少なくとも１つの無線充電通信プロトコルが無線充電送信デバイスの無線充電通信プロトコルとうまく適合すると判断するよう構成される。
【００２３】
第３態様、または第３態様の第１の可能な実装例に関連して、第３態様の第２の可能な実装例において、当該デバイスはさらに、位置整合モジュールを含み、位置整合モジュールは、無線充電送信デバイスが無線充電受信デバイスの無線充電受信領域に位置していると判断するよう構成される。
【００２４】
第３態様、第３態様の第１の可能な実装例、または第３態様の第２の可能な実装例に関連して、第３態様の第３の可能な実装例において、受信モジュールは、少なくとも受信アンテナおよび変換ユニットを有し、受信アンテナは、エネルギー信号を受信し、エネルギー信号を交流電気エネルギーに変換するよう構成され、変換ユニットは、受信アンテナによる変換によって取得された交流電気エネルギーを直流電気エネルギー変換し、バッテリモジュールに直流電気エネルギーを送信するよう構成される。
【００２５】
第３態様、第３態様の第１の可能な実装例、第３態様の第２の可能な実装例、または第３態様の第３の可能な実装例に関連して、第３態様の第４の可能な実装例において、変換ユニットは、整流ユニットおよび直流変換ユニットを含み、整流ユニットは、受信アンテナによる変換によって取得された交流電気エネルギーを直流電気エネルギーに変換するよう構成され、直流変換ユニットは、整流ユニットによる変換によって取得された直流電気エネルギーを一定の直流電流としてバッテリモジュールに流入させるよう構成される。
【００２６】
第３態様、第３態様の第１の可能な実装例、第３態様の第２の可能な実装例、第３態様の第３の可能な実装例、または第３態様の第４の可能な実装例に関連して、第３態様の第５の可能な実装例において、充電ポリシモジュールによって設定された無線充電要求にしたがって受信パラメータを構成することは、無線充電要求にしたがって、受信変換回路の電圧、電流、または周波数のうちの少なくとも１つを調整することである。
【００２７】
第３態様、第３態様の第１の可能な実装例、第３態様の第２の可能な実装例、第３態様の第３の可能な実装例、第３態様の第４の可能な実装例、または第３態様の第５の可能な実装例に関連して、第３態様の第６の可能な実装例において、当該デバイスはさらに、表示モジュールおよびユーザ入力モジュールを備え、表示モジュールは、ユーザに無線充電プロセスの無線充電パラメータを提示するよう構成され、ユーザ入力モジュールは、無線充電に関連する命令およびパラメータをユーザが入力するよう構成される。
【００２８】
第４態様は、無線充電送信デバイスを提供する。当該デバイスは、少なくとも電源入力モジュール、通信モジュール、制御モジュール、送信モジュール、第１の記憶モジュール、および第２の記憶モジュールを備え、電源入力モジュールは、外部電源によって入力された電気エネルギーを取得するよう構成され、通信モジュールは、無線充電受信デバイスとデータを交換し、無線充電受信デバイスによって設定された無線充電要求を受信するよう構成され、無線充電要求は、無線充電電圧、無線充電電流、無線充電電力、無線充電速度、無線充電バッテリレベル、無線充電時間、無線充電コスト、または同様のもののうちの少なくとも１つを含み、制御モジュールは、通信モジュールによって受信された無線充電要求にしたがって送信パラメータを構成し、無線充電送信デバイスの無線充電の開始および停止を制御するよう構成され、送信モジュールは、電源入力モジュールによって取得された電気エネルギーを送信パラメータに基づいてエネルギー信号に変換し、エネルギー信号を出力するよう構成され、エネルギー信号は、無線充電要求にしたがって電気エネルギーを変換することによって無線充電送信デバイスによって取得される、無線充電受信デバイスによって電気エネルギーに変換し戻され得るエネルギーを示し、第１の記憶モジュールは、無線充電送信デバイスの構成情報を格納するよう構成され、第２の記憶モジュールは、プロセスデータを格納するよう構成される。
【００２９】
第４態様に関連して、第４態様の第１の可能な実装例において、当該デバイスはさらに、機能適合モジュールを備え、機能適合モジュールは、無線充電送信デバイスの少なくとも１つの無線充電通信プロトコルが無線充電受信デバイスの無線充電通信プロトコルとうまく適合すると判断するよう構成される。
【００３０】
第４態様、または第４態様の第１の可能な実装例に関連して、第４態様の第２の可能な実装例において、当該デバイスはさらに、位置整合モジュールを含み、位置整合モジュールは、無線充電受信デバイスが無線充電送信デバイスの無線充電送信領域に位置していると判断するよう構成される。
【００３１】
第４態様、第４態様の第１の可能な実装例、または第４態様の第２の可能な実装例に関連して、第４態様の第３の可能な実装例において、送信モジュールは、力率補正ユニット、インバータユニット、変圧ユニット、および送信アンテナを有し、外部電源によって入力された電気エネルギーが交流電気エネルギーであるとき、力率補正ユニットは、送信回路における高調波成分を低減し、力率値を増大させるよう構成され、外部電源によって入力される電気エネルギーが直流電気エネルギーであるとき、変圧ユニットは、入力された直流電気エネルギーを交流電気エネルギーに変換するよう構成され、インバータユニットは、力率補正ユニットまたは変圧ユニットによって出力された交流電気エネルギーを高周波交流電気エネルギーに変換し、電力送信アンテナに高周波交流電気エネルギーを出力するよう構成され、送信アンテナは、インバータユニットによって入力された高周波交流電気エネルギーをエネルギー信号に変換し、エネルギー信号を出力するよう構成される。
【００３２】
第４態様、第４態様の第１の可能な実装例、第４態様の第２の可能な実装例、または第４態様の第３の可能な実装例に関連して、第４態様の第４の可能な実装例において、通信モジュールによって受信された無線充電要求にしたがって送信パラメータを構成することは、無線充電送信電力を構成することまたは無線充電権を構成することのうちの少なくとも１つを含み、無線充電送信電力を構成することは、充電要求に適合するエネルギー信号の出力を保証するよう、通信モジュールによって受信された無線充電要求にしたがって、送信変換回路の電圧、電流、または周波数のうちの少なくとも１つを調整することであり、無線充電権を構成することは、通信モジュールによって受信された無線充電要求にしたがって無線充電受信デバイスに優先権を設定することであり、優先権は、無線充電送信デバイスの充電時間、充電効率、充電率、または充電モードのうちの少なくとも１つに対応する。第４態様、第４態様の第１の可能な実装例、第４態様の第２の可能な実装例、第４態様の第３の可能な実装例、または第４態様の第４の可能な実装例に関連して、第４態様の第５の可能な実装例において、当該デバイスはさらに、ステータスモニタリングモジュールを備え、ステータスモニタリングモジュールは、第２の環境パラメータ、第２のステータスパラメータ、および第２の過去の記録を取得するよう構成され、第２の環境パラメータは、無線充電送信デバイスが位置している環境の地理的位置、温度、湿度、高度、または時間のうちの少なくとも１つを含み、第２のステータスパラメータは、無線充電送信デバイスのバッテリレベル、温度、電圧、またはエネルギー消費率のうちの少なくとも１つを含み、第２の過去の記録は、無線充電送信デバイスの以前の無線充電データ記録である。
【００３３】
第４態様、第４態様の第１の可能な実装例、第４態様の第２の可能な実装例、第４態様の第３の可能な実装例、または第４態様の第４の可能な実装例に関連して、第４態様の第５の可能な実装例において、当該デバイスはさらに、表示モジュールおよびユーザ入力モジュールを備え、表示モジュールは、ユーザに無線充電プロセスの無線充電パラメータを提示するよう構成され、ユーザ入力モジュールは、無線充電に関連する命令およびパラメータをユーザが入力するよう構成される。
【００３４】
第５態様は、インテリジェント無線充電制御システムを提供する。当該システムは、外部電源、無線充電受信デバイス、および無線充電送信デバイスを備え、無線充電受信デバイスは、第３態様の任意の可能な実装例のデバイスであり、無線充電送信デバイスは、第４態様の任意の可能な実装例のデバイスであり、外部電源は、無線充電送信デバイスに接続され、無線充電送信デバイスは、外部電源から電気エネルギーを取得する。
【００３５】
第６態様は、無線充電受信端末を提供する。当該端末は、通信モジュール、バッテリ、処理モジュール、および記憶モジュールを備え、通信モジュールは、無線充電送信デバイスとデータを交換するよう構成され、バッテリは、受信された電気エネルギーを貯蔵し、無線充電受信デバイスに電力を供給するよう構成され、記憶モジュールは、プログラム可能命令を格納するよう構成され、処理モジュールは、記憶モジュールに格納されたプログラム可能命令を呼び出して、第１の環境パラメータ、第１のステータスパラメータ、または第１の過去の記録のうちの少なくとも１つを取得することであって、第１の環境パラメータは、無線充電受信デバイスが位置している環境の地理的位置、温度、湿度、高度、または時間のうちの少なくとも１つを含み、第１のステータスパラメータは、無線充電受信デバイスのバッテリレベル、温度、電圧、またはエネルギー消費率のうちの少なくとも１つを含み、第１の過去の記録は、無線充電受信デバイスの以前の無線充電データ記録である、取得することと、第１の環境パラメータ、第１のステータスパラメータ、または第１の過去の記録のうちの少なくとも１つにしたがって無線充電要求を設定することであって、無線充電要求は、無線充電電圧、無線充電電流、無線充電電力、無線充電速度、無線充電バッテリレベル、無線充電時間、無線充電コスト、または同様のもののうちの少なくとも１つを含む、設定することと、無線充電送信デバイスに無線充電要求を送ることと、エネルギー信号を受信することであって、エネルギー信号は、無線充電要求にしたがって電気エネルギーを変換することによって無線充電送信デバイスによって取得される、無線充電受信デバイスによって電気エネルギーに変換し戻され得るエネルギーである、受信することと、無線充電停止命令を生成し、無線充電送信デバイスに無線充電停止命令を送ることとを実行するよう構成される。
【００３６】
第６態様に関連して、第６態様の第１の可能な実装例において、無線充電停止命令を生成し、無線充電送信デバイスに無線充電停止命令を送ることは、無線充電受信デバイスの第２のステータスパラメータをモニタリングすることであって、第２のステータスパラメータは、無線充電受信デバイスの充電されたバッテリのレベル、充電電圧、充電電流、充電電力、充電コスト、または同様のもののうちの少なくとも１つを含む、モニタリングすることと、第２のステータスパラメータと無線充電要求との間の比較にしたがって、または、ユーザによって入力された終了命令にしたがって、無線充電停止命令を生成することと、エネルギー信号の受信を停止し、無線充電送信デバイスに無線充電停止命令を送ることとを有する。
【００３７】
本発明の実施形態において、無線充電要求は、無線充電受信デバイスの環境パラメータ、ステータスパラメータ、または過去の充電の記録のうちの少なくとも１つにしたがって設定され、無線充電プロセスは、無線充電要求に基づいて制御される。したがって、無線充電プロセスにわたるインテリジェント制御を実現でき、無線充電製品のユーザ体験を改善できる。
【図面の簡単な説明】
【００３８】
【図１】本発明の一実施形態に係る無線充電システムの概略構造図である。
【００３９】
【図２】本発明の一実施形態に係る受信アンテナの概略構造図である。
【００４０】
【図３】本発明の一実施形態に係るインテリジェント無線充電制御方法のフローチャートである。
【００４１】
【図４】本発明の一実施形態に係る無線充電受信デバイスをインテリジェントに制御するための方法のフローチャートである。
【００４２】
【図５】本発明の一実施形態に係る無線充電送信デバイスをインテリジェントに制御するための方法のフローチャートである。
【００４３】
【図６】本発明の一実施形態に係る無線充電受信デバイスの概略構造図である。
【００４４】
【図７】本発明の一実施形態に係る無線充電送信デバイスの概略構造図である。
【００４５】
【図８】本発明の一実施形態に係る端末の概略構造図である。
【００４６】
【図９】本発明の一実施形態に係るモバイル端末の無線充電のフローチャートである。
【発明を実施するための形態】
【００４７】
本発明の実施形態における添付の図面に関連して、以下で本発明の実施形態における技術的解決手段を明確かつ十分に説明する。説明される実施形態が本発明の実施形態のすべてではなく一部に過ぎないことは明らかである。創造的努力なく本発明の実施形態に基づいて当業者によって得られる他のすべての実施形態は、本発明の保護範囲に当然に含まれる。
【００４８】
本発明の一実施形態は、インテリジェント無線充電制御システムを提供する。図１に示されるように、当該システムは、外部電源１００、無線充電送信デバイス２００、および無線充電受信デバイス３００を備える。任意選択で、無線充電送信デバイス２００は、端末か、または、スマートオフィスデスクまたは車両などの、無線充電送信回路を統合した製品である。無線充電受信デバイス３００は、端末か、または、インテリジェントモバイル端末または電気車両などの、無線充電受信回路を統合した製品である。
【００４９】
無線充電送信デバイス２００は、電源入力モジュール２０１、送信モジュール２０２、制御モジュール２０３、メモリ２０４、通信モジュール２０５、および接続モジュール２０６を有する。
【００５０】
電源入力モジュール２０１は、無線充電送信デバイス２００と外部電源１００とを接続し、外部電源１００によって入力された電気エネルギーを受信するよう構成される。
【００５１】
接続モジュール２０６は、無線充電送信デバイス２００が無線充電受信デバイス３００に接続されていると判断するよう構成される。さらに、接続モジュール２０６は、機能適合ユニットおよび位置整合ユニットを含む。機能適合ユニットは、無線充電受信デバイス３００の少なくとも１つの無線充電通信プロトコルが無線充電送信デバイス２００の無線充電通信プロトコルとうまく適合すると判断するよう構成される。位置整合ユニットは、無線充電受信デバイス３００が無線充電送信デバイス２００の無線充電送信領域に位置していると判断するよう構成される。
【００５２】
通信モジュール２０５は、無線充電送信デバイス２００と無線充電受信デバイス３００との間でのデータ送信を実現するよう構成される。任意選択で、通信モジュール２０５は、例えばＢｌｕｅｔｏｏｔｈ（登録商標）、ＷｉＦｉ、ＺｉｇＢｅｅ（登録商標）、ＲＦＩＤ、Ｌｏｒａ、またはＮＦＣなどの方式のうちの１または複数といった無線通信方式でインタラクションを実現する。
【００５３】
制御モジュール２０３は、送信パラメータを構成し、無線充電の開始および停止を制御するよう構成される。さらに、送信パラメータを構成することは、無線充電送信電力を構成すること、または無線充電権を構成することのうちの少なくとも１つを含む。さらに、無線充電送信電力を構成することは、充電要求と適合するエネルギー信号の出力を保証するよう、取得された無線充電要求にしたがって、送信変換回路の電圧、電流、または周波数のうちの少なくとも１つを調整することである。無線充電権を構成することは、無線充電受信デバイスに優先権を設定することである。優先権は、無線充電送信デバイスの充電時間、充電効率、充電率、または充電モードのうちの少なくとも１つに対応する。
【００５４】
送信モジュール２０２は、外部電源１００によって入力された電気エネルギーをエネルギー信号に変換し、エネルギー信号を出力するよう構成される。さらに、エネルギー信号は、電気エネルギーを変換することによって取得される、電気エネルギーに変換し戻され得る中間的なエネルギーである。さらに、送信モジュールは、力率補正ユニット、インバータユニット、変圧ユニット、および送信アンテナを含む。さらに、外部電源１００によって入力された電気エネルギーが交流電気エネルギーであるとき、力率補正ユニットは、送信回路における高調波成分を低減し、力率値を増大させるよう構成される。外部電源１００によって入力された電気エネルギーが直流電気エネルギーであるとき、変圧ユニットは、入力された直流電気エネルギーを交流電気エネルギーに変換するよう構成される。インバータユニットは、力率補正ユニットまたは変圧ユニットによって出力された交流電気エネルギーを高周波交流電気エネルギーに変換し、電力送信アンテナに高周波交流電気エネルギーを出力するよう構成される。送信アンテナは、インバータユニットによって入力された高周波交流電気エネルギーをエネルギー信号に変換し、エネルギー信号を出力するよう構成される。任意選択で、受信アンテナは、有効電力および無効電力を出力するよう構成されるインダクタンス素子およびキャパシタ素子を含む。インダクタンス素子とキャパシタ素子との間の種々の接続方式にしたがって、受信アンテナは、図２に示される任意の構造を有してよい。
【００５５】
メモリ２０４は、無線充電送信デバイス２００の構成情報と、無線充電プロセスにおいて生成または受信されたデータとを格納するよう構成される。任意選択で、無線充電送信デバイス２００の構成情報は、出荷時にデフォルトで設定されるか、またはユーザによって入力される。
【００５６】
任意選択で、無線充電送信デバイス２００はさらに、ユーザ入力モジュールおよび表示モジュールを有する。さらに、表示モジュールは、無線充電プロセスに関連するパラメータをユーザに提示するよう構成される。ユーザ入力モジュールは、無線充電に関連する命令およびパラメータをユーザが入力するよう構成される。
【００５７】
任意選択で、無線充電送信デバイス２００は、スマートオフィスデスクまたは車両などのインテリジェント製品に統合される。
【００５８】
無線充電受信デバイス３００は、受信モジュール３０１、バッテリモジュール３０２、制御モジュール３０３、充電ポリシモジュール３０４、第１の記憶モジュール３０５、第２の記憶モジュール３０６、通信モジュール３０７、ステータスモニタリングモジュール３０８、および接続モジュール３０９を有する。
【００５９】
接続モジュール３０９は、無線充電受信デバイス３００が無線充電送信デバイス２００に接続されていると判断するよう構成される。さらに、接続モジュール３０９は、機能適合ユニットおよび位置整合ユニットを含む。機能適合ユニットは、無線充電受信デバイス３００の少なくとも１つの無線充電通信プロトコルが無線充電送信デバイス２００の無線充電通信プロトコルとうまく適合すると判断するよう構成される。位置整合ユニットは、無線充電送信デバイス２００が無線充電受信デバイス３００の無線充電受信領域に位置していると判断するよう構成される。
【００６０】
ステータスモニタリングモジュール３０８は、第１の環境パラメータ、第１のステータスパラメータ、または第１の過去の記録のうちの少なくとも１つを取得するよう構成される。第１の環境パラメータは、無線充電受信デバイス３００が位置している環境の地理的位置、温度、湿度、高度、または時間のうちの少なくとも１つを含む。第１のステータスパラメータは、無線充電受信デバイス３００のバッテリレベル、温度、電圧、またはエネルギー消費率のうちの少なくとも１つを含む。第１の過去の記録は、無線充電受信デバイス３００の以前の無線充電データ記録である。
【００６１】
充電ポリシモジュール３０４は、取得された第１の環境パラメータ、第１のステータスパラメータ、または第１の過去の記録のうちの少なくとも１つに基づいて無線充電要求を設定するよう構成される。任意選択で、無線充電要求を設定するとき、充電ポリシモジュールは、無線充電送信デバイス２００の構成情報、関連する環境パラメータ、ステータスパラメータ、または過去の充電の記録のうちの１または複数を参照する。任意選択で、無線充電要求は、無線充電受信デバイスによって要求される充電バッテリレベル、充電電流、充電電圧、充電速度、または充電電力のうちの１または複数に対応するパラメータ値であってよい。
【００６２】
通信モジュール３０７は、無線充電送信デバイス２００と無線充電受信デバイス３００との間でのデータ送信を実現するよう構成される。任意選択で、通信モジュール３０７は、例えばＢｌｕｅｔｏｏｔｈ（登録商標）、ＷｉＦｉ、ＺｉｇＢｅｅ（登録商標）、ＲＦＩＤ、Ｌｏｒａ、またはＮＦＣなどの方式のうちの１または複数といった無線通信方式でインタラクションを実現する。
【００６３】
受信モジュール３０１は、エネルギー信号を受信し、エネルギー信号を電気エネルギーに変換し、バッテリモジュール３０２に電気エネルギーを貯蔵するよう構成される。任意選択で、受信モジュール３０１は、少なくとも受信アンテナおよび変換ユニットを含む。受信アンテナは、エネルギー信号を受信し、エネルギー信号を交流電気エネルギーに変換するよう構成される。変換ユニットは、受信アンテナによって入力された交流電気エネルギーを直流電気エネルギーに変換し、バッテリモジュールに直流電気エネルギーを送信するよう構成される。任意選択で、受信アンテナは、無線充電送信デバイス２００によって送信された有効電力および無効電力を受信するよう構成され得るインダクタンス素子およびキャパシタ素子を含む。インダクタンス素子とキャパシタ素子との間の種々の接続方式にしたがって、受信アンテナは図２に示される任意の構造を有してよい。
【００６４】
バッテリモジュール３０２は、受信モジュール３０１によって入力された電気エネルギーを貯蔵するよう構成される。バッテリモジュール３０２はまた、無線充電受信デバイス３００に電力を供給するよう構成される。さらに、バッテリモジュール３０２は再充電可能バッテリである。任意選択で、バッテリモジュール３０２は、再充電可能リチウムバッテリ、金属空気バッテリ、またはリチウム硫黄バッテリである。
【００６５】
制御モジュール３０３は、受信パラメータを構成し、無線充電の開始および停止を制御するよう構成される。さらに、受信パラメータを構成することは、バッテリモジュール３０２に適用可能な電気エネルギーを出力するよう、無線充電要求にしたがって、受信変換回路の電圧、電流、または周波数のうちの少なくとも１つを調整することである。
【００６６】
第１の記憶モジュール３０５は、無線充電受信デバイス３００の構成情報を格納するよう構成される。任意選択で、無線充電受信デバイス３００の構成情報は、出荷時にデフォルトで設定されるか、またはユーザによって入力される。
【００６７】
第２の記憶モジュール３０６は、無線充電プロセスにおいて生成または受信されたデータを格納するよう構成される。
【００６８】
任意選択で、第１の記憶モジュール３０５および第２の記憶モジュール３０６は、同じメモリに統合される。
【００６９】
任意選択で、無線充電受信デバイス３００はさらに、ユーザ入力モジュール３１０および表示モジュール３１１を有する。さらに、表示モジュールは、無線充電プロセスに関連するパラメータをユーザに提示するよう構成される。ユーザ入力モジュールは、無線充電に関連する命令およびパラメータをユーザが入力するよう構成される。
【００７０】
外部電源１００は、電源入力モジュール２０１を使用することによって無線充電送信デバイス２００に接続され、無線充電送信デバイス２００に電気エネルギーを入力する。さらに、無線充電送信デバイス２００の電源入力モジュール２０１は、外部電源１００によって入力された電気エネルギーを受信し、受信した電気エネルギーを送信モジュール２０２に送信する。送信モジュール２０２は、入力された電気エネルギーを処理する、つまり、入力された電気エネルギーをエネルギー信号に変換する。任意選択で、外部電源１００によって入力された電気エネルギーが交流電気エネルギーであるとき、送信モジュール２０２の力率補正ユニットは、システムによって入力された電流の位相が送電網の電圧の位相と一致することを保証するよう交流電気エネルギーを処理し、システムの高調波成分を低減し、力率値を増大させて、システムの送電網への汚染を低減し、セキュリティおよび信頼性を向上させる。任意選択で、力率補正ユニットはさらに、より低いレベルの要求にしたがって電圧を低減してよい。送信モジュール２０２の電圧インバータユニットは、力率補正ユニットによって出力された電圧を高周波交流電気エネルギー電圧に変換し、送信モジュール２０２の送信アンテナに高周波交流電気エネルギーを送信してよい。送信アンテナは、コイルを使用することによって、高周波交流電気エネルギーを磁場の磁場エネルギーに変換する。任意選択で、外部電源１００によって入力された電気エネルギーが直流電気エネルギーであるとき、送信モジュール２０２の電圧変換ユニットは、入力された直流電気エネルギーを交流電気エネルギーに変換する。インバータユニットは、電圧変換ユニットによって取得された電気エネルギーを高周波電気エネルギーに変換し、送信モジュール２０２の送信アンテナに高周波電気エネルギーを送信する。送信アンテナは、コイルを使用することによって、高周波電気エネルギーを磁場の磁場エネルギーに変換する。
【００７１】
任意選択で、無線充電受信デバイス３００の接続モジュール３０９は、無線充電受信デバイス３００が既に無線充電送信デバイス２００に接続されていると判断する。任意選択で、無線充電送信デバイス２００の接続モジュール２０６は、無線充電送信デバイス２００が既に無線充電受信デバイス３００に接続されていると判断する。任意選択で、無線充電受信デバイス３００の接続モジュール３０９は、無線充電受信デバイス３００が既に無線充電送信デバイス２００に接続されていると判断し、かつ、無線充電送信デバイス２００の接続モジュール２０６は、無線充電送信デバイス２００が既に無線充電受信デバイス３００に接続されていると判断する。
【００７２】
無線充電送信デバイス２００は、通信モジュール２０５を使用することによって、無線充電受信デバイス３００の通信モジュール３０７に接続され、通信モジュール３０７とデータを交換する。例えば、無線充電要求は、無線充電受信デバイス３００によって無線充電送信デバイス２００に送信され、無線充電送信デバイス２００の構成情報は、無線充電受信デバイス３００に送信される。
【００７３】
無線充電送信デバイス２００は、無線充電受信デバイス３００によって送られた無線充電要求を受信し、制御モジュール２０３を使用することによって無線充電要求にしたがって送信パラメータを調整し、次に、送信モジュール２０２を使用することによって送信パラメータに基づいて電気エネルギーをエネルギー信号に変換する。無線充電受信デバイス３００は、無線充電送信デバイス２００によって送信されたエネルギー信号を、受信モジュール３０１を使用することによって受信する。
【００７４】
本発明のこの実施形態において、無線充電受信デバイスは、無線充電受信デバイスのモニタリングされた使用環境、ステータスパラメータ、または過去の充電の記録のうちの１または複数にしたがって、パーソナライズされた無線充電要求を定め、無線充電送信デバイスは、無線充電要求にしたがって送信パラメータを調整し、無線充電受信デバイスは、無線充電要求にしたがって受信パラメータを調整する。それによって、無線充電プロセスにわたるインテリジェント制御を実現し、ユーザのパーソナライズされた充電要求を満たす。
【００７５】
本発明の一実施形態は、インテリジェント無線充電制御方法を提供する。図３に示されるように、当該方法は具体的に、以下の段階を備える。
【００７６】
Ｓ１０１０．無線充電受信デバイスと無線充電送信デバイスとを接続する。
【００７７】
さらに、無線充電受信デバイスと無線充電送信デバイスとを接続することは、無線充電機能適合および無線充電位置整合を含む。無線充電機能適合は、無線充電受信デバイスの少なくとも１つの無線充電通信プロトコルが無線充電送信デバイスの無線充電通信プロトコルとうまく適合することである。無線充電位置整合は、無線充電送信デバイスが無線充電受信デバイスの無線充電受信領域に位置していることである。
【００７８】
任意選択で、無線充電位置整合を判断するためにセンサが使用される。例えば、無線充電送信領域に配置された無線充電受信デバイスがあるかどうかを検出するために赤外線センサが使用され、無線充電送信領域に配置された無線充電受信デバイスがあるかどうかを、超音波送信位置と超音波受信位置との間の距離を比較することによって判断するために超音波センサが使用され、または、無線充電送信領域に配置された無線充電受信デバイスがあるかどうかを、圧力の感知を使用することによって判断するために圧力センサが使用される。同様に、このことは、無線充電受信領域に位置する無線充電送信デバイスがあるかどうかを判断するために、無線充電受信デバイスに適用可能であり得る。
【００７９】
Ｓ１０２０．無線充電受信デバイスが、第１の環境パラメータ、第１のステータスパラメータ、または第１の過去の記録のうちの少なくとも１つを取得する。ここで、第１の環境パラメータは、第１のデバイスが位置している環境の地理的位置、温度、湿度、高度、または時間のうちの少なくとも１つを含み、第１のステータスパラメータは、第１のデバイスのバッテリレベル、温度、電圧、またはエネルギー消費率のうちの少なくとも１つを含み、第１の過去の記録は、第１のデバイスの以前の無線充電データ記録である。
【００８０】
Ｓ１０３０．無線充電受信デバイスが、第１の環境パラメータ、第１のステータスパラメータ、または第１の過去の記録のうちの少なくとも１つにしたがって無線充電要求を設定する。任意選択で、無線充電要求は、無線充電受信デバイスによって要求される充電バッテリレベル、充電電流、充電電圧、充電速度、または充電電力のうちの１または複数に対応するパラメータ値であってよい。任意選択で、無線充電送信デバイスによって送られる構成情報または無線充電送信デバイスのステータスパラメータが取得される。さらに、無線充電要求を設定するとき、無線充電受信デバイスは、接続された無線充電送信デバイスの構成情報または無線充電送信デバイスのステータスパラメータを参照する。さらに、１より多くの接続された無線充電送信デバイスがある場合、充電のために、無線充電送信デバイスの構成情報または無線充電送信デバイスのステータスにしたがって、一無線充電送信デバイスが選択されてよい。
【００８１】
Ｓ１０４０．無線充電受信デバイスが、無線充電送信デバイスに無線充電要求を送信する。
【００８２】
任意選択で、無線充電受信デバイスは、無線通信を使用することによって無線充電送信デバイスに無線充電要求を送信する。
【００８３】
Ｓ１０５０．無線充電送信デバイスが、充電の必要がある無線充電受信デバイスによって送られた無線充電要求を受信する。
【００８４】
Ｓ１０６０．無線充電送信デバイスが、無線充電要求にしたがって送信パラメータを構成する。
【００８５】
さらに、送信パラメータを構成する段階は、無線充電送信電力を構成する段階、または無線充電権を構成する段階のうちの少なくとも１つを含む。無線充電送信電力を構成する段階は、無線充電要求と適合するエネルギー信号の出力を保証するよう、無線充電要求にしたがって、送信変換回路の電圧、電流、または周波数のうちの少なくとも１つを調整する段階である。無線充電権を構成する段階は、無線充電受信デバイスに優先権を設定する段階である。優先権は、無線充電送信デバイスの充電時間、充電効率、充電率、または充電モードのうちの少なくとも１つに対応する。
【００８６】
Ｓ１０７０．無線充電送信デバイスが、無線充電開始命令を生成し、無線充電受信デバイスに無線充電命令を送り、エネルギー信号の送信を開始する。ここで、エネルギー信号は、電気エネルギーを変換することによって取得される、電気エネルギーに変換し戻され得る中間的なエネルギーを示す。
【００８７】
Ｓ１０８０．無線充電受信デバイスが、無線充電開始命令を受信した後、エネルギー信号の受信を開始する。
【００８８】
Ｓ１０９０．無線充電受信デバイスが、無線充電停止命令を生成し、無線充電送信デバイスに無線充電停止命令を送り、エネルギー信号の受信を停止する。
【００８９】
さらに、無線充電受信デバイスは、無線充電受信デバイスの第２のステータスパラメータをトレースおよびモニタリングする。第２のステータスパラメータは、無線充電受信デバイスの充電されたバッテリのレベル、充電電圧、充電電流、充電電力、充電コスト、または温度のうちの少なくとも１つを含む。無線充電受信デバイスは、第２のステータスパラメータまたはユーザによって入力された終了命令にしたがって、無線充電停止命令を生成する。
【００９０】
Ｓ１１００．無線充電送信デバイスが、無線充電停止命令を受信した後、エネルギー信号の送信を停止する。
【００９１】
本発明のこの実施形態において、無線充電受信デバイスは、無線充電受信デバイスのモニタリングされた使用環境、ステータスパラメータ、または過去の充電の記録のうちの１または複数にしたがって、パーソナライズされた無線充電要求を定め、無線充電送信デバイスは、無線充電要求にしたがって送信パラメータを調整し、無線充電受信デバイスは、無線充電要求にしたがって受信パラメータを調整する。それによって、無線充電プロセスにわたるインテリジェント制御を実現し、ユーザのパーソナライズされた充電要求を満たす。
【００９２】
本発明の一実施形態は、無線充電受信デバイスをインテリジェントに制御するための方法を提供する。図４に示されるように、当該方法は具体的に、以下の段階を備える。
【００９３】
Ｓ２０１０．無線充電受信デバイスが無線充電送信デバイスに接続されていると判断する。
【００９４】
さらに、無線充電受信デバイスが無線充電送信デバイスに接続されていると判断することは、無線充電機能適合および無線充電位置整合を有する。
【００９５】
無線充電機能適合は、無線充電受信デバイスの少なくとも１つの無線充電通信プロトコルが無線充電送信デバイスの無線充電通信プロトコルとうまく適合することである。
【００９６】
無線充電位置整合は、無線充電送信デバイスが無線充電受信デバイスの無線充電受信領域に位置していることである。任意選択で、無線充電位置整合を判断するためにセンサが使用される。例えば、無線充電受信領域に位置する無線充電送信デバイスがあるかどうかを検出するために赤外線センサが使用され、無線充電受信領域に位置する無線充電送信デバイスがあるかどうかを、超音波送信位置と超音波受信位置との間の距離を比較することによって判断するために超音波センサが使用され、または、無線充電受信領域に位置する無線充電送信デバイスがあるかどうかを、圧力の感知を使用することによって判断するために圧力センサが使用される。
【００９７】
Ｓ２０２０．第１の環境パラメータ、第１のステータスパラメータ、または第１の過去の記録のうちの少なくとも１つを取得する。
【００９８】
さらに、第１の環境パラメータは、無線充電受信デバイスが位置している環境の地理的位置、温度、湿度、高度、または時間のうちの少なくとも１つを含む。
【００９９】
第１のステータスパラメータは、無線充電受信デバイスのバッテリレベル、温度、電圧、またはエネルギー消費率のうちの少なくとも１つを含む。
【０１００】
第１の過去の記録は、無線充電受信デバイスの以前の無線充電データ記録である。
【０１０１】
Ｓ２０３０．第１の環境パラメータ、第１のステータスパラメータ、または第１の過去の記録のうちの少なくとも１つにしたがって無線充電要求を設定する。
【０１０２】
任意選択で、無線充電要求は、無線充電受信デバイスによって要求される充電バッテリレベル、充電電流、充電電圧、充電速度、または充電電力のうちの１または複数に対応するパラメータ値であってよい。任意選択で、無線充電送信デバイスによって送られる構成情報または無線充電送信デバイスのステータスパラメータが取得される。さらに、無線充電要求を設定するとき、無線充電受信デバイスは、接続された無線充電送信デバイスの構成情報または無線充電送信デバイスのステータスパラメータを参照する。さらに、１より多くの接続された無線充電送信デバイスがある場合、充電のために、無線充電送信デバイスの構成情報または無線充電送信デバイスのステータスにしたがって、一無線充電送信デバイスが選択されてよい。
【０１０３】
Ｓ２０４０．無線充電送信デバイスに無線充電要求を送信する。
【０１０４】
Ｓ２０５０．エネルギー信号の受信を開始する。ここで、エネルギー信号は、電気エネルギーを変換することによって取得される、電気エネルギーに変換し戻され得る中間的なエネルギーである。
【０１０５】
さらに、無線充電送信デバイスによってフィードバックされた無線充電開始命令が受信された後、エネルギー信号を受信する段階が開始される。
【０１０６】
Ｓ２０６０．エネルギー信号の受信を停止する。
【０１０７】
さらに、無線充電受信デバイスの第２のステータスパラメータがトレースおよびモニタリングされる。
【０１０８】
無線充電停止命令が、第２のステータスパラメータまたはユーザによって入力された終了命令にしたがって生成される。第２のステータスパラメータは、無線充電受信デバイスの充電されたバッテリのレベル、充電電圧、充電電流、充電電力、充電コスト、または温度のうちの少なくとも１つを含む。
【０１０９】
無線充電停止命令は、無線充電送信デバイスに送信され、エネルギー信号の受信が停止される。
【０１１０】
任意選択で、エネルギー信号は、磁場エネルギーまたは準静電場エネルギーである。
【０１１１】
本発明のこの実施形態において、無線充電受信デバイスは、無線充電受信デバイスのモニタリングされた使用環境、ステータスパラメータ、または過去の充電の記録のうちの１または複数にしたがって、パーソナライズされた無線充電要求を定め、無線充電送信デバイスに無線充電要求を送り、次に、無線充電送信デバイスの無線充電開始命令を受信した後、エネルギー信号の受信を開始する。無線充電受信デバイスは、無線充電送信デバイスとインタラクトする。したがって、無線充電プロセスにわたるインテリジェント制御を実現でき、ユーザのパーソナライズされた充電要求を満たすことができる。
【０１１２】
本発明の一実施形態は、無線充電送信デバイスをインテリジェントに制御するための方法を提供する。図５に示されるように、当該方法は具体的に、以下の段階を備える。
【０１１３】
Ｓ３０１０．無線充電送信デバイスが無線充電受信デバイスに接続されていると判断する。
【０１１４】
さらに、無線充電送信デバイスが無線充電受信デバイスに接続されていると判断することは、無線充電機能適合および無線充電位置整合を有する。
【０１１５】
無線充電機能適合は、無線充電受信デバイスの少なくとも１つの無線充電通信プロトコルが無線充電送信デバイスの無線充電通信プロトコルとうまく適合することである。
【０１１６】
無線充電位置整合は、無線充電送信デバイスが無線充電受信デバイスの無線充電受信領域に位置していることである。任意選択で、無線充電位置整合を判断するためにセンサが使用される。例えば、無線充電送信領域に配置された無線充電受信デバイスがあるかどうかを検出するために赤外線センサが使用され、無線充電送信領域に配置された無線充電受信デバイスがあるかどうかを、超音波送信位置と超音波受信位置との間の距離を比較することによって判断するために超音波センサが使用され、または、無線充電送信領域に配置された無線充電受信デバイスがあるかどうかを、圧力の感知を使用することによって判断するために圧力センサが使用される。
【０１１７】
Ｓ３０２０．無線充電受信デバイスの無線充電要求を取得する。
【０１１８】
Ｓ３０３０．無線充電要求にしたがって送信パラメータを構成する。
【０１１９】
さらに、送信パラメータを構成する段階は、無線充電送信電力を構成する段階または無線充電権を構成する段階のうちの少なくとも１つを有する。無線充電送信電力を構成する段階は、無線充電要求と適合するエネルギー信号の出力を保証するよう、無線充電要求にしたがって、送信変換回路の電圧、電流、または周波数のうちの少なくとも１つを調整する段階である。無線充電権を構成する段階は、無線充電受信デバイスに優先権を設定する段階である。優先権は、無線充電送信デバイスの充電時間、充電効率、充電率、または充電モードのうちの少なくとも１つに対応する。
【０１２０】
Ｓ３０４０．エネルギー信号の送信を開始する。ここで、エネルギー信号は、電気エネルギーを変換することによって取得される、電気エネルギーに変換し戻され得る中間的なエネルギーである。
【０１２１】
さらに、エネルギー信号の送信を開始する段階は、送信パラメータを構成する段階が完了した後、無線充電送信デバイスが、無線充電開始命令を生成する段階と、無線充電受信デバイスに無線充電開始命令を送信し、エネルギー信号の送信を開始する段階とを有する。
【０１２２】
Ｓ３０５０．エネルギー信号の送信を停止する。
【０１２３】
さらに、エネルギー信号の送信を停止する段階は、無線充電受信デバイスによってフィードバックされた無線充電停止命令を受信した後、エネルギー信号の送信を停止する段階である。
【０１２４】
任意選択で、無線充電送信デバイスの構成情報が、無線充電受信デバイスに送られる。任意選択で、無線充電送信デバイスの構成情報は、出荷時にデフォルトで設定されるか、またはユーザによってカスタマイズされる。
【０１２５】
任意選択で、無線充電送信デバイスのステータスパラメータが取得され、取得された無線充電送信デバイスのステータスパラメータは、無線充電受信デバイスに送られる。さらに、ステータスパラメータは、無線充電送信デバイスのバッテリレベル、温度、電圧、またはエネルギー消費率のうちの少なくとも１つを含む。
【０１２６】
任意選択で、エネルギー信号は、磁場エネルギーまたは準静電場エネルギーである。
【０１２７】
本発明のこの実施形態において、無線充電送信デバイスは、エネルギー信号の送信を開始する段階の前に、無線充電受信デバイスによって送られた無線充電要求を受信し、無線充電要求にしたがって送信パラメータを調整する。したがって、無線充電プロセスにわたるインテリジェント制御を実現でき、ユーザのパーソナライズされた充電要求を満たすことができる。
【０１２８】
本発明の一実施形態は、無線充電受信デバイスを提供する。図６に示されるように、当該デバイス、つまり、無線充電受信デバイス３０００は、受信モジュール３００１、バッテリモジュール３００２、制御モジュール３００３、充電ポリシモジュール３００４、第１の記憶モジュール３００５、第２の記憶モジュール３００６、通信モジュール３００７、ステータスモニタリングモジュール３００８、および接続モジュール３００９を備える。
【０１２９】
接続モジュール３００９は、無線充電受信デバイス３０００が外部の無線充電送信デバイスに接続されていると判断するよう構成される。さらに、接続モジュール３００９は、機能適合ユニットおよび位置整合ユニットを有する。機能適合ユニットは、無線充電受信デバイス３０００の少なくとも１つの無線充電通信プロトコルが、外部の無線充電送信デバイスの無線充電通信プロトコルとうまく適合すると判断するよう構成される。位置整合ユニットは、外部の無線充電送信デバイスが無線充電受信デバイス３０００の無線充電受信領域に位置していると判断するよう構成される。
【０１３０】
ステータスモニタリングモジュール３００８は、第１の環境パラメータ、第１のステータスパラメータ、または第１の過去の記録のうちの少なくとも１つを取得するよう構成される。第１の環境パラメータは、無線充電受信デバイス３０００が位置している環境の地理的位置、温度、湿度、高度、または時間のうちの少なくとも１つを含む。第１のステータスパラメータは、無線充電受信デバイス３０００のバッテリレベル、温度、電圧、またはエネルギー消費率のうちの少なくとも１つを含む。第１の過去の記録は、無線充電受信デバイス３０００の以前の無線充電データ記録である。
【０１３１】
充電ポリシモジュール３００４は、取得された第１の環境パラメータ、第１のステータスパラメータ、または第１の過去の記録のうちの少なくとも１つに基づいて無線充電要求を設定するよう構成される。任意選択で、無線充電要求を設定するとき、充電ポリシモジュールは、外部の無線充電送信デバイスの構成情報、関連する環境パラメータ、ステータスパラメータ、または過去の充電の記録のうちの１または複数を参照する。任意選択で、無線充電要求は、無線充電受信デバイスによって要求される充電バッテリレベル、充電電流、充電電圧、充電速度、または充電電力のうちの１または複数に対応するパラメータ値であってよい。
【０１３２】
通信モジュール３００７は、外部の無線充電送信デバイスと無線充電受信デバイス３０００との間でのデータ送信を実現するよう構成される。任意選択で、通信モジュール３００７は、例えばＢｌｕｅｔｏｏｔｈ（登録商標）、ＷｉＦｉ、ＺｉｇＢｅｅ（登録商標）、ＲＦＩＤ、Ｌｏｒａ、またはＮＦＣなどの方式のうちの１または複数といった無線通信方式でインタラクションを実現する。
【０１３３】
受信モジュール３００１は、エネルギー信号を受信し、エネルギー信号を電気エネルギーに変換し、バッテリモジュール３００２に電気エネルギーを貯蔵するよう構成される。任意選択で、受信モジュール３００１は、少なくとも受信アンテナおよび変換ユニットを含む。受信アンテナは、エネルギー信号を受信し、エネルギー信号を交流電気エネルギーに変換するよう構成される。変換ユニットは、受信アンテナによって入力された交流電気エネルギーを直流電気エネルギーに変換し、バッテリモジュールに直流電気エネルギーを送信するよう構成される。任意選択で、受信アンテナは、外部の無線充電送信デバイスによって送信された有効電力および無効電力を受信するよう構成され得るインダクタンス素子およびキャパシタ素子を含む。インダクタンス素子とキャパシタ素子との間の種々の接続方式にしたがって、受信アンテナは、図２に示される任意の構造を有してよい。
【０１３４】
バッテリモジュール３００２は、受信モジュール３００１によって入力された電気エネルギーを貯蔵するよう構成される。バッテリモジュール３００２はまた、無線充電受信デバイス３０００に電力を供給するよう構成される。さらに、バッテリモジュール３００２は、再充電可能バッテリである。任意選択で、バッテリモジュール３００２は、再充電可能リチウムバッテリ、金属空気バッテリ、またはリチウム硫黄バッテリである。
【０１３５】
制御モジュール３００３は、受信パラメータを構成し、無線充電の開始および停止を制御するよう構成される。さらに、受信パラメータを構成することは、バッテリモジュール３００２に適用可能な電気エネルギーを出力するよう、無線充電要求にしたがって、受信変換回路の電圧、電流、または周波数のうちの少なくとも１つを調整することである。
【０１３６】
第１の記憶モジュール３００５は、無線充電受信デバイス３０００の構成情報を格納するよう構成される。任意選択で、無線充電受信デバイス３０００の構成情報は、出荷時にデフォルトで設定されるか、またはユーザによって入力される。
【０１３７】
第２の記憶モジュール３００６は、無線充電プロセスにおいて生成または受信されたデータを格納するよう構成される。
【０１３８】
任意選択で、第１の記憶モジュール３００５および第２の記憶モジュール３００６は、同じメモリに統合される。
【０１３９】
任意選択で、無線充電受信デバイス３０００はさらに、ユーザ入力モジュール３０１０および表示モジュール３０１１を有する。さらに、表示モジュールは、無線充電プロセスに関連するパラメータをユーザに提示するよう構成される。ユーザ入力モジュールは、無線充電に関連する命令およびパラメータをユーザが入力するよう構成される。
【０１４０】
任意選択で、無線充電受信デバイス３０００は、インテリジェント端末または電気車両に統合される。
【０１４１】
本発明のこの実施形態において、無線充電受信デバイスは、ステータスモニタリングモジュールを使用することによって、無線充電受信デバイスの使用環境、ステータスパラメータ、および過去の充電の記録を取得し、充電ポリシモジュールを使用することによって、使用環境、ステータスパラメータ、または過去の充電の記録のうちの１または複数にしたがって、パーソナライズされた無線充電要求を定め、次に、無線充電送信デバイスに無線充電要求を送り、通信モジュールを使用することによって無線充電送信デバイスとインタラクトする。したがって、無線充電プロセスにわたるインテリジェント制御を実現でき、ユーザのパーソナライズされた充電要求を満たすことができる。
【０１４２】
本発明の一実施形態は、無線充電送信デバイス２０００を提供する。図７に示されるように、当該デバイスは、電源入力モジュール２００１、送信モジュール２００２、制御モジュール２００３、メモリ２００４、通信モジュール２００５、および接続モジュール２００６を備える。
【０１４３】
電源入力モジュール２００１は、無線充電送信デバイス２０００と外部電源とを接続し、外部電源によって入力された電気エネルギーを受信するよう構成される。
【０１４４】
接続モジュール２００６は、無線充電送信デバイス２０００が、外部の無線充電受信デバイスに接続されると判断するよう構成される。さらに、接続モジュール２００６は、機能適合ユニットおよび位置整合ユニットを有する。機能適合ユニットは、外部の無線充電受信デバイスの少なくとも１つの無線充電通信プロトコルが無線充電送信デバイス２０００の無線充電通信プロトコルとうまく適合すると判断するよう構成される。位置整合ユニットは、外部の無線充電受信デバイスが無線充電送信デバイス２０００の無線充電送信領域に位置していると判断するよう構成される。
【０１４５】
通信モジュール２００５は、無線充電送信デバイス２０００と外部の無線充電受信デバイスとの間でのデータ送信を実現するよう構成される。任意選択で、通信モジュール２００５は、例えばＢｌｕｅｔｏｏｔｈ（登録商標）、ＷｉＦｉ、ＺｉｇＢｅｅ（登録商標）、ＲＦＩＤ、Ｌｏｒａ、またはＮＦＣなどの方式のうちの１または複数といった無線通信方式でインタラクションを実現する。
【０１４６】
制御モジュール２００３は、送信パラメータを構成し、無線充電の開始および停止を制御するよう構成される。さらに、送信パラメータを構成することは、無線充電送信電力を構成すること、または無線充電権を構成することのうちの少なくとも１つを含む。さらに、無線充電送信電力を構成することは、充電要求と適合するエネルギー信号の出力を保証するよう、取得された無線充電要求にしたがって、送信変換回路の電圧、電流、または周波数のうちの少なくとも１つを調整することである。無線充電権を構成することは、無線充電受信デバイスに優先権を設定することである。優先権は、無線充電送信デバイスの充電時間、充電効率、充電率、または充電モードのうちの少なくとも１つに対応する。
【０１４７】
送信モジュール２００２は、外部電源によって入力された電気エネルギーをエネルギー信号に変換し、エネルギー信号を出力するよう構成される。さらに、エネルギー信号は、電気エネルギーを変換することによって取得される、電気エネルギーに変換し戻され得る中間的なエネルギーである。さらに、送信モジュールは、力率補正ユニット、インバータユニット、変圧ユニット、および送信アンテナを含む。さらに、外部電源によって入力された電気エネルギーが交流電気エネルギーであるとき、力率補正ユニットは、送信回路における高調波成分を低減し、力率値を増大させるよう構成される。外部電源によって入力された電気エネルギーが直流電気エネルギーであるとき、変圧ユニットは、入力された直流電気エネルギーを交流電気エネルギーに変換するよう構成される。インバータユニットは、力率補正ユニットまたは変圧ユニットによって出力された交流電気エネルギーを高周波交流電気エネルギーに変換し、電力送信アンテナに高周波交流電気エネルギーを出力するよう構成される。送信アンテナは、インバータユニットによって入力された高周波交流電気エネルギーをエネルギー信号に変換し、エネルギー信号を出力するよう構成される。任意選択で、受信アンテナは、有効電力および無効電力を出力するよう構成されるインダクタンス素子およびキャパシタ素子を含む。インダクタンス素子とキャパシタ素子との間の種々の接続方式にしたがって、受信アンテナは、図２に示される任意の構造を有してよい。
【０１４８】
メモリ２００４は、無線充電送信デバイス２０００の構成情報と、無線充電プロセスにおいて生成または受信されたデータとを格納するよう構成される。任意選択で、無線充電送信デバイス２０００の構成情報は、出荷時にデフォルトで設定されるか、またはユーザによって入力される。
【０１４９】
任意選択で、無線充電送信デバイス２０００はさらに、ステータスモニタリングモジュールを備える。ステータスモニタリングモジュールは、無線充電送信デバイス２０００のステータスパラメータ、使用環境、充電記録、および同様のものを取得するよう構成される。
【０１５０】
任意選択で、無線充電送信デバイス２０００はさらに、表示モジュール２００８およびユーザ入力モジュール２００９を備える。表示モジュール２００８は、無線充電プロセスに関連するパラメータをユーザに提示するよう構成される。ユーザ入力モジュール２００９は、無線充電に関連する命令およびパラメータをユーザが入力するよう構成される。
【０１５１】
本発明のこの実施形態において、無線充電送信デバイスは、エネルギー信号の送信を開始する前に、無線充電受信デバイスによって送られた無線充電要求を受信し、無線充電要求にしたがって送信パラメータを調整する。したがって、無線充電プロセスにわたるインテリジェント制御を実現でき、ユーザのパーソナライズされた充電要求を満たすことができる。
【０１５２】
本発明の一実施形態は端末を提供する。図８に示されるように、端末４０００は、バッテリモジュール４００１、受信モジュール４００２、送信モジュール４００３、充電ポリシモジュール４００４、制御モジュール４００５、ステータスモニタリングモジュール４００６、第２の記憶モジュール４００７、通信モジュール４００８、第１の記憶モジュール４００９、および接続モジュール４０１０を備える。
【０１５３】
任意選択で、端末４０００はさらに、ユーザ入力モジュール４０１１および表示モジュール４０１２を備える。
【０１５４】
バッテリモジュール４００１は、受信モジュール４００２によって入力された電気エネルギーを貯蔵するよう構成される。バッテリモジュール４００１はまた、端末４０００に電力を供給するよう構成される。さらに、バッテリモジュール４００１は、再充電可能バッテリである。任意選択で、バッテリモジュール４００１は、再充電可能リチウムバッテリ、金属空気バッテリ、またはリチウム硫黄バッテリである。
【０１５５】
受信モジュール４００２は、エネルギー信号を受信し、エネルギー信号を電気エネルギーに変換し、バッテリモジュール４００１に電気エネルギーを貯蔵する。任意選択で、受信モジュール４００２は、少なくとも受信アンテナおよび変換ユニットを有する。受信アンテナは、エネルギー信号を受信し、エネルギー信号を交流電気エネルギーに変換するよう構成される。変換ユニットは、受信アンテナによって入力された交流電気エネルギーを直流電気エネルギーに変換し、バッテリモジュールに直流電気エネルギーを送信するよう構成される。任意選択で、受信アンテナは、外部の無線充電送信デバイスによって送信された有効電力および無効電力を受信するよう構成され得るインダクタンス素子およびキャパシタ素子を含む。インダクタンス素子とキャパシタ素子との間の種々の接続方式にしたがって、受信アンテナは、図２に示される任意の構造を有してよい。
【０１５６】
送信モジュール４００３は、バッテリモジュール４００１によって入力された電気エネルギーをエネルギー信号に変換し、エネルギー信号を出力するよう構成される。エネルギー信号は、電気エネルギーを変換することによって取得される、電気エネルギーに変換し戻され得る中間的なエネルギーである。
【０１５７】
さらに、送信モジュール４００３は、インバータユニット、変圧ユニット、および送信アンテナを有する。さらに、変圧ユニットは、バッテリモジュール４００１によって入力された電気エネルギーを交流電気エネルギーに変換するよう構成される。インバータユニットは、変圧ユニットによって出力された交流電気エネルギーを高周波交流電気エネルギーに変換し、電力送信アンテナに高周波交流電気エネルギーを出力するよう構成される。送信アンテナは、インバータユニットによって入力された高周波交流電気エネルギーをエネルギー信号に変換し、エネルギー信号を出力するよう構成される。任意選択で、受信アンテナは、有効電力および無効電力を出力するよう構成されるインダクタンス素子およびキャパシタ素子を含む。インダクタンス素子とキャパシタ素子との間の種々の接続方式にしたがって、受信アンテナは、図２に示される任意の構造を有してよい。
【０１５８】
制御モジュール４００５は、受信パラメータを構成し、送信パラメータを構成し、無線充電の開始および停止を制御するよう構成される。
【０１５９】
さらに、受信パラメータを構成することは、バッテリモジュール４００１に適用可能な電気エネルギーを出力するよう、充電ポリシモジュールによって設定された第１の無線充電要求にしたがって、受信変換回路の電圧、電流、または周波数のうちの少なくとも１つを調整することである。
【０１６０】
さらに、送信パラメータを構成することは、無線充電送信電力を構成すること、または無線充電権を構成することのうちの少なくとも１つを含む。無線充電送信電力を構成することは、第２の充電要求と適合するエネルギー信号の出力を保証するよう、外部の無線充電受信デバイスによって設定された、取得された第２の無線充電要求にしたがって、送信変換回路の電圧、電流、または周波数のうちの少なくとも１つを調整することである。無線充電権を構成することは、外部の無線充電受信デバイスに優先権を設定することである。優先権は、端末４０００の充電時間、充電効率、充電率、または充電モードのうちの少なくとも１つに対応する。
【０１６１】
ステータスモニタリングモジュール４００６は、第１の環境パラメータ、第１のステータスパラメータ、または第１の過去の記録のうちの少なくとも１つを取得するよう構成される。第１の環境パラメータは、端末４０００が位置している環境の地理的位置、温度、湿度、高度、または時間のうちの少なくとも１つを含む。第１のステータスパラメータは、端末４０００のバッテリレベル、温度、電圧、またはエネルギー消費率のうちの少なくとも１つを含む。第１の過去の記録は、端末４０００の以前の無線充電データ記録である。
【０１６２】
充電ポリシモジュール４００４は、取得された第１の環境パラメータ、第１のステータスパラメータ、または第１の過去の記録のうちの少なくとも１つに基づいて無線充電要求を設定するよう構成される。任意選択で、無線充電要求を設定するとき、充電ポリシモジュールは、外部の無線充電送信デバイスの構成情報、関連する環境パラメータ、ステータスパラメータ、または過去の充電の記録のうちの１または複数を参照する。任意選択で、無線充電要求は、無線充電受信デバイスによって要求される充電バッテリレベル、充電電流、充電電圧、充電速度、または充電電力のうちの１または複数に対応するパラメータ値であってよい。
【０１６３】
第２の記憶モジュール４００７は、無線充電プロセスにおいて生成または取得されたデータを格納するよう構成される。
【０１６４】
通信モジュール４００８は、端末４０００と、外部の無線充電送信デバイスまたは外部の無線充電受信デバイスとの間でインタラクションを実行するよう構成される。任意選択で、通信モジュール４００８は、例えばＢｌｕｅｔｏｏｔｈ（登録商標）、ＷｉＦｉ、ＺｉｇＢｅｅ（登録商標）、ＲＦＩＤ、Ｌｏｒａ、またはＮＦＣなどの方式のうちの１または複数といった無線通信方式でインタラクションを実現する。
【０１６５】
第１の記憶モジュール４００９は、端末４０００の構成情報を格納するよう構成される。さらに、端末４０００の構成情報は、出荷時にデフォルトで設定されるか、またはユーザによってカスタマイズされる。
【０１６６】
接続モジュール４０１０は、端末４０００が外部の無線充電送信デバイスまたは外部の無線充電受信デバイスに接続されていると判断するよう構成される。さらに、接続モジュール４０１０は、機能適合ユニットおよび位置整合ユニットを有する。機能適合ユニットは、端末４０００の少なくとも１つの無線充電通信プロトコルが外部の無線充電送信デバイスまたは外部の無線充電受信デバイスの無線充電通信プロトコルとうまく適合すると判断するよう構成される。位置整合ユニットは、外部の無線充電送信デバイスまたは外部の無線充電受信デバイスが端末４０００の無線充電領域に位置していると判断するよう構成される。さらに、無線充電領域は、無線充電受信領域および無線充電送信領域を含む。
【０１６７】
本発明のこの実施形態において、ステータスモニタリングモジュールは、端末の使用環境、ステータスパラメータ、および過去の充電の記録などのデータを取得し、充電ポリシモジュールは、ステータスモニタリングモジュールによって検出されたデータにしたがって無線充電要求を設定し、特定された無線充電要求を外部の無線充電送信デバイスに送り、これにより、無線充電要求と適合する無線充電を取得する。無線充電は、無線充電要求に基づいて開始され、無線充電送信側が、無線充電受信側とインタラクトする。したがって、無線充電プロセスにわたるインテリジェント制御を実現でき、ユーザのパーソナライズされた要求を満たすことができる。
【０１６８】
本発明の一実施形態は、モバイル端末の無線充電を実行するための方法を提供する。図９に示されるように、当該方法は具体的に、以下の段階を備える。
【０１６９】
Ｓ４０１０．モバイル端末が、外部の無線充電送信デバイスの無線充電送信領域に入り、モバイル端末の接続モジュールが、モバイル端末が外部の無線充電送信デバイスに接続されていると判断する。
【０１７０】
Ｓ４０２０．モバイル端末が、外部の無線充電送信デバイスによって送られた構成情報を受信し、モバイル端末は、受信された外部の無線充電送信デバイスの構成情報にしたがって外部の無線充電送信デバイスを識別する。識別を使用することによってセキュアでない無線充電送信デバイスへの接続が回避されるのみならず、外部の無線充電デバイスのタイプを識別すること、例えば、無線充電送信デバイスが無線充電器または無線充電送信デバイスを統合した別の端末であると識別することによって充電要求が設定されもする。さらに、外部の無線充電送信デバイスの構成情報は、型式、ブランド、タイプ、電力パラメータ、サポートされるモード、またはサービスプロバイダなどのデバイス属性情報のうちの１または複数であってよい。
【０１７１】
Ｓ４０３０．モバイル端末のステータスモニタリングモジュールが、モバイル端末の使用環境、ステータスパラメータ、および過去の充電の記録を取得する。
【０１７２】
Ｓ４０４０．充電ポリシモジュールが、使用環境、ステータスパラメータ、および過去の充電の記録にしたがって、かつ、無線充電送信デバイスのタイプを参照することによって無線充電要求を設定する。
【０１７３】
具体的には、例えば、モバイル端末用に構成されたバッテリ容量は制限されるので、バッテリ寿命は比較的短い。この場合、充電速度は、ユーザの重要な充電体験要求である。外部で接続された無線充電デバイスは無線充電器であるとモバイル端末が判断したとき、無線充電器は、より多くの無線充電タイプをサポートでき、より広い無線充電電力範囲を有するので、モバイル端末は、充電速度が最適である充電モードを取得し得る。使用環境、過去の充電の記録、およびステータスパラメータは、充電速度を判断するために使用されてよい。例えば、モバイル端末は、モバイル端末に配置されたセンサを使用することによって当該環境における位置情報およびシナリオ情報を取得してよく、または、接続された無線充電器を識別することによって位置情報を取得してよい。環境情報は、ユーザの充電の意図と関連付けられてよい。例えば、ユーザが家にいるとき、またはオフィスにいるとき、ユーザには通常、充電のために長い時間をかけられる。この場合、最適充電速度要求は遅い充電モードまたは標準の充電モードであり、これにより、高速充電によって引き起こされる電荷放射（ｃｈａｒｇｅ  ｒａｄｉａｔｉｏｎ）、充電加熱、およびバッテリ充電寿命の低減のリスクを回避する。ユーザがコーヒー店、レストラン、またはショッピングモールなどの外の未知のシナリオにあるとき、ユーザには充電のために短い時間しかない。この場合、最適充電速度要求は高速充電モードであり、これにより、モバイル端末のバッテリ寿命を迅速に増やすという要求を満たす。さらに、環境情報がユーザの充電の意図とより正確に関連付けられることを保証するよう、ユーザの充電の意図は、現在の環境におけるモバイル端末の過去の充電データに基づいて比較および修正されてよい。モバイル端末の過去の充電データは、ユーザが種々の期間、種々の位置、または種々のシナリオなどの種々の環境にあるときモバイル端末の充電習慣モデルを確立して、充電習慣モデルを使用することによって現在の環境における充電の意図を判断するための、モバイル端末によって記録された過去のデータであってよい。ここでは詳細は説明しない。例えば、モバイル端末がスターバックス（登録商標）コーヒー店にあるとき、およびモバイル端末が無線充電用の無線充電器に接続されているとき、モバイル端末は、モバイル端末のストレージ、ネットワークストレージ、またはクラウドストレージから当該位置におけるユーザの習慣情報を読み出してスターバックス（登録商標）コーヒー店におけるユーザの普段の滞在時間を取得し、さらに無線充電の継続時間情報を判断し、これにより、要求される最適充電速度要求を取得してよい。ユーザが以前にスターバックス（登録商標）コーヒー店に行ったことがない場合、モバイル端末はさらに別の同様のシナリオにおけるユーザの充電習慣を読み出して充電の意図を判断してよく、これにより、最適充電速度要求を取得する。
【０１７４】
さらに、モバイル端末の間違った適応的判断を回避するために、無線充電速度要求はさらに、ユーザ入力インタラクション方式で取得または判断されてよい。つまり、モバイル端末が外部の充電器に接続されているとき、ユーザ通知入力ウィンドウが現れて、ユーザに対して充電パラメータ情報（充電バッテリレベル、充電時間、充電電圧、充電電流、および同様のもの）を入力するよう促し、これにより、無線充電速度要求を取得または修正する。
【０１７５】
一方、外部の無線充電送信デバイスが別のモバイル端末デバイスであるとき、無線充電バッテリレベル要求はデバイス間のネゴシエーションによって判断される。外部の無線充電送信デバイスが別のモバイル端末デバイスであるとき、モバイル端末デバイスのために構成されるバッテリ容量は比較的制限されるので、Ｄ２Ｄ無線充電プロセスでは、重要な充電体験要求は無線充電バッテリレベル要求であり、放電するデバイスの通常の動作がＤ２Ｄ充電の後影響を受けないと判断される。
【０１７６】
無線充電バッテリレベル要求は、Ｄ２Ｄ通信ネゴシエーションによって判断されてよい。具体的に、モバイル端末は、ネゴシエーションのために、外部の放電するモバイル端末に無線充電バッテリレベル要求を送ってよく、または、放電するモバイル端末デバイスは、放電バッテリレベルを直接設定する。
【０１７７】
Ｓ４０５０．無線充電送信デバイスに無線充電要求を送る。任意選択で、充電要求情報は具体的に、無線充電プロセスにおいてモバイル端末によって判断される充電速度または充電バッテリレベルであってよい。
【０１７８】
Ｓ４０６０．無線充電要求が適合するかどうかを判断する。無線充電送信デバイスは、無線充電要求における充電モードがサポートされるかどうかを判断するために、受信されたモバイル端末の無線充電要求にしたがって適合を実行し、モバイル端末に適合結果をフィードバックする。例えば、無線充電送信デバイスは、高速充電をサポートするという送信電力要求を充電器が満たすかどうかを、充電速度要求にしたがって判断する。送信電力が高速充電をサポートできると無線充電送信デバイスが判断したとき、充電要求はうまく適合し、無線充電は引き続き実行され、そうでないときは、充電要求は適合に失敗し、Ｓ４０４０に戻って無線充電要求を再び判断する。
【０１７９】
Ｓ４０７０．無線充電の受信を開始し、無線充電が始まる。
【０１８０】
モバイル端末は、モバイル端末の受信モジュールを、モバイル端末の制御モジュールを使用することによって制御して外部のエネルギー信号を直流電気エネルギーに変換し、直流電気エネルギーをモバイル端末のバッテリに貯蔵する。
【０１８１】
Ｓ４０８０．無線充電が終了したかどうかを、リアルタイムでモバイル端末のステータスモニタリングモジュールによってモニタリングされたステータスパラメータにしたがって判断する。モバイル端末は、充電が終了したかどうかを、充電バッテリレベル、充電電圧、充電電流、充電温度、充電コスト、またはユーザの終了命令のうちの１または複数にしたがって判断する。充電が終了したとモバイル端末が判断した後、通信モジュールを使用することによって無線充電送信デバイスに無線充電終了命令が送られ、受信モジュールは無効にされる。
【０１８２】
本発明のこの実施形態において、モバイル端末は、外部の無線充電送信デバイスとインタラクトし、使用環境、ステータスパラメータ、過去の無線充電の記録、または外部の充電送信デバイスの構成情報のうちの１または複数にしたがって無線充電要求を設定し、外部の無線充電送信デバイスに無線充電要求を送る。したがって、無線充電プロセスにわたるインテリジェント制御を実現でき、ユーザのパーソナライズされた要求を満たすことができる。
【０１８３】
最後に、前述の実施形態は本発明の技術的解決手段を説明することを意図したものに過ぎず、本発明を限定することを意図したものではないことに留意されたい。本発明が前述の実施形態に関連して詳細に説明されているが、当業者であれば、本発明の実施形態の技術的解決手段の範囲から逸脱することなく、さらに、前述の実施形態において説明された技術的解決手段に対して修正を加え得ること、またはそれらの一部または全部の技術的特徴に対して同等の置き換えを行い得ることを当業者は理解すべきである。
［項目１］
無線充電受信デバイスをインテリジェントに制御するための方法であって、
第１の環境パラメータ、第１のステータスパラメータ、または第１の過去の記録のうちの少なくとも１つを上記無線充電受信デバイスが取得する段階であって、上記第１の環境パラメータは、上記無線充電受信デバイスが位置している環境の地理的位置、温度、湿度、または高度のうちの少なくとも１つを含み、上記第１のステータスパラメータは、上記無線充電受信デバイスのバッテリレベル、温度、電圧、またはエネルギー消費率のうちの少なくとも１つを含み、上記第１の過去の記録は、上記無線充電受信デバイスの以前の無線充電データ記録である、段階と、
上記第１の環境パラメータ、上記第１のステータスパラメータ、または上記第１の過去の記録のうちの少なくとも１つにしたがって無線充電要求を設定する段階であって、上記無線充電要求は、無線充電電圧、無線充電電流、無線充電電力、無線充電速度、無線充電バッテリレベル、無線充電時間、無線充電コスト、または同様のもののうちの少なくとも１つを含む、段階と、
無線充電送信デバイスに上記無線充電要求を送る段階と、
エネルギー信号を受信する段階であって、上記エネルギー信号は、上記無線充電要求にしたがって電気エネルギーを変換することによって上記無線充電送信デバイスによって取得される、上記無線充電受信デバイスによって上記電気エネルギーに変換し戻され得るエネルギーを示す、段階と、
上記無線充電要求またはユーザ命令にしたがって無線充電停止命令を生成し、上記無線充電送信デバイスに上記無線充電停止命令を送る段階と
を備える方法。
［項目２］
上記第１の環境パラメータ、上記第１のステータスパラメータ、または上記第１の過去の記録のうちの少なくとも１つにしたがって無線充電要求を設定する上記段階の前に、上記無線充電受信デバイスの少なくとも１つの無線充電通信プロトコルが上記無線充電送信デバイスの無線充電通信プロトコルとうまく適合すると判断する段階
をさらに備える
項目１に記載の方法。
［項目３］
上記第１の環境パラメータ、上記第１のステータスパラメータ、または上記第１の過去の記録のうちの少なくとも１つにしたがって無線充電要求を設定する上記段階の前に、上記無線充電送信デバイスが上記無線充電受信デバイスの無線充電受信領域に位置していると判断する段階
をさらに備える
項目１または２に記載の方法。
［項目４］
エネルギー信号を受信する上記段階は、上記無線充電送信デバイスによってフィードバックされた無線充電開始命令を受信した後に上記エネルギー信号を受信する段階である、
項目１から３のいずれか一項に記載の方法。
［項目５］
無線充電停止命令を生成し、上記無線充電送信デバイスに上記無線充電停止命令を送る上記段階は、
上記無線充電受信デバイスの第２のステータスパラメータをモニタリングする段階であって、上記第２のステータスパラメータは、上記無線充電受信デバイスの充電されたバッテリのレベル、充電電圧、充電電流、充電電力、充電コスト、または同様のもののうちの少なくとも１つを含む、段階と、
上記第２のステータスパラメータと上記無線充電要求との間の比較にしたがって、またはユーザによって入力された終了命令にしたがって、上記無線充電停止命令を生成する段階と、
上記エネルギー信号の受信を停止し、上記無線充電送信デバイスに上記無線充電停止命令を送る段階とを有する、
項目１から４のいずれか一項に記載の方法。
［項目６］
上記第１の環境パラメータ、上記第１のステータスパラメータ、または上記第１の過去の記録のうちの少なくとも１つにしたがって無線充電要求を設定する上記段階の前に、上記無線充電送信デバイスによって送られた構成情報を取得する段階をさらに備え、
上記構成情報は、出荷時にデフォルトで設定されるか、または上記ユーザによってカスタマイズされ、上記構成情報は、上記無線充電送信デバイスの型式、ブランド、タイプ、電力パラメータ、サポートされるモード、またはサービスプロバイダのうちの少なくとも１つを含む、
項目１から５のいずれか一項に記載の方法。
［項目７］
上記エネルギー信号は、磁場エネルギーまたは準静電場エネルギーである、
項目１から６のいずれか一項に記載の方法。
［項目８］
無線充電送信デバイスをインテリジェントに制御するための方法であって、
無線充電受信デバイスの無線充電要求を取得する段階であって、上記無線充電要求は、無線充電電圧、無線充電電流、無線充電電力、無線充電速度、無線充電バッテリレベル、無線充電時間、無線充電コスト、または同様のもののうちの少なくとも１つを含む、段階と、
上記無線充電要求にしたがって送信パラメータを構成する段階と、
エネルギー信号を送信する段階であって、上記エネルギー信号は、上記送信パラメータに基づいて電気エネルギーを変換することによって上記無線充電送信デバイスによって取得される、上記無線充電受信デバイスによって上記電気エネルギーに変換し戻され得るエネルギーを示す、段階と、
上記無線充電受信デバイスによって送られた無線充電停止命令を受信し、上記エネルギー信号の送信を停止する段階と
を備える方法。
［項目９］
無線充電受信デバイスの無線充電要求を取得する上記段階の前に、上記無線充電送信デバイスの少なくとも１つの無線充電通信プロトコルが上記無線充電受信デバイスの無線充電通信プロトコルとうまく適合すると判断する段階
をさらに備える
項目８に記載の方法。
［項目１０］
無線充電受信デバイスの無線充電要求を取得する上記段階の前に、上記無線充電受信デバイスが上記無線充電送信デバイスの無線充電送信領域に位置していると判断する段階
をさらに備える
項目８または９に記載の方法。
［項目１１］
上記無線充電要求にしたがって送信パラメータを構成する上記段階は、無線充電送信電力を構成する段階または無線充電権を構成する段階のうちの少なくとも１つを有し、
無線充電送信電力を構成する上記段階は、上記エネルギー信号の出力が上記無線充電要求と適合することを保証するよう、上記無線充電要求にしたがって、送信変換回路の電圧、電流、または周波数のうちの少なくとも１つを調整する段階であり、
無線充電権を構成する上記段階は、上記無線充電要求にしたがって上記無線充電受信デバイスに優先権を設定する段階であって、上記優先権は、上記無線充電送信デバイスの充電時間、充電効率、充電率、または充電モードのうちの少なくとも１つに対応する、段階である、
項目８から１０のいずれか一項に記載の方法。
［項目１２］
エネルギー信号を送信する上記段階は、
送信パラメータを構成する上記段階が完了した後に、上記無線充電送信デバイスが、無線充電開始命令を生成する段階と、
上記無線充電受信デバイスに上記無線充電開始命令を送り、上記エネルギー信号を送信する段階と
を有する、
項目８から１１のいずれか一項に記載の方法。
［項目１３］
上記エネルギー信号の送信を停止する上記段階は、上記無線充電受信デバイスによってフィードバックされた上記無線充電停止命令を受信した後に上記エネルギー信号の送信を停止する段階である、
項目８に記載の方法。
［項目１４］
無線充電受信デバイスの無線充電要求を取得する上記段階の前に、上記無線充電受信デバイスに上記無線充電送信デバイスの構成情報を送る段階をさらに備え、
上記構成情報は、出荷時にデフォルトで設定されるか、またはユーザによってカスタマイズされ、上記構成情報は、上記無線充電送信デバイスの型式、ブランド、タイプ、電力パラメータ、サポートされるモード、またはサービスプロバイダのうちの少なくとも１つを含む、
項目８から１３のいずれか一項に記載の方法。
［項目１５］
上記エネルギー信号は、磁場エネルギーまたは準静電場エネルギーである、項目８から１４のいずれか一項に記載の方法。
［項目１６］
少なくともステータスモニタリングモジュール、充電ポリシモジュール、通信モジュール、受信モジュール、制御モジュール、バッテリモジュール、第１の記憶モジュール、および第２の記憶モジュールを備える無線充電受信デバイスであって、
上記ステータスモニタリングモジュールは、第１の環境パラメータ、第１のステータスパラメータ、または第１の過去の記録のうちの少なくとも１つを取得するよう構成され、上記第１の環境パラメータは、上記無線充電受信デバイスが位置している環境の地理的位置、温度、湿度、または高度のうちの少なくとも１つを含み、上記第１のステータスパラメータは、上記無線充電受信デバイスのバッテリレベル、温度、電圧、またはエネルギー消費率のうちの少なくとも１つを含み、上記第１の過去の記録は、上記無線充電受信デバイスの以前の無線充電データ記録であり、
上記充電ポリシモジュールは、上記ステータスモニタリングモジュールによって取得される上記第１の環境パラメータ、上記第１のステータスパラメータ、または上記第１の過去の記録のうちの少なくとも１つに基づいて無線充電要求を設定するよう構成され、上記無線充電要求は、無線充電電圧、無線充電電流、無線充電電力、無線充電速度、無線充電バッテリレベル、無線充電時間、無線充電コスト、または同様のもののうちの少なくとも１つを含み、
上記通信モジュールは、無線充電送信デバイスとデータを交換するよう構成され、
上記受信モジュールは、エネルギー信号を受信し、上記エネルギー信号を電気エネルギーに変換し、上記バッテリモジュールに上記電気エネルギーを貯蔵するよう構成され、上記エネルギー信号は、上記無線充電要求にしたがって上記電気エネルギーを変換することによって上記無線充電送信デバイスによって取得される、上記無線充電受信デバイスによって上記電気エネルギーに変換し戻され得るエネルギーを示し、
上記制御モジュールは、上記充電ポリシモジュールによって設定された上記無線充電要求にしたがって受信パラメータを構成し、上記無線充電受信デバイスの無線充電の開始および停止を制御するよう構成され、
上記バッテリモジュールは、上記受信モジュールによって受信された上記電気エネルギーを貯蔵し、上記無線充電受信デバイスに電力を供給するよう構成され、
上記第１の記憶モジュールは、上記無線充電受信デバイスの構成情報を格納するよう構成され、
上記第２の記憶モジュールは、プロセスデータを格納するよう構成される、
デバイス。
［項目１７］
機能適合モジュールをさらに備え、
上記機能適合モジュールは、上記無線充電受信デバイスの少なくとも１つの無線充電通信プロトコルが上記無線充電送信デバイスの無線充電通信プロトコルとうまく適合すると判断するよう構成される、
項目１６に記載のデバイス。
［項目１８］
位置整合モジュールをさらに備え、
上記位置整合モジュールは、上記無線充電送信デバイスが上記無線充電受信デバイスの無線充電受信領域に位置していると判断するよう構成される、
項目１６または１７に記載のデバイス。
［項目１９］
上記受信モジュールは、少なくとも受信アンテナおよび変換ユニットを有し、
上記受信アンテナは、上記エネルギー信号を受信し、上記エネルギー信号を交流電気エネルギーに変換するよう構成され、
上記変換ユニットは、上記受信アンテナによる変換によって取得された上記交流電気エネルギーを直流電気エネルギーに変換し、上記バッテリモジュールに上記直流電気エネルギーを送信するよう構成される、
項目１６から１８のいずれか一項に記載のデバイス。
［項目２０］
上記変換ユニットは、整流ユニットおよび直流変換ユニットを含み、
上記整流ユニットは、上記受信アンテナによる変換によって取得された上記交流電気エネルギーを上記直流電気エネルギーに変換するよう構成され、
上記直流変換ユニットは、上記整流ユニットによる変換によって取得された上記直流電気エネルギーを、一定の直流電流として上記バッテリモジュールに流入させるよう構成される、
項目１９に記載のデバイス。
［項目２１］
上記充電ポリシモジュールによって設定された上記無線充電要求にしたがって受信パラメータを上記構成することは、上記無線充電要求にしたがって、受信変換回路の電圧、電流、または周波数のうちの少なくとも１つを調整することである、
項目１６から２０のいずれか一項に記載のデバイス。
［項目２２］
表示モジュールおよびユーザ入力モジュールをさらに備え、
上記表示モジュールは、無線充電プロセスの無線充電パラメータをユーザに提示するよう構成され、
上記ユーザ入力モジュールは、上記無線充電に関連する命令およびパラメータを上記ユーザが入力するよう構成される、
項目１６から２１のいずれか一項に記載のデバイス。
［項目２３］
少なくとも電源入力モジュール、通信モジュール、制御モジュール、送信モジュール、第１の記憶モジュール、および第２の記憶モジュールを備える無線充電送信デバイスであって、
上記電源入力モジュールは、外部電源によって入力された電気エネルギーを取得するよう構成され、
上記通信モジュールは、無線充電受信デバイスとデータを交換し、上記無線充電受信デバイスによって設定された無線充電要求を受信するよう構成され、上記無線充電要求は、無線充電電圧、無線充電電流、無線充電電力、無線充電速度、無線充電バッテリレベル、無線充電時間、無線充電コスト、または同様のもののうちの少なくとも１つを含み、
上記制御モジュールは、上記通信モジュールによって受信された上記無線充電要求に応じて送信パラメータを構成し、上記無線充電送信デバイスの無線充電の開始および停止を制御するよう構成され、
上記送信モジュールは、上記電源入力モジュールによって取得された上記電気エネルギーを上記送信パラメータに基づいてエネルギー信号に変換し、上記エネルギー信号を出力するよう構成され、上記エネルギー信号は、上記無線充電要求にしたがって上記電気エネルギーを変換することによって上記無線充電送信デバイスによって取得される、上記無線充電受信デバイスによって上記電気エネルギーに変換し戻され得るエネルギーを示し、
上記第１の記憶モジュールは、上記無線充電送信デバイスの構成情報を格納するよう構成され、
上記第２の記憶モジュールは、プロセスデータを格納するよう構成される、
デバイス。
［項目２４］
機能適合モジュールをさらに備え、
上記機能適合モジュールは、上記無線充電送信デバイスの少なくとも１つの無線充電通信プロトコルが上記無線充電受信デバイスの無線充電通信プロトコルとうまく適合すると判断するよう構成される、
項目２３に記載のデバイス。
［項目２５］
位置整合モジュールをさらに備え、
上記位置整合モジュールは、上記無線充電受信デバイスが上記無線充電送信デバイスの無線充電送信領域に位置していると判断するよう構成される、
項目２３または２４に記載のデバイス。
［項目２６］
上記送信モジュールは、力率補正ユニット、インバータユニット、変圧ユニット、および送信アンテナを有し、
上記外部電源によって入力された上記電気エネルギーが交流電気エネルギーであるとき、上記力率補正ユニットは、送信回路における高調波成分を低減し、力率値を増大させるよう構成され、
上記外部電源によって入力された上記電気エネルギーが直流電気エネルギーであるとき、上記変圧ユニットは、上記入力された直流電気エネルギーを交流電気エネルギーに変換するよう構成され、
上記インバータユニットは、上記力率補正ユニットまたは上記変圧ユニットによって出力された上記交流電気エネルギーを高周波交流電気エネルギーに変換し、上記電力送信アンテナに高周波の交流を出力するよう構成され、
上記送信アンテナは、上記インバータユニットによって入力された上記高周波交流電気エネルギーを上記エネルギー信号に変換し、上記エネルギー信号を出力するよう構成される、
項目２３から２５のいずれか一項に記載のデバイス。
［項目２７］
上記通信モジュールによって受信された上記無線充電要求にしたがって送信パラメータを上記構成することは、無線充電送信電力を構成することまたは無線充電権を構成することのうちの少なくとも１つを含み、
無線充電送信電力を上記構成することは、上記充電要求と適合する上記エネルギー信号の出力を保証するよう、上記通信モジュールによって受信された上記無線充電要求にしたがって、送信変換回路の電圧、電流、または周波数のうちの少なくとも１つを調整することであり、
無線充電権を上記構成することは、上記通信モジュールによって受信された上記無線充電要求にしたがって上記無線充電受信デバイスに優先権を設定することであり、上記優先権は、上記無線充電送信デバイスの充電時間、充電効率、充電率、または充電モードのうちの少なくとも１つに対応する、
項目２３から２６のいずれか一項に記載のデバイス。
［項目２８］
ステータスモニタリングモジュールをさらに備え、
上記ステータスモニタリングモジュールは、上記第２の環境パラメータ、上記第２のステータスパラメータ、および上記第２の過去の記録を取得するよう構成され、上記第２の環境パラメータは、上記無線充電送信デバイスが位置している環境の地理的位置、温度、湿度、高度、または時間のうちの少なくとも１つを含み、上記第２のステータスパラメータは、上記無線充電送信デバイスのバッテリレベル、温度、電圧、またはエネルギー消費率のうちの少なくとも１つを含み、上記第２の過去の記録は、上記無線充電送信デバイスの以前の無線充電データ記録である、
項目２３から２７のいずれか一項に記載のデバイス。
［項目２９］
表示モジュールおよびユーザ入力モジュールをさらに備え、
上記表示モジュールは、無線充電プロセスの無線充電パラメータをユーザに提示するよう構成され、
上記ユーザ入力モジュールは、上記無線充電に関連する命令およびパラメータを上記ユーザが入力するよう構成される、
項目２３から２８のいずれか一項に記載のデバイス。
［項目３０］
外部電源、無線充電受信デバイス、および無線充電送信デバイスを備えるインテリジェント無線充電制御システムであって、
上記無線充電受信デバイスは、項目１６から２２のいずれか一項に記載のデバイスであり、
上記無線充電送信デバイスは、項目２３から２９のいずれか一項に記載のデバイスであり、
上記外部電源は、上記無線充電送信デバイスに接続され、上記無線充電送信デバイスは、上記外部電源から電気エネルギーを取得する、
インテリジェント無線充電制御システム。
［項目３１］
プロセッサおよびメモリを備える無線充電受信端末であって、上記メモリは、プログラム可能命令を格納し、上記プロセッサは、上記メモリに格納された上記プログラム可能命令を呼び出して、項目１から１５のいずれか一項に記載の方法を実行する、
無線充電受信端末。
［項目３２］
命令を備えるコンピュータ可読ストレージ媒体であって、上記命令は、項目１から１５のいずれか一項に記載の方法をコンピュータに実行させるよう上記コンピュータ上で実行される、
コンピュータ可読ストレージ媒体。
【手続補正３】
【補正対象書類名】図面
【補正対象項目名】図２
【補正方法】変更
【補正の内容】
【図２】
2019506113.tif 000012
【手続補正４】
【補正対象書類名】図面
【補正対象項目名】図３
【補正方法】変更
【補正の内容】
【図３】
2019506113.tif 000013
【手続補正５】
【補正対象書類名】図面
【補正対象項目名】図５
【補正方法】変更
【補正の内容】
【図５】
2019506113.tif 000014
【国際調査報告】
2019506113.tif 000015
2019506113.tif 000016
2019506113.tif 000017
2019506113.tif 000018